(57)【特許請求の範囲】
【請求項１】
無線リソース制御ＲＲＣメッセージ処理装置であって、当該装置が第１のサービングノードに配置され、前記第１のサービングノードが第１のアンカノードへの接続を設定し、前記第１のアンカノードがモビリティ管理エンティティへの接続を設定し、
当該装置が、
ユーザ機器ＵＥにより送信されたＲＲＣメッセージを受信し、ここで、前記ＲＲＣメッセージがシグナリング無線ベアラＳＲＢ１又はＳＲＢ２によって搬送される、ように構成される受信ユニットと、
前記受信ユニットにより受信された前記ＲＲＣメッセージ、及び該ＲＲＣメッセージのＳＲＢタイプを識別するための表示情報を前記第１のアンカノードへ送信するように構成される送信ユニットとを備える、装置。
【請求項２】
前記受信ユニットがさらに、前記第１のアンカノードにより送信されたＲＲＣメッセージを受信するように構成され、前記ＲＲＣメッセージが、ＳＲＢ１によって搬送され又はＳＲＢ２によって搬送され、当該装置がさらに、
前記第１のサービングノードの第１の無線リンク制御ＲＬＣ層エンティティを使用して、前記ＳＲＢ１によって搬送された前記ＲＲＣメッセージを処理し、それにより、前記送信ユニットが処理されたメッセージを前記ＵＥへ送信する、ように構成される第１の処理ユニットと、
前記第１のサービングノードの第２のＲＬＣ層エンティティを使用して、前記ＳＲＢ２によって搬送された前記ＲＲＣメッセージを処理し、それにより、前記送信ユニットが処理されたメッセージを前記ＵＥへ送信する、ように構成される第２の処理ユニットとを備える、請求項１に記載の装置。
【請求項３】
当該装置がさらに、
前記第１のサービングノードのＲＲＣ層エンティティを使用して、ＳＲＢ０によって搬送されるＲＲＣメッセージを生成し、それにより、前記送信ユニットが前記ＳＲＢ０によって搬送される前記ＲＲＣメッセージを前記ＵＥ及び／又は前記第１のアンカノードへ送信する、ように構成されるメッセージ生成ユニットを備える、請求項１又は２に記載の装置。
【請求項４】
前記送信ユニットがさらに、第１の表示情報を前記第１のアンカノードへ送信し、ここで、前記第１の表示情報が前記第１のアンカノードにより使用されてＲＲＣメッセージが前記ＳＲＢ０によって搬送されことが識別される、ように構成され、前記受信ユニットがさらに、前記第１のアンカノードにより送信された第２の表示情報を受信し、ここで、前記第２の表示情報が前記第１のサービングノードにより使用されてＲＲＣメッセージが前記ＳＲＢ０によって搬送されたことが識別される、ように構成される、請求項３に記載の装置。
【請求項５】
前記送信ユニットがさらに、第１の表示情報を前記第１のアンカノードへ送信し、ここで、前記第１の表示情報が前記第１のアンカノードにより使用されてＲＲＣメッセージが前記ＳＲＢ１によって搬送されたことが識別される、ように構成され、前記受信ユニットがさらに、前記第１のアンカノードにより送信された第２の表示情報を受信し、ここで、前記第２の表示情報が前記第１のサービングノードにより使用されてＲＲＣメッセージが前記ＳＲＢ１によって搬送されたことが識別される、ように構成される、請求項１又は２に記載の装置。
【請求項６】
前記送信ユニットがさらに、第１の表示情報を前記第１のアンカノードへ送信し、ここで、前記第１の表示情報が前記第１のアンカノードにより使用されてＲＲＣメッセージが前記ＳＲＢ２によって搬送されたことが識別される、ように構成され、前記受信ユニットがさらに、前記第１のアンカノードにより送信された第２の表示情報を受信し、ここで、前記第２の表示情報が前記第１のサービングノードにより使用されてＲＲＣメッセージが前記ＳＲＢ２によって搬送されたことが識別される、ように構成される、請求項１又は２に記載の装置。
【請求項７】
当該装置がさらに、前記送信ユニットが前記ＲＲＣメッセージを前記第１のアンカノードへ送信する前に、前記第１のサービングノードの第１のＲＬＣ層エンティティを使用して、前記ＳＲＢ１によって搬送された前記ＲＲＣメッセージを処理するように構成される第１の処理ユニットと、
前記送信ユニットが前記ＲＲＣメッセージを前記第１のアンカノードへ送信する前に、前記第１のサービングノードの第２のＲＬＣ層エンティティを使用して、前記ＳＲＢ２によって搬送された前記ＲＲＣメッセージを処理するように構成される第２の処理ユニットとを備える、請求項１に記載の装置。
【請求項８】
前記送信ユニットが、前記第１の処理ユニットによって処理された前記ＲＲＣメッセージを前記ＵＥへメディアアクセス制御ＭＡＣ層及び物理層を使用して送信するように、又は、前記第２の処理ユニットによって処理された前記ＲＲＣメッセージを前記ＵＥへＭＡＣ層及び物理層を使用して送信するように構成される、請求項２に記載の装置。
【請求項９】
前記送信ユニットが、前記第１の処理ユニットによって処理された前記ＲＲＣメッセージを前記ＵＥへ送信し、それにより、前記ＵＥの第１のＰＤＣＰ層エンティティが、前記ＳＲＢ１によって搬送された前記ＲＲＣメッセージを処理し、次に前記の処理されたメッセージをＲＲＣ層エンティティへ送信するか、又は、前記第２の処理ユニットによって処理された前記ＲＲＣメッセージを前記ＵＥへ送信し、それにより、前記ＵＥの第２のＰＤＣＰ層エンティティが、前記ＳＲＢ２によって搬送された前記ＲＲＣメッセージを処理し、次に前記の処理されたメッセージを前記ＲＲＣ層エンティティへ送信するように構成される、請求項２に記載の装置。
【請求項１０】
前記受信ユニットが、前記ＵＥにより送信されたＲＲＣ接続要求メッセージを受信し、ここで、前記ＲＲＣ接続要求メッセージとは、前記ＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより前記第１のサービングノードに送信される前記ＲＲＣ接続要求メッセージのことである、ように構成され、
前記送信ユニットが、前記受信ユニットにより受信された前記ＲＲＣ接続要求メッセージを前記第１のアンカノードへ転送するように構成され、
前記受信ユニットがさらに、前記第１のアンカノードにより送信されたＲＲＣ接続設定メッセージを受信し、ここで、前記ＲＲＣ接続設定メッセージとは、前記の受信されたＲＲＣ接続要求メッセージに応じて前記第１のアンカノードにより生成される前記ＲＲＣ接続設定メッセージのことである、ように構成され、
前記送信ユニットがさらに、前記受信ユニットにより受信された前記ＲＲＣ接続設定メッセージを前記ＵＥへ送信するように構成され、
前記受信ユニットがさらに、前記ＵＥにより送信されたＲＲＣ接続設定完了メッセージを受信するように構成され、
前記送信ユニットがさらに、前記受信ユニットにより受信された前記ＲＲＣ接続設定完了メッセージを前記第１のアンカノードへ送信してＲＲＣ接続を前記第１のアンカノード及び前記ＵＥに対して設定するように構成される、請求項２に記載の装置。
【請求項１１】
前記送信ユニットが、ベアラ追加／修正確認メッセージを前記第１のアンカノードへ送信し、ここで、前記ベアラ追加／修正確認メッセージは、前記第１のサービングノードが前記第１のアンカノードにより送信されたベアラ追加／修正要求メッセージを受信した後に、前記ベアラ追加／修正要求メッセージに応じて前記第１のサービングノードにより生成される、ように構成され、
前記受信ユニットが、前記第１のアンカノードにより送信されたＲＲＣ接続再構成メッセージを受信するように構成され、
前記送信ユニットがさらに、前記受信ユニットにより受信された前記ＲＲＣ接続再構成メッセージを前記ＵＥへ送信するように構成され、
前記受信ユニットがさらに、前記ＵＥにより送信されたＲＲＣ接続再構成完了メッセージを受信するように構成され、
前記送信ユニットがさらに、前記受信ユニットにより受信された前記ＲＲＣ接続再構成完了メッセージを前記第１のアンカノードへ送信するように構成される、請求項２に記載の装置。
【請求項１２】
前記受信ユニットが、前記第１のアンカノードにより送信されたＲＲＣ接続再構成メッセージを受信し、ここで、前記ＲＲＣ接続再構成メッセージとは、前記第１のサービングノードが、前記第１のアンカノードにより送信されたベアラ追加／修正要求メッセージを受信し、ベアラ追加／修正確認メッセージを前記第１のアンカノードへ送信した後に、前記第１のアンカノードにより送信される前記ＲＲＣ接続再構成メッセージのことである、ように構成され、
前記送信ユニットが、前記受信ユニットにより受信された前記ＲＲＣ接続再構成メッセージを前記ＵＥへ送信するように構成され、
前記受信ユニットがさらに、前記ＵＥにより送信されたＲＲＣ接続再構成完了メッセージを受信するように構成され、
前記送信ユニットがさらに、前記受信ユニットにより受信された前記ＲＲＣ接続再構成完了メッセージを前記第１のアンカノードへ送信するように構成され、
前記受信ユニットがさらに、前記第１のアンカノードにより送信されたベアラ追加／修正完了メッセージを受信するように構成される、請求項２に記載の装置。
【請求項１３】
前記受信ユニットが、前記第１のアンカノードにより送信されたＲＲＣ接続再構成メッセージを受信し、ここで、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ように構成され、
前記送信ユニットが、前記受信ユニットにより受信された前記ＲＲＣ接続再構成メッセージを前記ＵＥへ送信するように構成される、請求項２に記載の装置。
【請求項１４】
前記受信ユニットが、前記ＵＥにより送信されたＲＲＣ接続再設定要求メッセージを受信し、ここで、前記ＲＲＣ接続再設定要求メッセージとは、前記ＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより送信される前記ＲＲＣ接続再設定要求メッセージのことである、ように構成され、
前記送信ユニットが、前記受信ユニットにより受信された前記ＲＲＣ接続再設定要求メッセージを前記第１のアンカノードへ送信するように構成され、
前記受信ユニットがさらに、前記第１のアンカノードにより送信されたＲＲＣ接続再設定メッセージを受信するように構成され、
前記送信ユニットがさらに、前記受信ユニットにより受信された前記ＲＲＣ接続再設定メッセージを前記ＵＥへ送信するように構成され、
前記受信ユニットがさらに、前記ＵＥにより送信されたＲＲＣ接続再設定完了メッセージを受信するように構成され、
前記送信ユニットがさらに、前記受信ユニットにより受信された前記ＲＲＣ接続再設定完了メッセージを前記第１のアンカノードへ送信してＲＲＣ接続を前記第１のアンカノード及び前記ＵＥに対して設定する、ように構成される、請求項２に記載の装置。
【請求項１５】
無線リソース制御ＲＲＣメッセージ処理装置であって、当該装置が第１のアンカノードに配置され、第１のサービングノードが前記第１のアンカノードへの接続を設定し、前記第１のアンカノードがモビリティ管理エンティティへの接続を設定し、当該装置が、
無線リソース制御ＲＲＣメッセージ、及び該ＲＲＣメッセージのＳＲＢタイプを識別するための表示情報を前記第１のサービングノードへ送信し、ここで、前記ＲＲＣメッセージがシグナリング無線ベアラＳＲＢ１又はＳＲＢ２によって搬送される、ように構成される送信ユニットを含む、装置。
【請求項１６】
当該装置がさらに、
前記第１のサービングノードにより送信されたＲＲＣメッセージを受信するように構成される受信ユニットと、
前記第１のアンカノードの第１のパケットデータコンバージェンスプロトコルＰＤＣＰ層エンティティを使用して、ＳＲＢ１によって搬送され前記受信ユニットにより受信されたＲＲＣメッセージを処理し、次に処理されたメッセージを前記第１のアンカノードのＲＲＣ層エンティティへ送信するように構成される第１のパケットデータ処理ユニットと、
前記第１のアンカノードの第２のＰＤＣＰ層エンティティを使用して、ＳＲＢ２によって搬送され前記受信ユニットにより受信されたＲＲＣメッセージを処理し、次に処理されたメッセージを前記第１のアンカノードの前記ＲＲＣ層エンティティへ送信するように構成される第２のパケットデータ処理ユニットとを備える、請求項１５に記載の装置。
【請求項１７】
当該装置がさらに、
前記第１のアンカノードのＲＲＣ層エンティティを使用して、前記ＳＲＢ１又は前記ＳＲＢ２によって搬送される前記ＲＲＣメッセージを生成するように構成される第１のメッセージ生成ユニットを備え、
前記送信ユニットが、前記ＳＲＢ１によって搬送されるとともに前記第１のメッセージ生成ユニットで生成される前記ＲＲＣメッセージ、又は前記ＳＲＢ２によって搬送されるとともに前記第１のメッセージ生成ユニットで生成される前記ＲＲＣメッセージを、前記第１のサービングノードへ送信するように構成される、請求項１５又は１６に記載の装置。
【請求項１８】
前記受信ユニットがさらに、前記第１のサービングノードにより送信された第１の表示情報を受信するように構成され、ここで、前記第１の表示情報はＲＲＣメッセージがＳＲＢ０によって搬送されたことを識別するために使用され、
前記送信ユニットがさらに、第２の表示情報を前記第１のサービングノードへ送信し、ここで、前記第２の表示情報が前記第１のサービングノードにより使用されてＲＲＣメッセージが前記ＳＲＢ０によって搬送されたことが識別される、ように構成される、請求項１６に記載の装置。
【請求項１９】
前記受信ユニットがさらに、前記第１のサービングノードにより送信された第１の表示情報を受信するように構成され、ここで、前記第１の表示情報はＲＲＣメッセージが前記ＳＲＢ１によって搬送されたことを識別するために使用され、
前記送信ユニットがさらに、第２の表示情報を前記第１のサービングノードへ送信し、ここで、前記第２の表示情報が前記第１のサービングノードにより使用されてＲＲＣメッセージが前記ＳＲＢ１によって搬送されたことが識別される、ように構成される、請求項１６に記載の装置。
【請求項２０】
前記受信ユニットがさらに、前記第１のサービングノードにより送信された第１の表示情報を受信するように構成され、ここで、前記第１の表示情報はＲＲＣメッセージが前記ＳＲＢ２によって搬送されたことを識別するために使用され、
前記送信ユニットがさらに、第２の表示情報を前記第１のサービングノードへ送信し、ここで、前記第２の表示情報が前記第１のサービングノードにより使用されてＲＲＣメッセージが前記ＳＲＢ２によって搬送されたことが識別される、ように構成される、請求項１６に記載の装置。
【請求項２１】
前記受信ユニットが、前記第１のサービングノードによって転送されたＲＲＣ接続要求メッセージを受信し、ここで、前記ＲＲＣ接続要求メッセージとは、ＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより前記第１のサービングノードに送信される前記ＲＲＣ接続要求メッセージのことである、ように構成され、
当該装置がさらに、
前記受信ユニットにより受信されたＲＲＣ接続要求メッセージに応じてＲＲＣ接続設定メッセージを生成するように構成される第２のメッセージ生成ユニットを備え、
前記送信ユニットが、前記第２のメッセージ生成ユニットで生成された前記ＲＲＣ接続設定メッセージを前記第１のサービングノードへ送信し、それにより、前記第１のサービングノードが前記ＲＲＣ接続設定メッセージを前記ＵＥへ送信する、ように構成され、
前記受信ユニットがさらに、前記第１のサービングノードにより送信されたＲＲＣ接続設定完了メッセージを受信してＲＲＣ接続を前記第１のアンカノード及び前記ＵＥに対して設定し、ここで、前記ＲＲＣ接続設定完了メッセージとは、前記ＵＥが前記ＲＲＣ接続設定メッセージを受信した後に、前記ＵＥにより前記第１のサービングノードに送信される前記ＲＲＣ接続設定完了メッセージのことである、ように構成される、請求項１６に記載の装置。
【請求項２２】
前記受信ユニットが、前記第１のサービングノードにより送信されたベアラ追加／修正確認メッセージを受信し、ここで、前記ベアラ追加／修正確認メッセージは、前記第１のアンカノードがベアラ追加／修正要求メッセージを前記第１のサービングノードへ送信した後に、前記ベアラ追加／修正要求メッセージに応じて前記第１のサービングノードにより生成される、ように構成され、
前記送信ユニットが、ＲＲＣ接続再構成メッセージを前記第１のサービングノードへ送信し、それにより、前記第１のサービングノードが前記ＲＲＣ接続再構成メッセージをＵＥへ送信する、ように構成され、
前記受信ユニットがさらに、前記第１のサービングノードにより送信されたＲＲＣ接続再構成完了メッセージを受信し、ここで、前記ＲＲＣ接続再構成完了メッセージとは、前記ＵＥが前記ＲＲＣ接続再構成メッセージを受信した後に、前記ＵＥにより前記第１のサービングノードに送信される前記ＲＲＣ接続再構成完了メッセージのことであり、前記第１のアンカノードが前記ＲＲＣ接続再構成完了メッセージに応じてベアラ追加／修正完了メッセージを前記第１のサービングノードへ送信する、ように構成される、請求項１６に記載の装置。
【請求項２３】
前記送信ユニットが、ＲＲＣ接続再構成メッセージを前記第１のサービングノードへ送信し、ここで、前記ＲＲＣ接続再構成メッセージとは、前記第１のアンカノードが、ベアラ追加／修正要求メッセージを前記第１のサービングノードへ送信し、前記第１のサービングノードにより送信されたベアラ追加／修正確認メッセージを受信した後に、前記第１のアンカノードにより前記第１のサービングノードに送信される前記ＲＲＣ接続再構成メッセージのことである、ように構成され、
前記受信ユニットが、前記第１のサービングノードにより送信されたＲＲＣ接続再構成完了メッセージを受信し、ここで、前記ＲＲＣ接続再構成完了メッセージとは、前記第１のサービングノードが、前記第１のアンカノードにより送信された前記ＲＲＣ接続再構成メッセージを受信し、前記ＲＲＣ接続再構成メッセージをＵＥへ送信した後に、前記ＵＥにより送信され前記第１のサービングノードにより受信される前記ＲＲＣ接続再構成完了メッセージのことである、ように構成され、
前記送信ユニットがさらに、ベアラ追加／修正完了メッセージを前記第１のサービングノードへ送信するように構成される、請求項１６に記載の装置。
【請求項２４】
前記送信ユニットが、ＲＲＣ接続再構成メッセージを前記第１のサービングノードへ送信し、それにより、前記第１のサービングノードが前記ＲＲＣ接続再構成メッセージをＵＥへ送信し、ここで、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ように構成される、請求項１６に記載の装置。
【請求項２５】
前記受信ユニットが、前記第１のサービングノードにより送信されたＲＲＣ接続再設定要求メッセージを受信し、ここで、前記ＲＲＣ接続再設定要求メッセージとは、ＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより前記第１のサービングノードに送信される前記ＲＲＣ接続再設定要求メッセージのことである、ように構成され、
前記送信ユニットが、ＲＲＣ接続再設定メッセージを前記第１のサービングノードへ送信し、それにより、前記第１のサービングノードが前記ＲＲＣ接続再設定メッセージを前記ＵＥへ送信する、ように構成され、
前記受信ユニットがさらに、前記第１のサービングノードにより送信されたＲＲＣ接続再設定完了メッセージを受信してＲＲＣ接続を前記第１のアンカノード及び前記ＵＥに対して設定し、ここで、前記ＲＲＣ接続再設定完了メッセージとは、前記ＵＥにより送信され前記第１のサービングノードにより受信される前記ＲＲＣ接続再設定完了メッセージのことである、ように構成される、請求項１６に記載の装置。
【請求項２６】
サービングノードであって、当該サービングノードが第１のアンカノードへの接続を設定し、前記第１のアンカノードがモビリティ管理エンティティへの接続を設定し、
当該サービングノードが送信機及び受信機を備え、
前記受信機が、ユーザ機器ＵＥにより送信された無線リソース制御ＲＲＣメッセージを受信し、ここで、前記ＲＲＣメッセージがシグナリング無線ベアラＳＲＢ１又はＳＲＢ２によって搬送される、ように構成され、
前記送信機が、前記受信機により受信された前記ＲＲＣメッセージ、及び該ＲＲＣメッセージのＳＲＢタイプを識別するための表示情報を前記第１のアンカノードへ送信するように構成される、サービングノード。
【請求項２７】
アンカノードであって、第１のサービングノードが当該アンカノードへの接続を設定し、当該アンカノードがモビリティ管理エンティティへの接続を設定し、当該アンカノードが送信機を備え、
前記送信機が、無線リソース制御ＲＲＣメッセージ、及び該ＲＲＣメッセージのＳＲＢタイプを識別するための表示情報を前記第１のサービングノードへ送信し、ここで、前記ＲＲＣメッセージがシグナリング無線ベアラＳＲＢ１又はＳＲＢ２によって搬送される、ように構成される、アンカノード。
【請求項２８】
無線リソース制御ＲＲＣメッセージ処理方法であって、第１のサービングノードが第１のアンカノードへの接続を設定し、前記第１のアンカノードがモビリティ管理エンティティへの接続を設定し、
当該方法が、
前記第１のサービングノードにより、ユーザ機器ＵＥにより送信された無線リソース制御ＲＲＣメッセージを受信するステップであって、前記ＲＲＣメッセージがシグナリング無線ベアラＳＲＢ１又はＳＲＢ２によって搬送される、ステップと、
前記第１のサービングノードにより、前記ＲＲＣメッセージ、及び該ＲＲＣメッセージのＳＲＢタイプを識別するための表示情報を前記第１のアンカノードへ送信するステップとを含む、方法。
【請求項２９】
当該方法がさらに、
前記第１のサービングノードにより、前記第１のアンカノードにより送信されたＲＲＣメッセージを受信するステップであって、前記ＲＲＣメッセージがＳＲＢ１によって搬送されるＲＲＣメッセージ又はＳＲＢ２によって搬送されるＲＲＣメッセージを含む、ステップと、
前記第１のサービングノードの第１の無線リンク制御ＲＬＣ層エンティティにより、前記ＳＲＢ１によって搬送された前記ＲＲＣメッセージを処理し、次に処理されたメッセージを前記ＵＥへ送信するか、又は、前記第１のサービングノードの第２のＲＬＣ層エンティティにより、前記ＳＲＢ２によって搬送された前記ＲＲＣメッセージを処理し、次に処理されたメッセージを前記ＵＥへ送信するステップとを含む、請求項２８に記載の方法。
【請求項３０】
当該方法がさらに、前記第１のサービングノードのＲＲＣ層エンティティにより、ＳＲＢ０によって搬送されるＲＲＣメッセージを生成し、前記ＳＲＢ０によって搬送される前記ＲＲＣメッセージを前記ＵＥ及び／又は前記第１のアンカノードへ送信するステップを含む、請求項２８又は２９に記載の方法。
【請求項３１】
当該方法がさらに、前記第１のサービングノードにより、第１の表示情報を前記第１のアンカノードへ送信するステップであって、前記第１の表示情報が前記第１のアンカノードにより使用されてＲＲＣメッセージが前記ＳＲＢ０によって搬送されたことが識別される、ステップか、又は、前記第１のサービングノードにより、前記第１のアンカノードにより送信された第２の表示情報を受信するステップであって、前記第２の表示情報が前記第１のサービングノードにより使用されてＲＲＣメッセージが前記ＳＲＢ０によって搬送されたことが識別される、ステップを含む、請求項３０に記載の方法。
【請求項３２】
当該方法がさらに、前記第１のサービングノードにより、第１の表示情報を前記第１のアンカノードへ送信するステップであって、前記第１の表示情報が前記第１のアンカノードにより使用されてＲＲＣメッセージが前記ＳＲＢ１によって搬送されたことが識別される、ステップか、又は、前記第１のサービングノードにより、前記第１のアンカノードにより送信された第２の表示情報を受信するステップであって、前記第２の表示情報が前記第１のサービングノードにより使用されてＲＲＣメッセージが前記ＳＲＢ１によって搬送されたことが識別される、ステップを含む、請求項２８又は２９に記載の方法。
【請求項３３】
当該方法がさらに、前記第１のサービングノードにより、第１の表示情報を前記第１のアンカノードへ送信するステップであって、前記第１の表示情報が前記第１のアンカノードにより使用されてＲＲＣメッセージが前記ＳＲＢ２によって搬送されたことが識別される、ステップか、又は、前記第１のサービングノードにより、前記第１のアンカノードにより送信された第２の表示情報を受信するステップであって、前記第２の表示情報が前記第１のサービングノードにより使用されてＲＲＣメッセージが前記ＳＲＢ２によって搬送されたことが識別される、ステップを含む、請求項２８又は２９に記載の方法。
【請求項３４】
前記第１のサービングノードにより、前記ＲＲＣメッセージを前記第１のアンカノードへ送信する前にさらに、前記第１のサービングノードの第１のＲＬＣ層エンティティにより、前記ＳＲＢ１によって搬送された前記ＲＲＣメッセージを処理するステップか、又は、前記第１のサービングノードの第２のＲＬＣ層エンティティにより、前記ＳＲＢ２によって搬送された前記ＲＲＣメッセージを処理するステップを含む、請求項２８に記載の方法。
【請求項３５】
前記第１のサービングノードの第１のＲＬＣ層エンティティにより、前記ＳＲＢ１によって搬送された前記ＲＲＣメッセージを処理し、次に処理されたメッセージを前記ＵＥへ送信するか、又は、前記第１のサービングノードの第２のＲＬＣ層エンティティにより、前記ＳＲＢ２によって搬送された前記ＲＲＣメッセージを処理し、次に処理されたメッセージを前記ＵＥへ送信する前記ステップが、前記第１のサービングノードの前記第１のＲＬＣ層エンティティにより、前記ＳＲＢ１によって搬送された前記ＲＲＣメッセージを処理し、次に前記の処理されたメッセージを前記ＵＥへメディアアクセス制御ＭＡＣ層及び物理層を使用して送信するか、又は、前記第１のサービングノードの前記第２のＲＬＣ層エンティティにより、前記ＳＲＢ２によって搬送された前記ＲＲＣメッセージを処理し、次に前記の処理されたメッセージを前記ＵＥへＭＡＣ層及び物理層を使用して送信するステップを含む、請求項２９に記載の方法。
【請求項３６】
前記第１のサービングノードの第１のＲＬＣ層エンティティにより、前記ＳＲＢ１によって搬送された前記ＲＲＣメッセージを処理し、次に処理されたメッセージを前記ＵＥへ送信するか、又は、前記第１のサービングノードの第２のＲＬＣ層エンティティにより、前記ＳＲＢ２によって搬送された前記ＲＲＣメッセージを処理し、次に処理されたメッセージを前記ＵＥへ送信する前記ステップが、前記第１のサービングノードの前記第１のＲＬＣ層エンティティにより、前記ＳＲＢ１によって搬送された前記ＲＲＣメッセージを処理し、次に前記の処理されたメッセージを前記ＵＥへ送信し、それにより、前記ＵＥの第１のＰＤＣＰ層エンティティが、前記ＳＲＢ１によって搬送された前記ＲＲＣメッセージを処理し、次に前記の処理されたメッセージをＲＲＣ層エンティティへ送信するか、又は、前記第１のサービングノードの前記第２のＲＬＣ層エンティティにより、前記ＳＲＢ２によって搬送された前記ＲＲＣメッセージを処理し、次に前記の処理されたメッセージを前記ＵＥへ送信し、それにより、前記ＵＥの第２のＰＤＣＰ層エンティティが、前記ＳＲＢ２によって搬送された前記ＲＲＣメッセージを処理し、次に前記の処理されたメッセージを前記ＲＲＣ層エンティティへ送信する、ステップを含む、請求項２９に記載の方法。
【請求項３７】
当該方法がさらに、
前記第１のサービングノードにより、前記ＵＥにより送信されたＲＲＣ接続要求メッセージを受信するステップであって、前記ＲＲＣ接続要求メッセージとは、前記ＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより前記第１のサービングノードに送信される前記ＲＲＣ接続要求メッセージのことである、ステップと、
前記第１のサービングノードにより、前記ＲＲＣ接続要求メッセージを前記第１のアンカノードへ転送するステップと、
前記第１のサービングノードにより、前記第１のアンカノードにより送信されたＲＲＣ接続設定メッセージを受信するステップであって、前記ＲＲＣ接続設定メッセージとは、前記の受信されたＲＲＣ接続要求メッセージに応じて前記第１のアンカノードにより生成される前記ＲＲＣ接続設定メッセージのことである、ステップと、
前記第１のサービングノードにより、前記ＲＲＣ接続設定メッセージを前記ＵＥへ送信するステップと、
前記第１のサービングノードにより、前記ＵＥにより送信されたＲＲＣ接続設定完了メッセージを受信するステップと、
前記第１のサービングノードにより、前記ＲＲＣ接続設定完了メッセージを前記第１のアンカノードへ送信してＲＲＣ接続を前記第１のアンカノード及び前記ＵＥに対し設定するステップとを含む、請求項２９に記載の方法。
【請求項３８】
前記ＳＲＢ１によって搬送される前記ＲＲＣメッセージが、ＲＲＣ接続再構成メッセージ又はＲＲＣ接続再構成完了メッセージであり、
当該方法がさらに、
前記第１のサービングノードにより、ベアラ追加／修正確認メッセージを前記第１のアンカノードへ送信するステップであって、前記ベアラ追加／修正確認メッセージとは、前記第１のサービングノードが前記第１のアンカノードにより送信されたベアラ追加／修正要求メッセージを受信した後に、前記ベアラ追加／修正要求メッセージに応じて前記第１のサービングノードにより生成される前記ベアラ追加／修正確認メッセージのことである、ステップと、
前記第１のアンカノードにより送信された前記ＲＲＣ接続再構成メッセージを受信するステップと、
前記ＲＲＣ接続再構成メッセージを前記ＵＥへ送信するステップと、
前記ＵＥにより送信された前記ＲＲＣ接続再構成完了メッセージを受信するステップと、
前記ＲＲＣ接続再構成完了メッセージを前記第１のアンカノードへ送信するステップとを含む、請求項２９に記載の方法。
【請求項３９】
前記ＳＲＢ１によって搬送される前記ＲＲＣメッセージが、ＲＲＣ接続再構成メッセージ又はＲＲＣ接続再構成完了メッセージであり、
当該方法がさらに、
前記第１のサービングノードにより、前記第１のアンカノードにより送信された前記ＲＲＣ接続再構成メッセージを受信するステップであって、前記ＲＲＣ接続再構成メッセージとは、前記第１のサービングノードが、前記第１のアンカノードにより送信されたベアラ追加／修正要求メッセージを受信し、ベアラ追加／修正確認メッセージを前記第１のアンカノードへ送信した後に、前記第１のアンカノードにより送信される前記ＲＲＣ接続再構成メッセージのことである、ステップと、
前記第１のサービングノードにより、前記ＲＲＣ接続再構成メッセージを前記ＵＥへ送信するステップと、
前記第１のサービングノードにより、前記ＵＥにより送信された前記ＲＲＣ接続再構成完了メッセージを受信するステップと、
前記第１のサービングノードにより、前記ＲＲＣ接続再構成完了メッセージを前記第１のアンカノードへ送信するステップと、
前記第１のサービングノードにより、前記第１のアンカノードにより送信されたベアラ追加／修正完了メッセージを受信するステップとを含む、請求項２９に記載の方法。
【請求項４０】
前記ＳＲＢ１によって搬送される前記ＲＲＣメッセージが、ＲＲＣ接続再構成メッセージであり、
当該方法がさらに、
前記第１のサービングノードにより、前記第１のアンカノードにより送信された前記ＲＲＣ接続再構成メッセージを受信するステップであって、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ステップと、
前記第１のサービングノードにより、前記ＲＲＣ接続再構成メッセージを前記ＵＥへ送信するステップとを含む、請求項２９に記載の方法。
【請求項４１】
当該方法がさらに、
前記第１のサービングノードにより、前記ＵＥにより送信されたＲＲＣ接続再設定要求メッセージを受信するステップであって、前記ＲＲＣ接続再設定要求メッセージとは、前記ＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより送信される前記ＲＲＣ接続再設定要求メッセージのことである、ステップと、
前記第１のサービングノードにより、前記ＲＲＣ接続再設定要求メッセージを前記第１のアンカノードへ送信するステップと、
前記第１のサービングノードにより、前記第１のアンカノードにより送信されたＲＲＣ接続再設定メッセージを受信するステップと、
前記第１のサービングノードにより、前記ＲＲＣ接続再設定メッセージを前記ＵＥへ送信するステップと、
前記第１のサービングノードにより、前記ＵＥにより送信されたＲＲＣ接続再設定完了メッセージを受信するステップと、
前記第１のサービングノードにより、前記ＲＲＣ接続再設定完了メッセージを前記第１のアンカノードへ送信してＲＲＣ接続を前記第１のアンカノード及び前記ＵＥに対して設定するステップとを含む、請求項２９に記載の方法。
【請求項４２】
無線リソース制御ＲＲＣメッセージ処理方法であって、第１のサービングノードが第１のアンカノードへの接続を設定し、前記第１のアンカノードがモビリティ管理エンティティへの接続を設定し、当該方法が、
前記第１のアンカノードにより、無線リソース制御ＲＲＣメッセージ、及び該ＲＲＣメッセージのＳＲＢタイプを識別するための表示情報を前記第１のサービングノードへ送信するステップであって、前記ＲＲＣメッセージがシグナリング無線ベアラＳＲＢ１によって搬送されるＲＲＣメッセージ又はＳＲＢ２によって搬送されるＲＲＣメッセージを含む、ステップを含む、方法。
【請求項４３】
当該方法がさらに、
前記第１のアンカノードにより、前記第１のサービングノードにより送信されたＲＲＣメッセージを受信するステップと、前記第１のアンカノードの第１のパケットデータコンバージェンスプロトコルＰＤＣＰ層エンティティにより、前記ＳＲＢ１によって搬送されたＲＲＣメッセージを処理し、次に処理されたメッセージを前記第１のアンカノードのＲＲＣ層エンティティへ送信するか、又は、前記第１のアンカノードの第２のＰＤＣＰ層エンティティにより、前記ＳＲＢ２によって搬送されたＲＲＣメッセージを処理し、次に処理されたメッセージを前記第１のアンカノードのＲＲＣ層エンティティへ送信するステップとを含む、請求項４２に記載の方法。
【請求項４４】
当該方法がさらに、前記第１のアンカノードのＲＲＣ層エンティティにより、前記ＳＲＢ１によって搬送される前記ＲＲＣメッセージ、又は前記ＳＲＢ２によって搬送される前記ＲＲＣメッセージを生成し、前記ＳＲＢ１によって搬送される前記ＲＲＣメッセージ又は前記ＳＲＢ２によって搬送される前記ＲＲＣメッセージを前記第１のサービングノードへ送信するステップを含む、請求項４２又は４３に記載の方法。
【請求項４５】
当該方法がさらに、前記第１のアンカノードにより、前記第１のサービングノードにより送信された第１の表示情報を受信するステップであって、前記第１の表示情報が前記第１のアンカノードにより使用されてＲＲＣメッセージがＳＲＢ０によって搬送された前記ＲＲＣメッセージであることが識別される、ステップか、又は、前記第１のアンカノードにより、第２の表示情報を前記第１のサービングノードへ送信するステップであって、前記第２の表示情報が前記第１のサービングノードにより使用されてＲＲＣメッセージが前記ＳＲＢ０によって搬送された前記ＲＲＣメッセージであることが識別される、ステップを含む、請求項４２又は４３に記載の方法。
【請求項４６】
当該方法がさらに、前記第１のアンカノードにより、前記第１のサービングノードにより送信された第１の表示情報を受信するステップであって、前記第１の表示情報が前記第１のアンカノードにより使用されてＲＲＣメッセージが前記ＳＲＢ１によって搬送されたことが識別される、ステップか、又は、前記第１のアンカノードにより、第２の表示情報を前記第１のサービングノードへ送信するステップであって、前記第２の表示情報が前記第１のサービングノードにより使用されてＲＲＣメッセージが前記ＳＲＢ１によって搬送されたことが識別される、ステップを含む、請求項４２又は４３に記載の方法。
【請求項４７】
当該方法がさらに、前記第１のアンカノードにより、前記第１のサービングノードにより送信された第１の表示情報を受信するステップであって、前記第１の表示情報が前記第１のアンカノードにより使用されてＲＲＣメッセージが前記ＳＲＢ２によって搬送されたことが識別される、ステップか、又は、前記第１のアンカノードにより、第２の表示情報を前記第１のサービングノードへ送信するステップであって、前記第２の表示情報が前記第１のサービングノードにより使用されてＲＲＣメッセージが前記ＳＲＢ２によって搬送されたことが識別される、ステップを含む、請求項４２又は４３に記載の方法。
【請求項４８】
当該方法がさらに、
前記第１のアンカノードにより、前記第１のサービングノードによって転送されたＲＲＣ接続要求メッセージを受信するステップであって、前記ＲＲＣ接続要求メッセージとは、ＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより前記第１のサービングノードに送信される前記ＲＲＣ接続要求メッセージのことである、ステップと、
前記第１のアンカノードにより、前記ＲＲＣ接続要求メッセージに応じてＲＲＣ接続設定メッセージを生成するステップと、
前記第１のアンカノードにより、前記ＲＲＣ接続設定メッセージを前記第１のサービングノードへ送信し、それにより、前記第１のサービングノードが前記ＲＲＣ接続設定メッセージを前記ＵＥへ送信する、ステップと、
前記第１のアンカノードにより、前記第１のサービングノードにより送信されたＲＲＣ接続設定完了メッセージを受信してＲＲＣ接続を前記第１のアンカノード及び前記ＵＥに対して設定するステップであって、前記ＲＲＣ接続設定完了メッセージとは、前記ＵＥが前記ＲＲＣ接続設定メッセージを受信した後に、前記ＵＥにより前記第１のサービングノードに送信される前記ＲＲＣ接続設定完了メッセージのことである、ステップとを含む、請求項４４に記載の方法。
【請求項４９】
当該方法がさらに、
前記第１のアンカノードにより、前記第１のサービングノードにより送信されたベアラ追加／修正確認メッセージを受信するステップであって、前記ベアラ追加／修正確認メッセージとは、前記第１のアンカノードがベアラ追加／修正要求メッセージを前記第１のサービングノードへ送信した後に、前記ベアラ追加／修正要求メッセージに応じて前記第１のサービングノードにより生成される前記ベアラ追加／修正確認メッセージのことである、ステップと、
前記第１のアンカノードにより、ＲＲＣ接続再構成メッセージを前記第１のサービングノードへ送信し、それにより、前記第１のサービングノードが前記ＲＲＣ接続再構成メッセージをＵＥへ送信する、ステップと、
前記第１のアンカノードにより、前記第１のサービングノードにより送信されたＲＲＣ接続再構成完了メッセージを受信するステップであって、前記ＲＲＣ接続再構成完了メッセージは、前記ＵＥが前記ＲＲＣ接続再構成メッセージを受信した後に、前記ＵＥにより前記第１のサービングノードに送信される、ステップと、前記第１のアンカノードにより、前記ＲＲＣ接続再構成完了メッセージに応じてベアラ追加／修正完了メッセージを前記第１のサービングノードへ送信するステップとを含む、請求項４４に記載の方法。
【請求項５０】
当該方法がさらに、
前記第１のアンカノードにより、ＲＲＣ接続再構成メッセージを前記第１のサービングノードへ送信するステップであって、前記ＲＲＣ接続再構成メッセージは、前記第１のアンカノードが、ベアラ追加／修正要求メッセージを前記第１のサービングノードへ送信し、前記第１のサービングノードにより送信されたベアラ追加／修正確認メッセージを受信した後に、前記第１のアンカノードにより前記第１のサービングノードに送信される、ステップと、
前記第１のアンカノードにより、前記第１のサービングノードにより送信されたＲＲＣ接続再構成完了メッセージを受信するステップであって、前記ＲＲＣ接続再構成完了メッセージとは、前記第１のサービングノードが、前記第１のアンカノードにより送信された前記ＲＲＣ接続再構成メッセージを受信し、前記ＲＲＣ接続再構成メッセージをＵＥへ送信した後に、前記ＵＥにより送信され前記第１のサービングノードにより受信される前記ＲＲＣ接続再構成完了メッセージのことである、ステップと、
前記第１のアンカノードにより、ベアラ追加／修正完了メッセージを前記第１のサービングノードへ送信するステップとを含む、請求項４３に記載の方法。
【請求項５１】
当該方法がさらに、
前記第１のアンカノードにより、ＲＲＣ接続再構成メッセージを前記第１のサービングノードへ送信し、それにより、前記第１のサービングノードが前記ＲＲＣ接続再構成メッセージをＵＥへ送信する、ステップであって、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ステップを含む、請求項４３に記載の方法。
【請求項５２】
当該方法がさらに、
前記第１のアンカノードにより、前記第１のサービングノードにより送信されたＲＲＣ接続再設定要求メッセージを受信するステップであって、前記ＲＲＣ接続再設定要求メッセージとは、ＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記ＵＥにより前記第１のサービングノードに送信される前記ＲＲＣ接続再設定要求メッセージのことである、ステップと、
前記第１のアンカノードにより、ＲＲＣ接続再設定メッセージを前記第１のサービングノードへ送信し、それにより、前記第１のサービングノードが前記ＲＲＣ接続再設定メッセージを前記ＵＥへ送信する、ステップと、
前記第１のアンカノードにより、前記第１のサービングノードにより送信されたＲＲＣ接続再設定完了メッセージを受信してＲＲＣ接続を前記第１のアンカノード及び前記ＵＥに対して設定するステップであって、前記ＲＲＣ接続再設定完了メッセージとは、前記ＵＥにより送信され前記第１のサービングノードにより受信される前記ＲＲＣ接続再設定完了メッセージのことである、ステップとを含む、請求項４３に記載の方法。
【請求項５３】
無線リソース制御ＲＲＣメッセージ処理システムであって、前記システムは、第１のサービングノード及び第１のアンカーノードを含み、前記第１のサービングノードは前記第１のアンカーノードへの接続を設定し、前記第１のアンカーノードはモビリティ管理エンティティへの接続を設定し、
前記第１のサービングノードは、請求項１乃至１４のいずれか一項に記載のＲＲＣメッセージ処理装置を含み、
前記第１のアンカーノードは、請求項１５乃至２５のいずれか一項に記載のＲＲＣメッセージ処理装置を含む、システム。
【請求項５４】
コンピュータに請求項２８乃至５２のいずれか一項に記載の方法を実行させるコンピュータプログラム。
【発明の詳細な説明】
【技術分野】
【０００１】
本発明は、モバイル通信の分野に関し、詳細には無線リソース制御ＲＲＣメッセージ処理方法、装置、及びシステムに関する。
【背景技術】
【０００２】
ユーザ機器（ＵＥ，Ｕｓｅｒ  Ｅｑｕｉｐｍｅｎｔ）の数量の増大により、既存の無線通信システムではユーザの無線通信要求を満たすことができない。したがって、無線通信システムのシステム容量を増大させることが緊急に必要とされている。システム容量は、基地局を追加することによって増やすことができる。通常、多くの小さなセルが１つのマクロセル内に密に配置されて、より多くのマイクロセルを形成する。しかし、ほとんどのＵＥが基地局に接続され、この基地局が無線通信サービスをＵＥに提供する。説明を簡単にするために、無線通信サービスをＵＥに提供するネットワークデバイスをＵＥのサービングノードと呼び、このサービングノードは、具体的には基地局とすることができる。
【０００３】
従来技術では、ＵＥが１つのセルから別のセルにハンドオーバされるとき、又はＵＥが１つの基地局のカバレッジエリアから別の基地局のカバレッジエリアにハンドオーバされるとき、又はＵＥが無線リンク障害（ＲＬＦ，Ｒａｄｉｏ  Ｌｉｎｋ  Ｆａｉｌｕｒｅ）を発見したとき、サービングノードハンドオーバ（serving  node  handover）がそのＵＥに対して行われる。すなわち、ＵＥのサービングノードは、ある基地局から別の基地局へ変更される。サービングノードとモビリティ管理エンティティ（ＭＭＥ，Ｍｏｂｉｌｉｔｙ  ｍａｎａｇｅｍｅｎｔ  ｅｎｔｉｔｙ）が制御プレーンインタフェースを使用して接続されているとともに、サービングノードとサービングゲートウェイ（ＳＧＷ，Ｓｅｒｖｉｎｇ  Ｇａｔｅｗａｙ）がユーザプレーンインタフェースを使用して接続されているので、サービングノードハンドオーバがＵＥに対して行われた後には、サービングノードとＭＭＥとの間のＳ１制御プレーン接続を更新するためにシグナリングが新しいサービングノードとＭＭＥとの間で送信される必要があり、シグナリングはまた、サービングノードとＳＧＷとの間のＳ１ユーザプレーン接続を更新するためにＭＭＥとＳＧＷとの間で送信される必要もある。したがって、各ハンドオーバ処理は、少なくとも４つのメッセージをもたらす。基地局数の配置密度が増大すると、ハンドオーバ数が急激に増大し、その結果、コアネットワークのシグナリング負荷が急激に増大する。加えて、各サービングノードとＭＭＥが、制御プレーンインタフェースを使用して接続される。ＭＭＥが送信されるべきページングメッセージを有しているとき、そのＭＭＥはページングメッセージを、ページングメッセージに対応するトラッキングエリア（ＴＡ，ｔｒａｃｋｉｎｇ  ａｒｅａ）区域内のすべての基地局に送信する。その結果、コアネットワークのシグナリング負荷が急激に増大する。
【発明の概要】
【０００４】
本発明の実施形態は、コアネットワークのシグナリング負荷を効果的に低減するためのＲＲＣメッセージ処理方法、装置、及びシステムを提供する。
【０００５】
第１の態様ではＲＲＣメッセージ処理システムが提供され、当該システムは、第１のサービングノード、第１のアンカノード、及びモビリティ管理エンティティＭＭＥを含み、前記第１のサービングノードが前記第１のアンカノードへの接続を設定し、前記第１のアンカノードが前記ＭＭＥへの接続を設定し、
前記第１のサービングノードが、シグナリング無線ベアラＳＲＢ１によって搬送される無線リソース制御ＲＲＣメッセージ又はＳＲＢ２によって搬送されるＲＲＣメッセージを含む、第１のユーザ機器ＵＥにより送信されたＲＲＣメッセージを受信し、該ＲＲＣメッセージを前記第１のアンカノードへ送信するように構成され、
前記第１のアンカノードが、第１のパケットデータコンバージェンスプロトコルＰＤＣＰ層エンティティを使用して、前記ＳＲＢ１によって搬送された前記ＲＲＣメッセージを処理し、次に処理されたメッセージをＲＲＣ層エンティティへ送信するように、又は、第２のＰＤＣＰ層エンティティを使用して、前記ＳＲＢ２によって搬送された前記ＲＲＣメッセージを処理し、次に処理されたメッセージを前記ＲＲＣ層エンティティへ送信するように構成される。
【０００６】
第２の態様ではＲＲＣメッセージ処理装置が提供され、当該装置はサービングノードに配置され、第１のサービングノードは第１のアンカノードへの接続を設定し、前記第１のアンカノードはモビリティ管理エンティティＭＭＥへの接続を設定し、
当該装置は、
第１のユーザ機器ＵＥにより送信されたＲＲＣメッセージを受信し、ここで、前記ＲＲＣメッセージがシグナリング無線ベアラＳＲＢ１によって搬送されるＲＲＣメッセージ又はＳＲＢ２によって搬送されるＲＲＣメッセージを含む、ように構成される受信ユニットと、
前記受信ユニットにより受信された前記ＲＲＣメッセージを前記第１のアンカノードへ送信し、それにより、前記第１のアンカノードの第１のパケットデータコンバージェンスプロトコルＰＤＣＰ層エンティティが、前記ＳＲＢ１によって搬送された前記ＲＲＣメッセージを処理し、次に処理されたメッセージを前記第１のアンカノードのＲＲＣ層エンティティへ送信するか、又は、前記第１のアンカノードの第２のＰＤＣＰ層エンティティが、前記ＳＲＢ２によって搬送された前記ＲＲＣメッセージを処理し、次に処理されたメッセージを前記第１のアンカノードのＲＲＣ層エンティティへ送信する、ように構成される送信ユニットとを含む。
【０００７】
第２の態様に関して、第２の態様の第１の実現方式では、前記受信ユニットがさらに、前記第１のアンカノードにより送信されたＲＲＣメッセージを受信するように構成され、前記ＲＲＣメッセージが、ＳＲＢ１によって搬送されるＲＲＣメッセージ又はＳＲＢ２によって搬送されるＲＲＣメッセージを含み、当該装置がさらに、
前記第１のサービングノードの第１の無線リンク制御ＲＬＣ層エンティティを使用して、前記ＳＲＢ１によって搬送された前記ＲＲＣメッセージを処理し、それにより、前記送信ユニットが処理されたメッセージを前記第１のＵＥへ送信する、ように構成される第１の処理ユニットと、
前記第１のサービングノードの第２のＲＬＣ層エンティティを使用して、前記ＳＲＢ２によって搬送された前記ＲＲＣメッセージを処理し、それにより、前記送信ユニットが処理されたメッセージを前記第１のＵＥへ送信する、ように構成される第２の処理ユニットとを含む。
【０００８】
第２の態様、又は第２の態様の第１の実現方式に関して、第２の態様の第２の実現方式では、当該装置がさらに、
前記第１のサービングノードのＲＲＣ層エンティティを使用して、ＳＲＢ０によって搬送されるＲＲＣメッセージを生成し、それにより、前記送信ユニットが前記ＳＲＢ０によって搬送される前記ＲＲＣメッセージを前記第１のＵＥ及び／又は前記第１のアンカノードへ送信する、ように構成されるメッセージ生成ユニットを含む。
【０００９】
第２の態様、又は第２の態様の第１の実現方式に関して、第２の態様の第３の実現方式では、前記ＲＲＣメッセージがさらに、ＳＲＢ０によって搬送されるＲＲＣメッセージを含み、前記送信ユニットがさらに、第１の表示情報を前記第１のアンカノードへ送信し、ここで、前記第１の表示情報が前記第１のアンカノードにより使用されて前記第１の表示情報により前記ＲＲＣメッセージが前記ＳＲＢ０によって搬送された前記ＲＲＣメッセージであることが識別され、また前記第１のアンカノードの前記ＲＲＣ層エンティティを使用して処理が行われる、ように構成され、前記受信ユニットがさらに、前記第１のアンカノードにより送信された第１の表示情報を受信し、ここで、前記第１の表示情報が前記第１のサービングノードにより使用されて前記第１の表示情報により前記ＲＲＣメッセージが前記ＳＲＢ０によって搬送された前記ＲＲＣメッセージであることが識別され、また前記第１のサービングノードのＲＲＣ層エンティティを使用して処理が行われる、ように構成される。
【００１０】
第２の態様、又は第２の態様の第１の実現方式に関して、第２の態様の第４の実現方式では、前記送信ユニットがさらに、第２の表示情報を前記第１のアンカノードへ送信し、ここで、前記第２の表示情報が前記第１のアンカノードにより使用されて前記第２の表示情報により前記ＲＲＣメッセージが前記ＳＲＢ１によって搬送された前記ＲＲＣメッセージであることが識別される、ように構成され、前記受信ユニットがさらに、前記第１のアンカノードにより送信された第２の表示情報を受信し、ここで、前記第２の表示情報が前記第１のサービングノードにより使用されて前記第２の表示情報により前記ＲＲＣメッセージが前記ＳＲＢ１によって搬送された前記ＲＲＣメッセージであることが識別される、ように構成される。
【００１１】
第２の態様、又は第２の態様の第１の実現方式に関して、第２の態様の第５の実現方式では、前記送信ユニットがさらに、第３の表示情報を前記第１のアンカノードへ送信し、ここで、前記第３の表示情報が前記第１のアンカノードにより使用されて前記第３の表示情報により前記ＲＲＣメッセージが前記ＳＲＢ２によって搬送された前記ＲＲＣメッセージであることが識別される、ように構成され、前記受信ユニットがさらに、前記第１のアンカノードにより送信された前記第３の表示情報を受信し、ここで、前記第３の表示情報が前記第１のサービングノードにより使用されて前記第３の表示情報により前記ＲＲＣメッセージが前記ＳＲＢ２によって搬送された前記ＲＲＣメッセージであることが識別される、ように構成される。
【００１２】
第２の態様に関して、第２の態様の第６の実現方式では、当該装置がさらに、前記送信ユニットが前記ＲＲＣメッセージを前記第１のアンカノードへ送信する前に、前記第１のサービングノードの第１のＲＬＣ層エンティティを使用して、前記ＳＲＢ１によって搬送された前記ＲＲＣメッセージを処理するように構成される第１の処理ユニットと、
前記送信ユニットが前記ＲＲＣメッセージを前記第１のアンカノードへ送信する前に、前記第１のサービングノードの第２のＲＬＣ層エンティティを使用して、前記ＳＲＢ２によって搬送された前記ＲＲＣメッセージを処理するように構成される第２の処理ユニットとを含む。
【００１３】
第２の態様の第１の実現方式に関して、第２の態様の第７の実現方式では、前記送信ユニットが、前記第１の処理ユニットによって処理された前記ＲＲＣメッセージを前記第１のＵＥへメディアアクセス制御ＭＡＣ層及び物理層を使用して送信するように、又は、前記第２の処理ユニットによって処理された前記ＲＲＣメッセージを前記第１のＵＥへＭＡＣ層及び物理層を使用して送信するように構成される。
【００１４】
第２の態様の第１の実現方式に関して、第２の態様の第８の実現方式では、前記送信ユニットが、前記第１の処理ユニットによって処理された前記ＲＲＣメッセージを前記第１のＵＥへ送信し、それにより、前記第１のＵＥの第１のＰＤＣＰ層エンティティが、前記ＳＲＢ１によって搬送された前記ＲＲＣメッセージを処理し、次に前記の処理されたメッセージをＲＲＣ層エンティティへ送信するか、又は、前記第２の処理ユニットによって処理された前記ＲＲＣメッセージを前記第１のＵＥへ送信し、それにより、前記第１のＵＥの第２のＰＤＣＰ層エンティティが、前記ＳＲＢ２によって搬送された前記ＲＲＣメッセージを処理し、次に前記の処理されたメッセージを前記ＲＲＣ層エンティティへ送信するように構成される。
【００１５】
第２の態様の第１の実現方式に関して、第２の態様の第９の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続要求メッセージ又はＲＲＣ接続設定メッセージであり、前記ＳＲＢ１によって搬送される前記ＲＲＣメッセージが、ＲＲＣ接続設定完了メッセージであり、
前記受信ユニットが、前記第１のＵＥにより送信された前記ＲＲＣ接続要求メッセージを受信し、ここで、前記ＲＲＣ接続要求メッセージとは、前記第１のＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより前記第１のサービングノードに送信される前記ＲＲＣ接続要求メッセージのことである、ように構成され、
前記送信ユニットが、前記受信ユニットにより受信された前記ＲＲＣ接続要求メッセージを前記第１のアンカノードへ転送するように構成され、
前記受信ユニットがさらに、前記第１のアンカノードにより送信された前記ＲＲＣ接続設定メッセージを受信し、ここで、前記ＲＲＣ接続設定メッセージとは、前記の受信されたＲＲＣ接続要求メッセージに応じて前記第１のアンカノードにより生成される前記ＲＲＣ接続設定メッセージのことである、ように構成され、
前記送信ユニットがさらに、前記受信ユニットにより受信された前記ＲＲＣ接続設定メッセージを前記第１のＵＥへ送信するように構成され、
前記受信ユニットがさらに、前記第１のＵＥにより送信された前記ＲＲＣ接続設定完了メッセージを受信するように構成され、
前記送信ユニットがさらに、前記受信ユニットにより受信された前記ＲＲＣ接続設定完了メッセージを前記第１のアンカノードへ送信してＲＲＣ接続を前記第１のアンカノード及び前記第１のＵＥに対して設定するように構成される。
【００１６】
第２の態様の第１の実現方式に関して、第２の態様の第１０の実現方式では、前記ＳＲＢ１によって搬送される前記ＲＲＣメッセージが、ＲＲＣ接続再構成メッセージ又はＲＲＣ接続再構成完了メッセージであり、
前記送信ユニットが、ベアラ追加／修正確認メッセージを前記第１のアンカノードへ送信し、ここで、前記ベアラ追加／修正確認メッセージとは、前記第１のサービングノードが前記第１のアンカノードにより送信されたベアラ追加／修正要求メッセージを受信した後に、前記ベアラ追加／修正要求メッセージに応じて前記第１のサービングノードにより生成される前記ベアラ追加／修正確認メッセージのことである、ように構成され、
前記受信ユニットが、前記第１のアンカノードにより送信された前記ＲＲＣ接続再構成メッセージを受信するように構成され、
前記送信ユニットがさらに、前記受信ユニットにより受信された前記ＲＲＣ接続再構成メッセージを前記第１のＵＥへ送信するように構成され、
前記受信ユニットがさらに、前記第１のＵＥにより送信された前記ＲＲＣ接続再構成完了メッセージを受信するように構成され、
前記送信ユニットがさらに、前記受信ユニットにより受信された前記ＲＲＣ接続再構成完了メッセージを前記第１のアンカノードへ送信し、それにより、前記第１のアンカノードが前記ＲＲＣ接続再構成完了メッセージに応じてベアラ追加／修正完了メッセージを前記第１のサービングノードへ送信する、ように構成される。
【００１７】
第２の態様の第１の実現方式に関して、第２の態様の第１１の実現方式では、前記ＳＲＢ１によって搬送される前記ＲＲＣメッセージが、ＲＲＣ接続再構成メッセージ又はＲＲＣ接続再構成完了メッセージであり、
前記受信ユニットが、前記第１のアンカノードにより送信された前記ＲＲＣ接続再構成メッセージを受信し、ここで、前記ＲＲＣ接続再構成メッセージとは、前記第１のサービングノードが、前記第１のアンカノードにより送信されたベアラ追加／修正要求メッセージを受信し、ベアラ追加／修正確認メッセージを前記第１のアンカノードへ送信した後に、前記第１のアンカノードにより送信される前記ＲＲＣ接続再構成メッセージのことである、ように構成され、
前記送信ユニットが、前記受信ユニットにより受信された前記ＲＲＣ接続再構成メッセージを前記第１のＵＥへ送信するように構成され、
前記受信ユニットがさらに、前記第１のＵＥにより送信された前記ＲＲＣ接続再構成完了メッセージを受信するように構成され、
前記送信ユニットがさらに、前記受信ユニットにより受信された前記ＲＲＣ接続再構成完了メッセージを前記第１のアンカノードへ送信するように構成され、
前記受信ユニットがさらに、前記第１のアンカノードにより送信されたベアラ追加／修正完了メッセージを受信するように構成される。
【００１８】
第２の態様の第１の実現方式に関して、第２の態様の第１２の実現方式では、前記ＳＲＢ１によって搬送される前記ＲＲＣメッセージが、ＲＲＣ接続再構成メッセージであり、
前記受信ユニットが、前記第１のアンカノードにより送信された前記ＲＲＣ接続再構成メッセージを受信し、ここで、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ように構成され、
前記送信ユニットが、前記受信ユニットにより受信された前記ＲＲＣ接続再構成メッセージを前記第１のＵＥへ送信するように構成される。
【００１９】
第２の態様の第１の実現方式に関して、第２の態様の第１３の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続再設定要求メッセージ又はＲＲＣ接続再設定メッセージであり、前記ＳＲＢ１によって搬送される前記ＲＲＣメッセージが、ＲＲＣ接続再設定完了メッセージであり、
前記受信ユニットが、前記第１のＵＥにより送信された前記ＲＲＣ接続再設定要求メッセージを受信し、ここで、前記ＲＲＣ接続再設定要求メッセージとは、前記第１のＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより送信される前記ＲＲＣ接続再設定要求メッセージのことである、ように構成され、
前記送信ユニットが、前記受信ユニットにより受信された前記ＲＲＣ接続再設定要求メッセージを前記第１のアンカノードへ送信するように構成され、
前記受信ユニットがさらに、前記第１のアンカノードにより送信された前記ＲＲＣ接続再設定メッセージを受信するように構成され、
前記送信ユニットがさらに、前記受信ユニットにより受信された前記ＲＲＣ接続再設定メッセージを前記第１のＵＥへ送信するように構成され、
前記受信ユニットがさらに、前記第１のＵＥにより送信された前記ＲＲＣ接続再設定完了メッセージを受信するように構成され、
前記送信ユニットがさらに、前記受信ユニットにより受信された前記ＲＲＣ接続再設定完了メッセージを前記第１のアンカノードへ送信してＲＲＣ接続を前記第１のアンカノード及び前記第１のＵＥに対して設定する、ように構成される。
【００２０】
第３の態様ではＲＲＣメッセージ処理装置が提供され、当該装置はアンカノードに配置され、第１のサービングノードは第１のアンカノードへの接続を設定し、前記第１のアンカノードはモビリティ管理エンティティＭＭＥへの接続を設定し、当該装置は、
無線リソース制御ＲＲＣメッセージを前記第１のサービングノードへ送信し、ここで、前記ＲＲＣメッセージがシグナリング無線ベアラＳＲＢ１によって搬送されるＲＲＣメッセージ又はＳＲＢ２によって搬送されるＲＲＣメッセージを含む、ように構成される送信ユニットを含む。
【００２１】
第３の態様に関して、第３の態様の第１の実現方式では、当該装置がさらに、
前記第１のサービングノードにより送信されたＲＲＣメッセージを受信するように構成される受信ユニットと、
前記第１のアンカノードの第１のパケットデータコンバージェンスプロトコルＰＤＣＰ層エンティティを使用して、ＳＲＢ１によって搬送され前記受信ユニットにより受信されたＲＲＣメッセージを処理し、次に処理されたメッセージを前記第１のアンカノードのＲＲＣ層エンティティへ送信するように構成される第１のパケットデータ処理ユニットと、
前記第１のアンカノードの第２のＰＤＣＰ層エンティティを使用して、ＳＲＢ２によって搬送され前記受信ユニットにより受信されたＲＲＣメッセージを処理し、次に処理されたメッセージを前記第１のアンカノードの前記ＲＲＣ層エンティティへ送信するように構成される第２のパケットデータ処理ユニットとを含む。
【００２２】
第３の態様、又は第３の態様の第１の実現方式に関して、第３の態様の第２の実現方式では、当該装置がさらに、
前記第１のアンカノードのＲＲＣ層エンティティを使用して、前記ＳＲＢ１によって搬送される前記ＲＲＣメッセージ、又は前記ＳＲＢ２によって搬送される前記ＲＲＣメッセージを生成するように構成される第１のメッセージ生成ユニットを含み、
前記送信ユニットが、前記ＳＲＢ１によって搬送されるとともに前記第１のメッセージ生成ユニットで生成される前記ＲＲＣメッセージ、又は前記ＳＲＢ２によって搬送されるとともに前記第１のメッセージ生成ユニットで生成される前記ＲＲＣメッセージを、前記第１のサービングノードへ送信するように構成される。
【００２３】
第３の態様の第１の実現方式に関して、第３の態様の第３の実現方式では、前記ＲＲＣメッセージがさらに、ＳＲＢ０によって搬送されるＲＲＣメッセージを含み、前記受信ユニットがさらに、前記第１のサービングノードにより送信された第１の表示情報を受信するように構成され、
当該装置がさらに、
前記受信ユニットにより受信された前記第１の表示情報により前記ＲＲＣメッセージが前記ＳＲＢ０によって搬送された前記ＲＲＣメッセージであることを識別するように、また前記第１のアンカノードの前記ＲＲＣ層エンティティを使用して処理を行うように構成される識別ユニットを含み、
前記送信ユニットがさらに、第１の表示情報を前記第１のサービングノードへ送信し、ここで、前記第１の表示情報が前記第１のサービングノードにより使用されて前記第１の表示情報により前記ＲＲＣメッセージが前記ＳＲＢ０によって搬送された前記ＲＲＣメッセージであることが識別され、また前記第１のサービングノードのＲＲＣ層エンティティを使用して処理が行われる、ように構成される。
【００２４】
第３の態様の第１の実現方式に関して、第３の態様の第４の実現方式では、前記受信ユニットがさらに、前記第１のサービングノードにより送信された第２の表示情報を受信するように構成され、
当該装置がさらに、
前記受信ユニットにより受信された前記第２の表示情報により前記ＲＲＣメッセージが前記ＳＲＢ１によって搬送された前記ＲＲＣメッセージであることを識別するように構成される識別ユニットを含み、
前記送信ユニットがさらに、第２の表示情報を前記第１のサービングノードへ送信し、ここで、前記第２の表示情報が前記第１のサービングノードにより使用されて前記第２の表示情報により前記ＲＲＣメッセージが前記ＳＲＢ１によって搬送された前記ＲＲＣメッセージであることが識別される、ように構成される。
【００２５】
第３の態様の第１の実現方式に関して、第３の態様の第５の実現方式では、前記受信ユニットがさらに、前記第１のサービングノードにより送信された第３の表示情報を受信するように構成され、
当該装置がさらに、
前記受信ユニットにより受信された前記第３の表示情報により前記ＲＲＣメッセージが前記ＳＲＢ２によって搬送された前記ＲＲＣメッセージであることを識別するように構成される識別ユニットを含み、
前記送信ユニットがさらに、第３の表示情報を前記第１のサービングノードへ送信し、ここで、前記第３の表示情報が前記第１のサービングノードにより使用されて前記第３の表示情報により前記ＲＲＣメッセージが前記ＳＲＢ２によって搬送された前記ＲＲＣメッセージであることが識別される、ように構成される。
【００２６】
第３の態様の第１の実現方式に関して、第３の態様の第６の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続要求メッセージ又はＲＲＣ接続設定メッセージであり、前記ＳＲＢ１によって搬送される前記ＲＲＣメッセージが、ＲＲＣ接続設定完了メッセージであり、
前記受信ユニットが、前記第１のサービングノードによって転送された前記ＲＲＣ接続要求メッセージを受信し、ここで、前記ＲＲＣ接続要求メッセージとは、第１のＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより前記第１のサービングノードに送信される前記ＲＲＣ接続要求メッセージのことである、ように構成され、
当該装置がさらに、
前記受信ユニットにより受信された前記ＲＲＣ接続要求メッセージに応じて前記ＲＲＣ接続設定メッセージを生成するように構成される第２のメッセージ生成ユニットを含み、
前記送信ユニットが、前記第２のメッセージ生成ユニットで生成された前記ＲＲＣ接続設定メッセージを前記第１のサービングノードへ送信し、それにより、前記第１のサービングノードが前記ＲＲＣ接続設定メッセージを前記第１のＵＥへ送信する、ように構成され、
前記受信ユニットがさらに、前記第１のサービングノードにより送信された前記ＲＲＣ接続設定完了メッセージを受信してＲＲＣ接続を前記第１のアンカノード及び前記第１のＵＥに対して設定し、ここで、前記ＲＲＣ接続設定完了メッセージとは、前記第１のＵＥが前記ＲＲＣ接続設定メッセージを受信した後に、前記第１のＵＥにより前記第１のサービングノードに送信される前記ＲＲＣ接続設定完了メッセージのことである、ように構成される。
【００２７】
第３の態様の第１の実現方式に関して、第３の態様の第７の実現方式では、前記ＳＲＢ１によって搬送される前記ＲＲＣメッセージが、ＲＲＣ接続再構成メッセージ又はＲＲＣ接続再構成完了メッセージであり、
前記受信ユニットが、前記第１のサービングノードにより送信されたベアラ追加／修正確認メッセージを受信し、ここで、前記ベアラ追加／修正確認メッセージとは、前記第１のアンカノードがベアラ追加／修正要求メッセージを前記第１のサービングノードへ送信した後に、前記ベアラ追加／修正要求メッセージに応じて前記第１のサービングノードにより生成される前記ベアラ追加／修正確認メッセージのことである、ように構成され、
前記送信ユニットが、前記ＲＲＣ接続再構成メッセージを前記第１のサービングノードへ送信し、それにより、前記第１のサービングノードが前記ＲＲＣ接続再構成メッセージを第１のＵＥへ送信する、ように構成され、
前記受信ユニットがさらに、前記第１のサービングノードにより送信された前記ＲＲＣ接続再構成完了メッセージを受信し、ここで、前記ＲＲＣ接続再構成完了メッセージとは、前記第１のＵＥが前記ＲＲＣ接続再構成メッセージを受信した後に、前記第１のＵＥにより前記第１のサービングノードに送信される前記ＲＲＣ接続再構成完了メッセージのことであり、前記第１のアンカノードが前記ＲＲＣ接続再構成完了メッセージに応じてベアラ追加／修正完了メッセージを前記第１のサービングノードへ送信する、ように構成される。
【００２８】
第３の態様の第１の実現方式に関して、第３の態様の第８の実現方式では、前記ＳＲＢ１によって搬送される前記ＲＲＣメッセージが、ＲＲＣ接続再構成メッセージ又はＲＲＣ接続再構成完了メッセージであり、
前記送信ユニットが、前記ＲＲＣ接続再構成メッセージを前記第１のサービングノードへ送信し、ここで、前記ＲＲＣ接続再構成メッセージとは、前記第１のアンカノードが、ベアラ追加／修正要求メッセージを前記第１のサービングノードへ送信し、前記第１のサービングノードにより送信されたベアラ追加／修正確認メッセージを受信した後に、前記第１のアンカノードにより前記第１のサービングノードに送信される前記ＲＲＣ接続再構成メッセージのことである、ように構成され、
前記受信ユニットが、前記第１のサービングノードにより送信された前記ＲＲＣ接続再構成完了メッセージを受信し、ここで、前記ＲＲＣ接続再構成完了メッセージとは、前記第１のサービングノードが、前記第１のアンカノードにより送信された前記ＲＲＣ接続再構成メッセージを受信し、前記ＲＲＣ接続再構成メッセージを第１のＵＥへ送信した後に、前記第１のＵＥにより送信され前記第１のサービングノードにより受信される前記ＲＲＣ接続再構成完了メッセージのことである、ように構成され、
前記送信ユニットがさらに、ベアラ追加／修正完了メッセージを前記第１のサービングノードへ送信するように構成される。
【００２９】
第３の態様の第１の実現方式に関して、第３の態様の第９の実現方式では、前記ＳＲＢ１によって搬送される前記ＲＲＣメッセージが、ＲＲＣ接続再構成メッセージであり、
前記送信ユニットが、前記ＲＲＣ接続再構成メッセージを前記第１のサービングノードへ送信し、それにより、前記第１のサービングノードが前記ＲＲＣ接続再構成メッセージを第１のＵＥへ送信し、ここで、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ように構成される。
【００３０】
第３の態様の第１の実現方式に関して、第３の態様の第１０の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続再設定要求メッセージ又はＲＲＣ接続再設定メッセージであり、前記ＳＲＢ１によって搬送される前記ＲＲＣメッセージが、ＲＲＣ接続再設定完了メッセージであり、
前記受信ユニットが、前記第１のサービングノードにより送信された前記ＲＲＣ接続再設定要求メッセージを受信し、ここで、前記ＲＲＣ接続再設定要求メッセージとは、第１のＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより前記第１のサービングノードに送信される前記ＲＲＣ接続再設定要求メッセージのことである、ように構成され、
前記送信ユニットが、前記ＲＲＣ接続再設定メッセージを前記第１のサービングノードへ送信し、それにより、前記第１のサービングノードが前記ＲＲＣ接続再設定メッセージを前記第１のＵＥへ送信する、ように構成され、
前記受信ユニットがさらに、前記第１のサービングノードにより送信された前記ＲＲＣ接続再設定完了メッセージを受信してＲＲＣ接続を前記第１のアンカノード及び前記第１のＵＥに対して設定し、ここで、前記ＲＲＣ接続再設定完了メッセージとは、前記第１のＵＥにより送信され前記第１のサービングノードにより受信される前記ＲＲＣ接続再設定完了メッセージのことである、ように構成される。
【００３１】
第４の態様ではサービングノードが提供され、当該サービングノードは第１のアンカノードへの接続を設定し、前記第１のアンカノードはモビリティ管理エンティティＭＭＥへの接続を設定し、
当該サービングノードは送信機及び受信機を含み、
前記受信機が、第１のユーザ機器ＵＥにより送信された無線リソース制御ＲＲＣメッセージを受信し、ここで、前記ＲＲＣメッセージがシグナリング無線ベアラＳＲＢ１によって搬送されるＲＲＣメッセージ又はＳＲＢ２によって搬送されるＲＲＣメッセージを含む、ように構成され、
前記送信機が、前記受信機により受信された前記ＲＲＣメッセージを前記第１のアンカノードへ送信し、それにより、前記第１のアンカノードの第１のパケットデータコンバージェンスプロトコルＰＤＣＰ層エンティティが、前記ＳＲＢ１によって搬送された前記ＲＲＣメッセージを処理し、次に処理されたメッセージを前記第１のアンカノードのＲＲＣ層エンティティへ送信するか、又は、前記第１のアンカノードの第２のＰＤＣＰ層エンティティが、前記ＳＲＢ２によって搬送された前記ＲＲＣメッセージを処理し、次に処理されたメッセージを前記第１のアンカノードのＲＲＣ層エンティティへ送信する、ように構成される。
【００３２】
第５の態様ではアンカノードが提供され、第１のサービングノードは当該アンカノードへの接続を設定し、当該アンカノードはモビリティ管理エンティティＭＭＥへの接続を設定し、当該アンカノードは送信機を含み、
前記送信機が、無線リソース制御ＲＲＣメッセージを前記第１のサービングノードへ送信し、ここで、前記ＲＲＣメッセージがシグナリング無線ベアラＳＲＢ１によって搬送されるＲＲＣメッセージ又はＳＲＢ２によって搬送されるＲＲＣメッセージを含む、ように構成される。
【００３３】
第６の態様ではＲＲＣメッセージ処理方法が提供され、第１のサービングノードは第１のアンカノードへの接続を設定し、前記第１のアンカノードはモビリティ管理エンティティＭＭＥへの接続を設定し、
当該方法は、
前記第１のサービングノードにより、第１のユーザ機器ＵＥにより送信された無線リソース制御ＲＲＣメッセージを受信するステップであって、前記ＲＲＣメッセージがシグナリング無線ベアラＳＲＢ１によって搬送されるＲＲＣメッセージ又はＳＲＢ２によって搬送されるＲＲＣメッセージを含む、ステップと、
前記第１のサービングノードにより、前記ＲＲＣメッセージを前記第１のアンカノードへ送信し、それにより、前記第１のアンカノードの第１のパケットデータコンバージェンスプロトコルＰＤＣＰ層エンティティが、前記ＳＲＢ１によって搬送された前記ＲＲＣメッセージを処理し、次に処理されたメッセージを前記第１のアンカノードのＲＲＣ層エンティティへ送信するか、又は、前記第１のアンカノードの第２のＰＤＣＰ層エンティティが、前記ＳＲＢ２によって搬送された前記ＲＲＣメッセージを処理し、次に処理されたメッセージを前記第１のアンカノードのＲＲＣ層エンティティへ送信する、ステップとを含む。
【００３４】
第６の態様に関して、第６の態様の第１の実現方式では、当該方法がさらに、
前記第１のサービングノードにより、前記第１のアンカノードにより送信されたＲＲＣメッセージを受信するステップであって、前記ＲＲＣメッセージがＳＲＢ１によって搬送されるＲＲＣメッセージ又はＳＲＢ２によって搬送されるＲＲＣメッセージを含む、ステップと、
前記第１のサービングノードの第１の無線リンク制御ＲＬＣ層エンティティにより、前記ＳＲＢ１によって搬送された前記ＲＲＣメッセージを処理し、次に処理されたメッセージを前記第１のＵＥへ送信するか、又は、前記第１のサービングノードの第２のＲＬＣ層エンティティにより、前記ＳＲＢ２によって搬送された前記ＲＲＣメッセージを処理し、次に処理されたメッセージを前記第１のＵＥへ送信するステップとを含む。
【００３５】
第６の態様、又は第６の態様の第１の実現方式に関して、第６の態様の第２の実現方式では、当該方法がさらに、前記第１のサービングノードのＲＲＣ層エンティティにより、ＳＲＢ０によって搬送されるＲＲＣメッセージを生成し、前記ＳＲＢ０によって搬送される前記ＲＲＣメッセージを前記第１のＵＥ及び／又は前記第１のアンカノードへ送信するステップを含む。
【００３６】
第６の態様、又は第６の態様の第１の実現方式に関して、第６の態様の第３の実現方式では、前記ＲＲＣメッセージがさらに、ＳＲＢ０によって搬送されるＲＲＣメッセージを含み、当該方法がさらに、前記第１のサービングノードにより、第１の表示情報を前記第１のアンカノードへ送信するステップであって、前記第１の表示情報が前記第１のアンカノードにより使用されて前記第１の表示情報により前記ＲＲＣメッセージが前記ＳＲＢ０によって搬送された前記ＲＲＣメッセージであることが識別され、また前記第１のアンカノードの前記ＲＲＣ層エンティティを使用して処理が行われる、ステップか、又は、前記第１のサービングノードにより、前記第１のアンカノードにより送信された第１の表示情報を受信するステップであって、前記第１の表示情報が前記第１のサービングノードにより使用されて前記第１の表示情報により前記ＲＲＣメッセージが前記ＳＲＢ０によって搬送された前記ＲＲＣメッセージであることが識別され、また前記第１のサービングノードのＲＲＣ層エンティティを使用して処理が行われる、ステップを含む。
【００３７】
第６の態様、又は第６の態様の第１の実現方式に関して、第６の態様の第４の実現方式では、当該方法がさらに、前記第１のサービングノードにより、第２の表示情報を前記第１のアンカノードへ送信するステップであって、前記第２の表示情報が前記第１のアンカノードにより使用されて前記第２の表示情報により前記ＲＲＣメッセージが前記ＳＲＢ１によって搬送された前記ＲＲＣメッセージであることが識別される、ステップか、又は、前記第１のサービングノードにより、前記第１のアンカノードにより送信された第２の表示情報を受信するステップであって、前記第２の表示情報が前記第１のサービングノードにより使用されて前記第２の表示情報により前記ＲＲＣメッセージが前記ＳＲＢ１によって搬送された前記ＲＲＣメッセージであることが識別される、ステップを含む。
【００３８】
第６の態様、又は第６の態様の第１の実現方式に関して、第６の態様の第５の実現方式では、当該方法がさらに、前記第１のサービングノードにより、第３の表示情報を前記第１のアンカノードへ送信するステップであって、前記第３の表示情報が前記第１のアンカノードにより使用されて前記第３の表示情報により前記ＲＲＣメッセージが前記ＳＲＢ２によって搬送された前記ＲＲＣメッセージであることが識別される、ステップか、又は、前記第１のサービングノードにより、前記第１のアンカノードにより送信された第３の表示情報を受信するステップであって、前記第３の表示情報が前記第１のサービングノードにより使用されて前記第３の表示情報により前記ＲＲＣメッセージが前記ＳＲＢ２によって搬送された前記ＲＲＣメッセージであることが識別される、ステップを含む。
【００３９】
第６の態様に関して、第６の態様の第６の実現方式では、前記第１のサービングノードにより、前記ＲＲＣメッセージを前記第１のアンカノードへ送信する前にさらに、前記第１のサービングノードの第１のＲＬＣ層エンティティにより、前記ＳＲＢ１によって搬送された前記ＲＲＣメッセージを処理するステップか、又は、前記第１のサービングノードの第２のＲＬＣ層エンティティにより、前記ＳＲＢ２によって搬送された前記ＲＲＣメッセージを処理するステップを含む。
【００４０】
第６の態様の第１の実現方式に関して、第６の態様の第７の実現方式では、前記第１のサービングノードの第１のＲＬＣ層エンティティにより、前記ＳＲＢ１によって搬送された前記ＲＲＣメッセージを処理し、次に処理されたメッセージを前記第１のＵＥへ送信するか、又は、前記第１のサービングノードの第２のＲＬＣ層エンティティにより、前記ＳＲＢ２によって搬送された前記ＲＲＣメッセージを処理し、次に処理されたメッセージを前記第１のＵＥへ送信する前記ステップが、前記第１のサービングノードの前記第１のＲＬＣ層エンティティにより、前記ＳＲＢ１によって搬送された前記ＲＲＣメッセージを処理し、次に前記の処理されたメッセージを前記第１のＵＥへメディアアクセス制御ＭＡＣ層及び物理層を使用して送信するか、又は、前記第１のサービングノードの前記第２のＲＬＣ層エンティティにより、前記ＳＲＢ２によって搬送された前記ＲＲＣメッセージを処理し、次に前記の処理されたメッセージを前記第１のＵＥへＭＡＣ層及び物理層を使用して送信するステップを含む。
【００４１】
第６の態様の第１の実現方式に関して、第６の態様の第８の実現方式では、前記第１のサービングノードの第１のＲＬＣ層エンティティにより、前記ＳＲＢ１によって搬送された前記ＲＲＣメッセージを処理し、次に処理されたメッセージを前記第１のＵＥへ送信するか、又は、前記第１のサービングノードの第２のＲＬＣ層エンティティにより、前記ＳＲＢ２によって搬送された前記ＲＲＣメッセージを処理し、次に処理されたメッセージを前記第１のＵＥへ送信する前記ステップが、前記第１のサービングノードの前記第１のＲＬＣ層エンティティにより、前記ＳＲＢ１によって搬送された前記ＲＲＣメッセージを処理し、次に前記の処理されたメッセージを前記第１のＵＥへ送信し、それにより、前記第１のＵＥの第１のＰＤＣＰ層エンティティが、前記ＳＲＢ１によって搬送された前記ＲＲＣメッセージを処理し、次に前記の処理されたメッセージをＲＲＣ層エンティティへ送信するか、又は、前記第１のサービングノードの前記第２のＲＬＣ層エンティティにより、前記ＳＲＢ２によって搬送された前記ＲＲＣメッセージを処理し、次に前記の処理されたメッセージを前記第１のＵＥへ送信し、それにより、前記第１のＵＥの第２のＰＤＣＰ層エンティティが、前記ＳＲＢ２によって搬送された前記ＲＲＣメッセージを処理し、次に前記の処理されたメッセージを前記ＲＲＣ層エンティティへ送信する、ステップを含む。
【００４２】
第６の態様の第１の実現方式に関して、第６の態様の第９の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続要求メッセージ又はＲＲＣ接続設定メッセージであり、前記ＳＲＢ１によって搬送される前記ＲＲＣメッセージが、ＲＲＣ接続設定完了メッセージであり、
当該方法がさらに、
前記第１のサービングノードにより、前記第１のＵＥにより送信された前記ＲＲＣ接続要求メッセージを受信するステップであって、前記ＲＲＣ接続要求メッセージとは、前記第１のＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより前記第１のサービングノードに送信される前記ＲＲＣ接続要求メッセージのことである、ステップと、
前記第１のサービングノードにより、前記ＲＲＣ接続要求メッセージを前記第１のアンカノードへ転送するステップと、
前記第１のサービングノードにより、前記第１のアンカノードにより送信された前記ＲＲＣ接続設定メッセージを受信するステップであって、前記ＲＲＣ接続設定メッセージとは、前記の受信されたＲＲＣ接続要求メッセージに応じて前記第１のアンカノードにより生成される前記ＲＲＣ接続設定メッセージのことである、ステップと、
前記第１のサービングノードにより、前記ＲＲＣ接続設定メッセージを前記第１のＵＥへ送信するステップと、
前記第１のサービングノードにより、前記第１のＵＥにより送信された前記ＲＲＣ接続設定完了メッセージを受信するステップと、
前記第１のサービングノードにより、前記ＲＲＣ接続設定完了メッセージを前記第１のアンカノードへ送信してＲＲＣ接続を前記第１のアンカノード及び前記第１のＵＥに対し設定するステップとを含む。
【００４３】
第６の態様の第１の実現方式に関して、第６の態様の第１０の実現方式では、前記ＳＲＢ１によって搬送される前記ＲＲＣメッセージが、ＲＲＣ接続再構成メッセージ又はＲＲＣ接続再構成完了メッセージであり、
当該方法がさらに、
前記第１のサービングノードにより、ベアラ追加／修正確認メッセージを前記第１のアンカノードへ送信するステップであって、前記ベアラ追加／修正確認メッセージとは、前記第１のサービングノードが前記第１のアンカノードにより送信されたベアラ追加／修正要求メッセージを受信した後に、前記ベアラ追加／修正要求メッセージに応じて前記第１のサービングノードにより生成される前記ベアラ追加／修正確認メッセージのことである、ステップと、
前記第１のアンカノードにより送信された前記ＲＲＣ接続再構成メッセージを受信するステップと、
前記ＲＲＣ接続再構成メッセージを前記第１のＵＥへ送信するステップと、
前記第１のＵＥにより送信された前記ＲＲＣ接続再構成完了メッセージを受信するステップと、
前記ＲＲＣ接続再構成完了メッセージを前記第１のアンカノードへ送信し、それにより、前記第１のアンカノードが前記ＲＲＣ接続再構成完了メッセージに応じてベアラ追加／修正完了メッセージを前記第１のサービングノードへ送信する、ステップとを含む。
【００４４】
第６の態様の第１の実現方式に関して、第６の態様の第１１の実現方式では、前記ＳＲＢ１によって搬送される前記ＲＲＣメッセージが、ＲＲＣ接続再構成メッセージ又はＲＲＣ接続再構成完了メッセージであり、
当該方法がさらに、
前記第１のサービングノードにより、前記第１のアンカノードにより送信された前記ＲＲＣ接続再構成メッセージを受信するステップであって、前記ＲＲＣ接続再構成メッセージとは、前記第１のサービングノードが、前記第１のアンカノードにより送信されたベアラ追加／修正要求メッセージを受信し、ベアラ追加／修正確認メッセージを前記第１のアンカノードへ送信した後に、前記第１のアンカノードにより送信される前記ＲＲＣ接続再構成メッセージのことである、ステップと、
前記第１のサービングノードにより、前記ＲＲＣ接続再構成メッセージを前記第１のＵＥへ送信するステップと、
前記第１のサービングノードにより、前記第１のＵＥにより送信された前記ＲＲＣ接続再構成完了メッセージを受信するステップと、
前記第１のサービングノードにより、前記ＲＲＣ接続再構成完了メッセージを前記第１のアンカノードへ送信するステップと、
前記第１のサービングノードにより、前記第１のアンカノードにより送信されたベアラ追加／修正完了メッセージを受信するステップとを含む。
【００４５】
第６の態様の第１の実現方式に関して、第６の態様の第１２の実現方式では、前記ＳＲＢ１によって搬送される前記ＲＲＣメッセージが、ＲＲＣ接続再構成メッセージであり、
当該方法がさらに、
前記第１のサービングノードにより、前記第１のアンカノードにより送信された前記ＲＲＣ接続再構成メッセージを受信するステップであって、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ステップと、
前記第１のサービングノードにより、前記ＲＲＣ接続再構成メッセージを前記第１のＵＥへ送信するステップとを含む。
【００４６】
第６の態様の第１の実現方式に関して、第６の態様の第１３の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続再設定要求メッセージ又はＲＲＣ接続再設定メッセージであり、前記ＳＲＢ１によって搬送される前記ＲＲＣメッセージが、ＲＲＣ接続再設定完了メッセージであり、
当該方法がさらに、
前記第１のサービングノードにより、前記第１のＵＥにより送信された前記ＲＲＣ接続再設定要求メッセージを受信するステップであって、前記ＲＲＣ接続再設定要求メッセージとは、前記第１のＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより送信される前記ＲＲＣ接続再設定要求メッセージのことである、ステップと、
前記第１のサービングノードにより、前記ＲＲＣ接続再設定要求メッセージを前記第１のアンカノードへ送信するステップと、
前記第１のサービングノードにより、前記第１のアンカノードにより送信された前記ＲＲＣ接続再設定メッセージを受信するステップと、
前記第１のサービングノードにより、前記ＲＲＣ接続再設定メッセージを前記第１のＵＥへ送信するステップと、
前記第１のサービングノードにより、前記第１のＵＥにより送信された前記ＲＲＣ接続再設定完了メッセージを受信するステップと、
前記第１のサービングノードにより、前記ＲＲＣ接続再設定完了メッセージを前記第１のアンカノードへ送信してＲＲＣ接続を前記第１のアンカノード及び前記第１のＵＥに対して設定するステップとを含む。
【００４７】
第７の態様ではＲＲＣメッセージ処理方法が提供され、第１のサービングノードは第１のアンカノードへの接続を設定し、前記第１のアンカノードはモビリティ管理エンティティＭＭＥへの接続を設定し、当該方法は、
前記第１のアンカノードにより、無線リソース制御ＲＲＣメッセージを前記第１のサービングノードへ送信するステップであって、前記ＲＲＣメッセージがシグナリング無線ベアラＳＲＢ１によって搬送されるＲＲＣメッセージ又はＳＲＢ２によって搬送されるＲＲＣメッセージを含む、ステップを含む。
【００４８】
第７の態様に関して、第７の態様の第１の実現方式では、当該方法がさらに、
前記第１のアンカノードにより、前記第１のサービングノードにより送信されたＲＲＣメッセージを受信するステップと、前記第１のアンカノードの第１のパケットデータコンバージェンスプロトコルＰＤＣＰ層エンティティにより、前記ＳＲＢ１によって搬送されたＲＲＣメッセージを処理し、次に処理されたメッセージを前記第１のアンカノードのＲＲＣ層エンティティへ送信するか、又は、前記第１のアンカノードの第２のＰＤＣＰ層エンティティにより、前記ＳＲＢ２によって搬送されたＲＲＣメッセージを処理し、次に処理されたメッセージを前記第１のアンカノードのＲＲＣ層エンティティへ送信するステップとを含む。
【００４９】
第７の態様、又は第７の態様の第１の実現方式に関して、第７の態様の第２の実現方式では、当該方法がさらに、前記第１のアンカノードのＲＲＣ層エンティティにより、前記ＳＲＢ１によって搬送される前記ＲＲＣメッセージ、又は前記ＳＲＢ２によって搬送される前記ＲＲＣメッセージを生成し、前記ＳＲＢ１によって搬送される前記ＲＲＣメッセージ又は前記ＳＲＢ２によって搬送される前記ＲＲＣメッセージを前記第１のサービングノードへ送信するステップを含む。
【００５０】
第７の態様、又は第７の態様の第１の実現方式に関して、第７の態様の第３の実現方式では、前記ＲＲＣメッセージがさらに、ＳＲＢ０によって搬送されるＲＲＣメッセージを含み、当該方法がさらに、前記第１のアンカノードにより、前記第１のサービングノードにより送信された第１の表示情報を受信するステップであって、前記第１の表示情報が前記第１のアンカノードにより使用されて前記第１の表示情報により前記ＲＲＣメッセージが前記ＳＲＢ０によって搬送された前記ＲＲＣメッセージであることが識別され、また前記第１のアンカノードのＲＲＣ層エンティティを使用して処理が行われる、ステップか、又は、前記第１のアンカノードにより、第１の表示情報を前記第１のサービングノードへ送信するステップであって、前記第１の表示情報が前記第１のサービングノードにより使用されて前記第１の表示情報により前記ＲＲＣメッセージが前記ＳＲＢ０によって搬送された前記ＲＲＣメッセージであることが識別され、また前記第１のサービングノードのＲＲＣ層エンティティを使用して処理が行われる、ステップを含む。
【００５１】
第７の態様、又は第７の態様の第１の実現方式に関して、第７の態様の第４の実現方式では、当該方法がさらに、前記第１のアンカノードにより、前記第１のサービングノードにより送信された第２の表示情報を受信するステップであって、前記第２の表示情報が前記第１のアンカノードにより使用されて前記第２の表示情報により前記ＲＲＣメッセージが前記ＳＲＢ１によって搬送された前記ＲＲＣメッセージであることが識別される、ステップか、又は、前記第１のアンカノードにより、第２の表示情報を前記第１のサービングノードへ送信するステップであって、前記第２の表示情報が前記第１のサービングノードにより使用されて前記第２の表示情報により前記ＲＲＣメッセージが前記ＳＲＢ１によって搬送された前記ＲＲＣメッセージであることが識別される、ステップを含む。
【００５２】
第７の態様、又は第７の態様の第１の実現方式に関して、第７の態様の第５の実現方式では、当該方法がさらに、前記第１のアンカノードにより、前記第１のサービングノードにより送信された第３の表示情報を受信するステップであって、前記第３の表示情報が前記第１のアンカノードにより使用されて前記第３の表示情報により前記ＲＲＣメッセージが前記ＳＲＢ２によって搬送された前記ＲＲＣメッセージであることが識別される、ステップか、又は、前記第１のアンカノードにより、第３の表示情報を前記第１のサービングノードへ送信するステップであって、前記第３の表示情報が前記第１のサービングノードにより使用されて前記第３の表示情報により前記ＲＲＣメッセージが前記ＳＲＢ２によって搬送された前記ＲＲＣメッセージであることが識別される、ステップを含む。
【００５３】
第７の態様の第１の実現方式に関して、第７の態様の第６の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続要求メッセージ又はＲＲＣ接続設定メッセージであり、前記ＳＲＢ１によって搬送される前記ＲＲＣメッセージが、ＲＲＣ接続設定完了メッセージであり、
当該方法がさらに、
前記第１のアンカノードにより、前記第１のサービングノードによって転送された前記ＲＲＣ接続要求メッセージを受信するステップであって、前記ＲＲＣ接続要求メッセージとは、第１のＵＥが、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより前記第１のサービングノードに送信される前記ＲＲＣ接続要求メッセージのことである、ステップと、
前記第１のアンカノードにより、前記ＲＲＣ接続要求メッセージに応じて前記ＲＲＣ接続設定メッセージを生成するステップと、
前記第１のアンカノードにより、前記ＲＲＣ接続設定メッセージを前記第１のサービングノードへ送信し、それにより、前記第１のサービングノードが前記ＲＲＣ接続設定メッセージを前記第１のＵＥへ送信する、ステップと、
前記第１のアンカノードにより、前記第１のサービングノードにより送信された前記ＲＲＣ接続設定完了メッセージを受信してＲＲＣ接続を前記第１のアンカノード及び前記第１のＵＥに対して設定するステップであって、前記ＲＲＣ接続設定完了メッセージとは、前記第１のＵＥが前記ＲＲＣ接続設定メッセージを受信した後に、前記第１のＵＥにより前記第１のサービングノードに送信される前記ＲＲＣ接続設定完了メッセージのことである、ステップとを含む。
【００５４】
第７の態様の第１の実現方式に関して、第７の態様の第７の実現方式では、前記ＳＲＢ１によって搬送される前記ＲＲＣメッセージが、ＲＲＣ接続再構成メッセージ又はＲＲＣ接続再構成完了メッセージであり、
当該方法がさらに、
前記第１のアンカノードにより、前記第１のサービングノードにより送信されたベアラ追加／修正確認メッセージを受信するステップであって、前記ベアラ追加／修正確認メッセージとは、前記第１のアンカノードがベアラ追加／修正要求メッセージを前記第１のサービングノードへ送信した後に、前記ベアラ追加／修正要求メッセージに応じて前記第１のサービングノードにより生成される前記ベアラ追加／修正確認メッセージのことである、ステップと、
前記第１のアンカノードにより、前記ＲＲＣ接続再構成メッセージを前記第１のサービングノードへ送信し、それにより、前記第１のサービングノードが前記ＲＲＣ接続再構成メッセージを第１のＵＥへ送信する、ステップと、
前記第１のアンカノードにより、前記第１のサービングノードにより送信された前記ＲＲＣ接続再構成完了メッセージを受信するステップであって、前記ＲＲＣ接続再構成完了メッセージとは、前記第１のＵＥが前記ＲＲＣ接続再構成メッセージを受信した後に、前記第１のＵＥにより前記第１のサービングノードに送信される前記ＲＲＣ接続再構成完了メッセージのことである、ステップと、前記第１のアンカノードにより、前記ＲＲＣ接続再構成完了メッセージに応じてベアラ追加／修正完了メッセージを前記第１のサービングノードへ送信するステップとを含む。
【００５５】
第７の態様の第１の実現方式に関して、第７の態様の第８の実現方式では、前記ＳＲＢ１によって搬送される前記ＲＲＣメッセージが、ＲＲＣ接続再構成メッセージ又はＲＲＣ接続再構成完了メッセージであり、
当該方法がさらに、
前記第１のアンカノードにより、前記ＲＲＣ接続再構成メッセージを前記第１のサービングノードへ送信するステップであって、前記ＲＲＣ接続再構成メッセージとは、前記第１のアンカノードが、ベアラ追加／修正要求メッセージを前記第１のサービングノードへ送信し、前記第１のサービングノードにより送信されたベアラ追加／修正確認メッセージを受信した後に、前記第１のアンカノードにより前記第１のサービングノードに送信される前記ＲＲＣ接続再構成メッセージのことである、ステップと、
前記第１のアンカノードにより、前記第１のサービングノードにより送信された前記ＲＲＣ接続再構成完了メッセージを受信するステップであって、前記ＲＲＣ接続再構成完了メッセージとは、前記第１のサービングノードが、前記第１のアンカノードにより送信された前記ＲＲＣ接続再構成メッセージを受信し、前記ＲＲＣ接続再構成メッセージを第１のＵＥへ送信した後に、前記第１のＵＥにより送信され前記第１のサービングノードにより受信される前記ＲＲＣ接続再構成完了メッセージのことである、ステップと、
前記第１のアンカノードにより、ベアラ追加／修正完了メッセージを前記第１のサービングノードへ送信するステップとを含む。
【００５６】
第７の態様の第１の実現方式に関して、第７の態様の第９の実現方式では、前記ＳＲＢ１によって搬送される前記ＲＲＣメッセージが、ＲＲＣ接続再構成メッセージであり、
当該方法がさらに、
前記第１のアンカノードにより、前記ＲＲＣ接続再構成メッセージを前記第１のサービングノードへ送信し、それにより、前記第１のサービングノードが前記ＲＲＣ接続再構成メッセージを第１のＵＥへ送信する、ステップであって、前記ＲＲＣ接続再構成メッセージとは、第２のアンカノード又は隣接する基地局が、前記第１のアンカノードにより送信されたハンドオーバ要求メッセージを受信し、またハンドオーバ要求確認メッセージを前記第１のアンカノードへ送信した後に、前記第１のアンカノードにより送信される前記ＲＲＣ接続再構成メッセージのことであり、前記第１のサービングノードが前記第１のアンカノードに属する、ステップを含む。
【００５７】
第７の態様の第１の実現方式に関して、第７の態様の第１０の実現方式では、前記ＲＲＣメッセージがさらに、ＳＲＢ０によって搬送されるＲＲＣメッセージを含み、前記ＳＲＢ０によって搬送される前記ＲＲＣメッセージが、ＲＲＣ接続再設定要求メッセージ又はＲＲＣ接続再設定メッセージであり、前記ＳＲＢ１によって搬送される前記ＲＲＣメッセージが、ＲＲＣ接続再設定完了メッセージであり、
当該方法がさらに、
前記第１のアンカノードにより、前記第１のサービングノードにより送信された前記ＲＲＣ接続再設定要求メッセージを受信するステップであって、前記ＲＲＣ接続再設定要求メッセージとは、第１のＵＥが、無線リンク障害ＲＬＦを発見し、前記第１のサービングノードにより同報通信を用いて送信されたシステムメッセージを受信し、前記システムメッセージに応じてランダムアクセスメッセージを前記第１のサービングノードへ送信し、また前記第１のサービングノードにより送信されたランダムアクセス応答メッセージを受信した後に、前記第１のＵＥにより前記第１のサービングノードに送信される前記ＲＲＣ接続再設定要求メッセージのことである、ステップと、
前記第１のアンカノードにより、前記ＲＲＣ接続再設定メッセージを前記第１のサービングノードへ送信し、それにより、前記第１のサービングノードが前記ＲＲＣ接続再設定メッセージを前記第１のＵＥへ送信する、ステップと、
前記第１のアンカノードにより、前記第１のサービングノードにより送信された前記ＲＲＣ接続再設定完了メッセージを受信してＲＲＣ接続を前記第１のアンカノード及び前記第１のＵＥに対して設定するステップであって、前記ＲＲＣ接続再設定完了メッセージとは、前記第１のＵＥにより送信され前記第１のサービングノードにより受信される前記ＲＲＣ接続再設定完了メッセージのことである、ステップとを含む。
【００５８】
本発明の実施形態で提供されるＲＲＣメッセージ処理方法、装置、及びシステムによれば、第１のサービングノードが第１のＵＥ又は第１のアンカノードにより送信されたＲＲＣメッセージを受信する。このＲＲＣメッセージは、ＳＲＢ１によって搬送されるＲＲＣメッセージ、及びＳＲＢ２によって搬送されるＲＲＣメッセージを含む。第１のサービングノードがＲＲＣメッセージを第１のアンカノードへ送信すると、第１のアンカノードの第１のＰＤＣＰ層が、ＳＲＢ１によって搬送されたＲＲＣメッセージを処理し、次に処理されたメッセージをＲＲＣ層エンティティへ送信するとともに、第２のＰＤＣＰ層が、ＳＲＢ２によって搬送されたＲＲＣメッセージを処理し、次に処理されたメッセージをＲＲＣ層エンティティへ送信する。或いは、第１のサービングノードの第１のＲＬＣ層エンティティが、ＳＲＢ１によって搬送されたＲＲＣメッセージを処理し、次に処理されたメッセージを第１のＵＥへ送信するとともに、第１のサービングノードの第２のＲＬＣ層エンティティが、ＳＲＢ２によって搬送されたＲＲＣメッセージを処理し、次に処理されたメッセージを第１のＵＥへ送信する。上記から、本発明の実施形態では、第１のサービングノード及び第１のアンカノードが第１のＵＥのＲＲＣメッセージを共同で処理するように使用され、別々の処理方法が、そのＲＲＣメッセージをＲＲＣメッセージの別々のＳＲＢタイプに応じて処理するために使用されて、ＲＲＣメッセージ処理機能が２つのノードに、すなわち第１のサービングノードと第１のアンカノードに分離されることが分かる。ＭＭＥがサービングノードへのＳ１インタフェース接続を設定しないので、サービングノードハンドオーバがＵＥに対して行われるとき、ＵＥのＲＲＣ接続は第１のアンカノードに保持され、ＭＭＥと第１のアンカノードとの間のＳ１接続は変わらない。したがって、ハンドオーバ処理は、ハンドオーバシグナリングを生じさせない。加えて、ＭＭＥが、送信されるべきページングメッセージを有している場合には、ＭＭＥはそのページングメッセージを、ページングメッセージに対応するＴＡ区域内の、ＭＭＥとのＳ１インタフェース接続を有するすべての基地局、又は、ＴＡ区域内にありＭＭＥとのＳ１インタフェース接続を有する第１のアンカノードに対して送信するだけでよい。ＭＭＥは、Ｓ１インタフェース接続をサービングノードに設定しないので、ページングメッセージをサービングノードへ送信する必要がない。それに応じて、サービングノードの高密度配置がシグナリング増加をもたらさず、それによって、コアネットワークのシグナリング負荷を効果的に低減する。
【図面の簡単な説明】
【００５９】
【図１】本発明の一実施形態によるネットワークアーキテクチャの概略図である。
【図２】本発明の一実施形態によるＲＲＣメッセージ処理システムの構成図である。
【図３】本発明の一実施形態によるＲＲＣメッセージ処理装置の概略構成図である。
【図４】本発明の一実施形態によるＲＲＣメッセージ処理装置の概略構成図である。
【図５】本発明の一実施形態によるサービングノードの概略構成図である。
【図６】本発明の一実施形態によるアンカノードの概略構成図である。
【図７】本発明の一実施形態によるサービングノード側のＲＲＣメッセージ処理方法の流れ図である。
【図８】本発明の一実施形態によるサービングノード側のＲＲＣメッセージ処理方法の流れ図である。
【図９】本発明の一実施形態によるサービングノード側のＲＲＣメッセージ処理方法の流れ図である。
【図１０】本発明の一実施形態によるサービングノード側のＲＲＣメッセージ処理方法の流れ図である。
【図１１】本発明の一実施形態によるサービングノード側のＲＲＣメッセージ処理方法の流れ図である。
【図１２】本発明の一実施形態によるサービングノード側のＲＲＣメッセージ処理方法の流れ図である。
【図１３】本発明の一実施形態によるアンカノード側のＲＲＣメッセージ処理方法の流れ図である。
【図１４】本発明の一実施形態によるアンカノード側のＲＲＣメッセージ処理方法の流れ図である。
【図１５】本発明の一実施形態によるアンカノード側のＲＲＣメッセージ処理方法の流れ図である。
【図１６】本発明の一実施形態によるアンカノード側のＲＲＣメッセージ処理方法の流れ図である。
【図１７】本発明の一実施形態によるアンカノード側のＲＲＣメッセージ処理方法の流れ図である。
【図１８】本発明の一実施形態によるアンカノード側のＲＲＣメッセージ処理方法の流れ図である。
【発明を実施するための形態】
【００６０】
本発明の技法的解決策がさらに、添付の図面及び実施形態に関して下記のように詳細に説明される。
【００６１】
本発明の実施形態の目的、技術的解決策、及び利点をより明確にするために、下記では本発明の実施形態における技術的解決策について、本発明の実施形態の添付図面を参照して明確かつ完全に説明する。明らかに、説明される実施形態は本発明の実施形態の一部であり、全部ではない。本発明の実施形態に基づいて、独創的な努力なしに当業者が得られる他のすべての実施形態は、本発明の保護範囲に入るものとする。
【００６２】
本発明についての完全な理解が得られるように、下記ではさらに、本発明の実施形態を詳細に、添付の図面を参照して説明する。前述の実施形態は、本発明の保護範囲を限定するものではない。
【００６３】
図１は、本発明の一実施形態によるネットワークアーキテクチャの概略図である。このネットワークアーキテクチャは、モビリティ管理エンティティ（ＭＭＥ，Ｍｏｂｉｌｉｔｙ  ｍａｎａｇｅｍｅｎｔ  ｅｎｔｉｔｙ）１０１、サービングゲートウェイ（ＳＧＷ，Ｓｅｒｖｉｃｅ  Ｇａｔｅｗａｙ）１０２、アンカノード（Ａｎｃｈｏｒ  ｎｏｄｅ）１０３、サービングノード（Ｓｅｒｖｉｎｇ  ｎｏｄｅ）１０４、及びユーザ機器（ＵＥ，  Ｕｓｅｒ  Ｅｑｕｉｐｍｅｎｔ）１０５を含む。アンカノード１０３は、既存の基地局とすることも、新たに追加されたネットワークデバイスとすることもできる。サービングノード１０４は、無線通信サービスをＵＥ  １０５に提供するネットワークデバイスとすることができ、具体的には、ＵＥ  １０５にサービスする基地局とすることができる。従来技術では、サービングノード１０４はＭＭＥ  １０１との接続を直接設定する。従来技術とは異なり、本発明では、サービングノード１０４はＭＭＥ  １０１との接続を直接設定せず、代わりに、サービングノード１０４はアンカノード１０３との接続を設定し、アンカノード１０３がＭＭＥ  １０１との接続を設定する。したがって、サービングノード１０４は、アンカノード１０３を使用してＭＭＥ  １０１との接続を設定する。本発明のこの実施形態では、Ｓ１−Ｃ制御プレーンインタフェース、及びＳ１−Ｕユーザプレーンインタフェースがそれぞれ、コアネットワーク内のＭＭＥ  １０１とアンカノード１０３との間、及びコアネットワーク内のＳＧＷ  １０２とアンカノード１０３との間に確立される。アンカノード１０３とサービングノード１０４は、インタフェースを確立するための信号トンネル（ｂａｃｋｈａｕｌ）を使用して接続される。このインタフェースは、具体的には、強化型Ｘ２インタフェースとすることも、別のタイプのインタフェースとすることもできる。無線リンク接続が、ＵＥ  １０５とサービングノード１０４との間に設定される。
【００６４】
本発明のこの実施形態では、サービングノード１０４が単独でＲＲＣメッセージを処理するのではなく、アンカノード１０３とサービングノード１０４が共同でＲＲＣメッセージを処理する。すなわち、ＲＲＣメッセージのタイプに応じて、アンカノード１０３が一部のＲＲＣメッセージを処理し、サービングノード１０４が残りのＲＲＣメッセージを処理し、そのため、ＲＲＣ機能が２つのノードに分割されることになる。具体的には、アンカノード１０３は、ＳＲＢ１によって搬送されたＲＲＣメッセージを処理するために使用されるＲＲＣプロトコルエンティティと、ＳＲＢ２によって搬送されたＲＲＣメッセージを処理するために使用されるＲＲＣプロトコルエンティティと、ＳＲＢ１によって搬送されたＲＲＣメッセージを処理するために使用される第１のパケットデータコンバージェンスプロトコル（ＰＤＣＰ，Ｐａｃｋｅｔ  Ｄａｔａ  Ｃｏｎｖｅｒｇｅｎｃｅ  Ｐｒｏｔｏｃｏｌ）プロトコルエンティティと、ＳＲＢ２によって搬送されたＲＲＣメッセージを処理するために使用される第２のＰＤＣＰプロトコルエンティティとを含むことができる。したがって、アンカノード１０３は、ＳＲＢ１によって搬送されたＲＲＣメッセージと、ＳＲＢ２によって搬送されたＲＲＣメッセージとを処理する機能を有する。すなわち、ＵＥ  １０５により送信された、ＳＲＢ１によって搬送されたＲＲＣメッセージと、ＳＲＢ２によって搬送されたＲＲＣメッセージとを受信した後、サービングノード１０４は、ＲＲＣメッセージをアンカノード１０３へ転送し、アンカノード１０３は、ＳＲＢ１によって搬送された受信ＲＲＣメッセージと、ＳＲＢ２によって搬送された受信ＲＲＣメッセージとを処理する。サービングノード１０４は、データ無線ベアラＤＲＢによって搬送されたデータを処理するために使用されるＲＬＣプロトコルエンティティと、ＳＲＢ１によって搬送されたＲＲＣメッセージを処理するために使用されるメディアアクセス制御ＭＡＣプロトコルエンティティと、ＳＲＢ２によって搬送されたＲＲＣメッセージを処理するために使用される物理層ＰＨＹプロトコルエンティティと、ＳＲＢ０によって搬送されたＲＲＣメッセージを処理するために使用されるＲＲＣプロトコルエンティティとを含む。サービングノード１０４は、ＭＩＢ、ＳＩＢ、ページングメッセージ、又はＭＢＭＳ制御情報などの共通ＲＲＣメッセージを生成及び送信するように構成される。したがって、サービングノード１０４は、ＳＲＢ０によって搬送されたＲＲＣメッセージを処理する機能を有し、また、ＢＣＣＨサービスのシステム同報通信メッセージ、ＰＣＣＨサービスのセルページングメッセージ、並びに任意選択で、ＵＥのＲＲＣ接続設定処理及びＲＲＣ接続再設定処理におけるＣＣＣＨサービスのＲＲＣ接続要求メッセージ、及びＲＲＣ接続設定メッセージなどのいくつかのＲＲＣメッセージを処理することを担う。
【００６５】
ＳＲＢ１によって搬送されるＲＲＣメッセージは、具体的には、接続設定が完了するときのＲＲＣメッセージとすることができ、ＳＲＢ２によって搬送されるＲＲＣメッセージは、具体的には、接続設定が完了した後のＲＲＣメッセージとすることができる。
【００６６】
加えて、ネットワークアーキテクチャに対応するＲＲＣメッセージ処理手順は、第１のタイプのＲＲＣメッセージの処理手順、第２のタイプのＲＲＣメッセージの処理手順、及び第３のタイプのＲＲＣメッセージの処理手順を含むことができる。
【００６７】
第１のタイプのＲＲＣメッセージの処理手順とは、ＵＥの専用ダウンリンクＤＬ  ＲＲＣメッセージを処理する過程のことである。ＤＬ  ＲＲＣメッセージは、ＳＲＢ１によって搬送されたＲＲＣメッセージと、ＳＲＢ２によって搬送されたＲＲＣメッセージとを含む。具体的には、ＵＥの、ＳＲＢ１によって搬送されるＲＲＣメッセージ、又はＵＥの、ＳＲＢ２によって搬送されるＲＲＣメッセージを生成した後、アンカノード１０３のＲＲＣプロトコルエンティティは、処理のためにＲＲＣメッセージを、ＳＲＢ１に対応するか又はＳＲＢ２に対応するＰＤＣＰプロトコルエンティティへ配信する。アンカノードのＰＤＣＰプロトコルエンティティはＰＤＣＰ  ＰＤＵを形成し、このＰＤＣＰ  ＰＤＵをサービングノードへ、アンカノードとサービングノードとの間のインタフェースを使用して送信する。ＰＤＣＰ  ＰＤＵを受信した後、サービングノードはＰＤＣＰ  ＰＤＵを解析する。次に、サービングノードの、ＳＲＢ１又はＳＲＢ２に対応するＲＬＣプロトコルエンティティが、ＰＤＣＰ  ＰＤＵを処理する。サービングノードのＲＬＣプロトコルエンティティがＰＤＣＰ  ＰＤＵを処理した後、サービングノードのＭＡＣ層及びＰＨＹ層は、処理されたＰＤＣＰ  ＰＤＵを処理し、次に処理されたＰＤＣＰ  ＰＤＵをＵＥへ送信する。
【００６８】
第２のタイプのＲＲＣメッセージの処理手順とは、ＵＥの専用アップリンクＵＬ  ＲＲＣメッセージを処理する過程のことである。ＵＬ  ＲＲＣメッセージは、ＳＲＢ１によって搬送されたＲＲＣメッセージと、ＳＲＢ２によって搬送されたＲＲＣメッセージとを含む。具体的には、ＵＥの、ＳＲＢ１によって搬送されるＲＲＣメッセージ、又はＵＥの、ＳＲＢ２によって搬送されるＲＲＣメッセージを受信した後、サービングノードは、処理のためにＲＲＣメッセージを、ＳＲＢ１に対応するか又はＳＲＢ２に対応するＲＬＣプロトコルエンティティへ配信する。サービングノードのＲＬＣプロトコルエンティティはＰＤＣＰ  ＰＤＵを形成し、このＰＤＣＰ  ＰＤＵをアンカノードへ、サービングノードとアンカノードとの間のインタフェースを使用して送信する。ＰＤＣＰ  ＰＤＵを受信した後、アンカノードはＰＤＣＰ  ＰＤＵを解析する。次に、アンカノードの、ＳＲＢ１又はＳＲＢ２に対応するＰＤＣＰプロトコルエンティティが、ＰＤＣＰ  ＰＤＵを処理する。ＰＤＣＰプロトコルエンティティはＲＲＣメッセージを処理し、次に処理されたメッセージをＲＲＣ層エンティティへ送信する。
【００６９】
第３のタイプのＲＲＣメッセージの処理手順とは、ＵＥの共通ＲＲＣメッセージを処理する過程のことである。共通ＲＲＣメッセージは、ＳＲＢ０によって搬送されたＲＲＣメッセージを含む。複数のタイプの共通ＲＲＣメッセージがあり、たとえば、ＢＣＣＨサービスのシステム同報通信メッセージ、ＰＣＣＨにより供給される共通セルＤＬ  ＲＲＣメッセージ（ページングメッセージ又は同報通信メッセージ）、並びに、接続設定及び接続再設定の過程においてＳＲＢ０によって搬送されるとともにＣＣＣＨにより供給されるＲＲＣメッセージがある。ＳＲＢ０によって搬送されたＲＲＣメッセージは、サービングノードによって処理される。
【００７０】
図１に示されたネットワークアーキテクチャは、サービングノード１０４を含むだけでなく、アンカノード１０３も含む。アンカノード１０３とサービングノード１０４は、ＵＥ  １０５のＲＲＣメッセージを共同で処理する。ＭＭＥ  １０１はサービングノード１０４へのＳ１インタフェース接続を設定しないので、サービングノードハンドオーバがＵＥ  １０５に対して行われるとき、ＵＥのＲＲＣ接続はアンカノード１０３に保持され、ＭＭＥ  １０１とアンカノード１０３との間のＳ１接続は変わらない。したがって、ハンドオーバ処理が、対応するハンドオーバシグナリングを生じさせない。加えて、ＭＭＥ  １０１が、送信されるべきページングメッセージを有している場合には、ＭＭＥ  １０１はそのページングメッセージを、ページングメッセージに対応するＴＡ区域内の、ＭＭＥ  １０１とのＳ１インタフェース接続を有するすべての基地局に、又はＴＡ区域内にありＭＭＥ  １０１とのＳ１インタフェース接続を有するアンカノード１０３に送信するだけでよい。ＭＭＥ  １０１は、Ｓ１インタフェース接続をサービングノード１０４に設定しないので、ＭＭＥ  １０１は、ページングメッセージをサービングノード１０４へ送信する必要がない。それに応じて、サービングノード１０４の高密度配置がシグナリング増加を招かず、それによって、コアネットワークのシグナリング負荷を効果的に低減する。
【００７１】
図２は、本発明の一実施形態によるＲＲＣメッセージ処理システムの構成図である。システムは、第１のサービングノード２０１、第１のアンカノード２０２、及びモビリティ管理エンティティＭＭＥ  ２０３を含む。第１のサービングノード２０１は、第１のアンカノード２０２への接続を設定し、第１のアンカノード２０２は、ＭＭＥ  ２０３への接続を設定する。
【００７２】
第１のサービングノード２０１は、シグナリング無線ベアラＳＲＢ１によって搬送される無線リソース制御ＲＲＣメッセージ又はＳＲＢ２によって搬送されるＲＲＣメッセージを含む、第１のユーザ機器ＵＥにより送信されたＲＲＣメッセージを受信し、該ＲＲＣメッセージを第１のアンカノードへ送信するように構成される。
【００７３】
第１のアンカノード２０２は、第１のパケットデータコンバージェンスプロトコルＰＤＣＰ層エンティティを使用して、ＳＲＢ１によって搬送されたＲＲＣメッセージを処理し、次に処理されたメッセージをＲＲＣ層エンティティへ送信するように、又は、第２のＰＤＣＰ層エンティティを使用して、ＳＲＢ２によって搬送されたＲＲＣメッセージを処理し、次に処理されたメッセージをＲＲＣ層エンティティへ送信するように構成される。
【００７４】
図３は、本発明の一実施形態によるＲＲＣメッセージ処理装置の概略構成図である。装置は、サービングノードに配置される。第１のサービングノードは、第１のアンカノードへの接続を設定する。第１のアンカノードは、モビリティ管理エンティティＭＭＥへの接続を設定する。
【００７５】
装置は、受信ユニット３０１及び送信ユニット３０２を含む。
【００７６】
受信ユニット３０１は、第１のユーザ機器ＵＥにより送信されたＲＲＣメッセージを受信するように構成される。ＲＲＣメッセージは、シグナリング無線ベアラＳＲＢ１によって搬送されるＲＲＣメッセージ又はＳＲＢ２によって搬送されるＲＲＣメッセージを含む。
【００７７】
送信ユニット３０２は、受信ユニット３０１により受信されたＲＲＣメッセージを第１のアンカノードへ送信するように構成され、それにより、第１のアンカノードの第１のパケットデータコンバージェンスプロトコルＰＤＣＰ層エンティティが、ＳＲＢ１によって搬送されたＲＲＣメッセージを処理し、次に処理されたメッセージを第１のアンカノードのＲＲＣ層エンティティへ送信するか、又は第１のアンカノードの第２のＰＤＣＰ層エンティティが、ＳＲＢ２によって搬送されたＲＲＣメッセージを処理し、次に処理されたメッセージを第１のアンカノードのＲＲＣ層エンティティへ送信する。
【００７８】
好ましくは、受信ユニット３０１はさらに、第１のアンカノードにより送信されたＲＲＣメッセージを受信するように構成される。ＲＲＣメッセージは、ＳＲＢ１によって搬送されるＲＲＣメッセージ又はＳＲＢ２によって搬送されるＲＲＣメッセージを含む。装置はさらに、第１の処理ユニット３０３及び第２の処理ユニット３０４を含む。
【００７９】
第１の処理ユニット３０３は、第１のサービングノードの第１の無線リンク制御ＲＬＣ層エンティティを使用して、ＳＲＢ１によって搬送されたＲＲＣメッセージを処理し、それにより、送信ユニットが処理されたメッセージを第１のＵＥへ送信する、ように構成される。
【００８０】
第２の処理ユニット３０４は、第１のサービングノードの第２のＲＬＣ層エンティティを使用して、ＳＲＢ２によって搬送されたＲＲＣメッセージを処理し、それにより、送信ユニットが処理されたメッセージを第１のＵＥへ送信する、ように構成される。
【００８１】
好ましくは、装置はさらに、メッセージ生成ユニットを含む。
【００８２】
メッセージ生成ユニットは、第１のサービングノードのＲＲＣ層エンティティを使用して、ＳＲＢ０によって搬送されるＲＲＣメッセージを生成し、それにより、送信ユニットがＳＲＢ０によって搬送されるＲＲＣメッセージを第１のＵＥ及び／又は第１のアンカノードへ送信する、ように構成される。
【００８３】
好ましくは、ＲＲＣメッセージはさらに、ＳＲＢ０によって搬送されるＲＲＣメッセージを含む。送信ユニット３０２はさらに、第１の表示情報を第１のアンカノードへ送信するように構成される。第１の表示情報は第１のアンカノードにより使用されて第１の表示情報によりＲＲＣメッセージがＳＲＢ０によって搬送されたＲＲＣメッセージであることが識別され、また、第１のアンカノードのＲＲＣ層エンティティを使用して処理が行われる。受信ユニット３０１はさらに、第１のアンカノードにより送信された第１の表示情報を受信するように構成される。第１の表示情報は第１のサービングノードにより使用されて第１の表示情報によりＲＲＣメッセージがＳＲＢ０によって搬送されたＲＲＣメッセージであることが識別され、また、第１のサービングノードのＲＲＣ層エンティティを使用して処理が行われる。
【００８４】
好ましくは、送信ユニット３０２はさらに、第２の表示情報を第１のアンカノードへ送信するように構成される。第２の表示情報は第１のアンカノードにより使用されて第２の表示情報によりＲＲＣメッセージがＳＲＢ１によって搬送されたＲＲＣメッセージであることが識別される。受信ユニット３０１はさらに、第１のアンカノードにより送信された第２の表示情報を受信するように構成される。第２の表示情報は第１のサービングノードにより使用されて第２の表示情報によりＲＲＣメッセージがＳＲＢ１によって搬送されたＲＲＣメッセージであることが識別される。
【００８５】
好ましくは、送信ユニット３０２はさらに、第３の表示情報を第１のアンカノードへ送信するように構成される。第３の表示情報は第１のアンカノードにより使用されて第３の表示情報によりＲＲＣメッセージがＳＲＢ２によって搬送されたＲＲＣメッセージであることが識別される。受信ユニット３０１はさらに、第１のアンカノードにより送信された第３の表示情報を受信するように構成される。第３の表示情報は第１のサービングノードにより使用されて第３の表示情報によりＲＲＣメッセージがＳＲＢ２によって搬送されたＲＲＣメッセージであることが識別される。
【００８６】
好ましくは、装置はさらに、送信ユニット３０２がＲＲＣメッセージを第１のアンカノードへ送信する前に、第１のサービングノードの第１のＲＬＣ層エンティティを使用して、ＳＲＢ１によって搬送されたＲＲＣメッセージを処理するように構成される第１の処理ユニット３０３と、
送信ユニット３０２がＲＲＣメッセージを第１のアンカノードへ送信する前に、第１のサービングノードの第２のＲＬＣ層エンティティを使用して、ＳＲＢ２によって搬送されたＲＲＣメッセージを処理するように構成される第２の処理ユニット３０４とを含む。
【００８７】
好ましくは、送信ユニット３０２は、具体的には、第１の処理ユニット３０３によって処理されたＲＲＣメッセージを第１のＵＥへメディアアクセス制御ＭＡＣ層及び物理層を使用して送信するように、又は、第２の処理ユニットによって処理されたＲＲＣメッセージを第１のＵＥへＭＡＣ層及び物理層を使用して送信するように構成される。
【００８８】
好ましくは、送信ユニット３０２は、具体的には、第１の処理ユニット３０３によって処理されたＲＲＣメッセージを第１のＵＥへ送信し、それにより、第１のＵＥの第１のＰＤＣＰ層エンティティが、ＳＲＢ１によって搬送されたＲＲＣメッセージを処理し、次に処理されたメッセージをＲＲＣ層エンティティへ送信するか、又は、第２の処理ユニット３０４によって処理されたＲＲＣメッセージを第１のＵＥへ送信し、それにより、第１のＵＥの第２のＰＤＣＰ層エンティティが、ＳＲＢ２によって搬送されたＲＲＣメッセージを処理し、次に処理されたメッセージをＲＲＣ層エンティティへ送信するように構成される。
【００８９】
好ましくは、ＲＲＣメッセージはさらに、ＳＲＢ０によって搬送されるＲＲＣメッセージを含む。ＳＲＢ０によって搬送されるＲＲＣメッセージは、具体的には、ＲＲＣ接続要求メッセージ又はＲＲＣ接続設定メッセージである。ＳＲＢ１によって搬送されるＲＲＣメッセージは、具体的には、ＲＲＣ接続設定完了メッセージである。
【００９０】
受信ユニット３０１は、具体的には、第１のＵＥにより送信されたＲＲＣ接続要求メッセージを受信するように構成される。ＲＲＣ接続要求メッセージとは、第１のＵＥが、第１のサービングノードにより同報通信を用いて送信されたシステムメッセージを受信し、システムメッセージに応じてランダムアクセスメッセージを第１のサービングノードへ送信し、また第１のサービングノードにより送信されたランダムアクセス応答メッセージを受信した後に、第１のＵＥにより第１のサービングノードに送信されるＲＲＣ接続要求メッセージのことである。
【００９１】
送信ユニット３０２は、具体的には、受信ユニットにより受信されたＲＲＣ接続要求メッセージを第１のアンカノードへ転送するように構成される。
【００９２】
受信ユニット３０１はさらに、第１のアンカノードにより送信されたＲＲＣ接続設定メッセージを受信するように構成される。ＲＲＣ接続設定メッセージとは、受信されたＲＲＣ接続要求メッセージに応じて第１のアンカノードにより生成されるＲＲＣ接続設定メッセージのことである。
【００９３】
送信ユニット３０２はさらに、受信ユニット３０１により受信されたＲＲＣ接続設定メッセージを第１のＵＥへ送信するように構成される。
【００９４】
受信ユニット３０１はさらに、第１のＵＥにより送信されたＲＲＣ接続設定完了メッセージを受信するように構成される。
【００９５】
送信ユニット３０２はさらに、受信ユニット３０１により受信されたＲＲＣ接続設定完了メッセージを第１のアンカノードへ送信してＲＲＣ接続を第１のアンカノード及び第１のＵＥに対して設定するように構成される。
【００９６】
好ましくは、ＳＲＢ１によって搬送されるＲＲＣメッセージは、具体的には、ＲＲＣ接続再構成メッセージ又はＲＲＣ接続再構成完了メッセージである。
【００９７】
送信ユニット３０２は、具体的には、ベアラ追加／修正確認メッセージを第１のアンカノードへ送信するように構成される。ベアラ追加／修正確認メッセージとは、第１のサービングノードが第１のアンカノードにより送信されたベアラ追加／修正要求メッセージを受信した後に、ベアラ追加／修正要求メッセージに応じて第１のサービングノードにより生成されるベアラ追加／修正確認メッセージのことである。
【００９８】
受信ユニット３０１は、具体的には、第１のアンカノードにより送信されたＲＲＣ接続再構成メッセージを受信するように構成される。
【００９９】
送信ユニット３０２はさらに、受信ユニット３０１により受信されたＲＲＣ接続再構成メッセージを第１のＵＥへ送信するように構成される。
【０１００】
受信ユニット３０１はさらに、第１のＵＥにより送信されたＲＲＣ接続再構成完了メッセージを受信するように構成される。
【０１０１】
送信ユニット３０２はさらに、受信ユニット３０１により受信されたＲＲＣ接続再構成完了メッセージを第１のアンカノードへ送信し、それにより、第１のアンカノードがＲＲＣ接続再構成完了メッセージに応じてベアラ追加／修正完了メッセージを第１のサービングノードへ送信する、ように構成される。
【０１０２】
好ましくは、ＳＲＢ１によって搬送されるＲＲＣメッセージは、具体的には、ＲＲＣ接続再構成メッセージ又はＲＲＣ接続再構成完了メッセージである。
【０１０３】
受信ユニット３０１は、具体的には、第１のアンカノードにより送信されたＲＲＣ接続再構成メッセージを受信するように構成される。ＲＲＣ接続再構成メッセージとは、第１のサービングノードが、第１のアンカノードにより送信されたベアラ追加／修正要求メッセージを受信し、ベアラ追加／修正確認メッセージを第１のアンカノードへ送信した後に、第１のアンカノードにより送信されるＲＲＣ接続再構成メッセージのことである。
【０１０４】
送信ユニット３０２は、具体的には、受信ユニット３０１により受信されたＲＲＣ接続再構成メッセージを第１のＵＥへ送信するように構成される。
【０１０５】
受信ユニット３０１はさらに、第１のＵＥにより送信されたＲＲＣ接続再構成完了メッセージを受信するように構成される。
【０１０６】
送信ユニット３０２はさらに、受信ユニット３０１により受信されたＲＲＣ接続再構成完了メッセージを第１のアンカノードへ送信するように構成される。
【０１０７】
受信ユニット３０１はさらに、第１のアンカノードにより送信されたベアラ追加／修正完了メッセージを受信するように構成される。
【０１０８】
好ましくは、ＳＲＢ１によって搬送されるＲＲＣメッセージは、具体的にはＲＲＣ接続再構成メッセージである。
【０１０９】
受信ユニット３０１は、具体的には、第１のアンカノードにより送信されたＲＲＣ接続再構成メッセージを受信するように構成される。ＲＲＣ接続再構成メッセージとは、第２のアンカノード又は隣接する基地局が、第１のアンカノードにより送信されたハンドオーバ要求メッセージを受信し、またハンドオーバ要求確認メッセージを第１のアンカノードへ送信した後に、第１のアンカノードにより送信されるＲＲＣ接続再構成メッセージのことである。第１のサービングノードは第１のアンカノードに属する。
【０１１０】
送信ユニット３０２は、具体的には、受信ユニット３０１により受信されたＲＲＣ接続再構成メッセージを第１のＵＥへ送信するように構成される。
【０１１１】
好ましくは、ＲＲＣメッセージはさらに、ＳＲＢ０によって搬送されるＲＲＣメッセージを含む。ＳＲＢ０によって搬送されるＲＲＣメッセージは、具体的には、ＲＲＣ接続再設定要求メッセージ又はＲＲＣ接続再設定メッセージである。ＳＲＢ１によって搬送されるＲＲＣメッセージは、具体的には、ＲＲＣ接続再設定完了メッセージである。
【０１１２】
受信ユニット３０１は、具体的には、第１のＵＥにより送信されたＲＲＣ接続再設定要求メッセージを受信するように構成される。ＲＲＣ接続再設定要求メッセージとは、第１のＵＥが、無線リンク障害ＲＬＦを発見し、第１のサービングノードにより同報通信を用いて送信されたシステムメッセージを受信し、システムメッセージに応じてランダムアクセスメッセージを第１のサービングノードへ送信し、また第１のサービングノードにより送信されたランダムアクセス応答メッセージを受信した後に、第１のＵＥにより送信されるＲＲＣ接続再設定要求メッセージのことである。
【０１１３】
送信ユニット３０２は、具体的には、受信ユニット３０１により受信されたＲＲＣ接続再設定要求メッセージを第１のアンカノードへ送信するように構成される。
【０１１４】
受信ユニット３０１はさらに、第１のアンカノードにより送信されたＲＲＣ接続再設定メッセージを受信するように構成される。
【０１１５】
送信ユニット３０２はさらに、受信ユニット３０１により受信されたＲＲＣ接続再設定メッセージを第１のＵＥへ送信するように構成される。
【０１１６】
受信ユニット３０１はさらに、第１のＵＥにより送信されたＲＲＣ接続再設定完了メッセージを受信するように構成される。
【０１１７】
送信ユニット３０２はさらに、受信ユニット３０１により受信されたＲＲＣ接続再設定完了メッセージを第１のアンカノードへ送信してＲＲＣ接続を第１のアンカノード及び第１のＵＥに対して設定するように構成される。
【０１１８】
図４は、本発明の一実施形態によるＲＲＣメッセージ処理装置の概略構成図である。装置はアンカノードに配置される。第１のサービングノードは、第１のアンカノードへの接続を設定する。第１のアンカノードは、モビリティ管理エンティティＭＭＥへの接続を設定する。装置は送信ユニット４０１を含む。
【０１１９】
送信ユニット４０１は、無線リソース制御ＲＲＣメッセージを第１のサービングノードへ送信するように構成される。ＲＲＣメッセージは、シグナリング無線ベアラＳＲＢ１によって搬送されるＲＲＣメッセージ又はＳＲＢ２によって搬送されるＲＲＣメッセージを含む。
【０１２０】
好ましくは、装置はさらに、受信ユニット４０２、第１のパケットデータ処理ユニット４０３、第２のパケットデータ処理ユニット４０４を含む。
【０１２１】
受信ユニット４０２は、第１のサービングノードにより送信されたＲＲＣメッセージを受信するように構成される。
【０１２２】
第１のパケットデータ処理ユニット４０３は、第１のアンカノードの第１のパケットデータコンバージェンスプロトコルＰＤＣＰ層エンティティを使用して、ＳＲＢ１によって搬送され受信ユニット４０２により受信されたＲＲＣメッセージを処理し、次に処理されたメッセージを第１のアンカノードのＲＲＣ層エンティティへ送信するように構成される。
【０１２３】
第２のパケットデータ処理ユニット４０４は、第１のアンカノードの第２のＰＤＣＰ層エンティティを使用して、ＳＲＢ２によって搬送され受信ユニット４０２により受信されたＲＲＣメッセージを処理し、次に処理されたメッセージを第１のアンカノードのＲＲＣ層エンティティへ送信するように構成される。
【０１２４】
好ましくは、装置はさらに、第１のメッセージ生成ユニットを含む。
【０１２５】
第１のメッセージ生成ユニットは、第１のアンカノードのＲＲＣ層エンティティを使用して、ＳＲＢ１によって搬送されるＲＲＣメッセージ、又はＳＲＢ２によって搬送されるＲＲＣメッセージを生成するように構成される。
【０１２６】
送信ユニットは、具体的には、ＳＲＢ１によって搬送されるとともに第１のメッセージ生成ユニットで生成されるＲＲＣメッセージ、又はＳＲＢ２によって搬送されるとともに第１のメッセージ生成ユニットで生成されるＲＲＣメッセージを、第１のサービングノードへ送信するように構成される。
【０１２７】
好ましくは、ＲＲＣメッセージはさらに、ＳＲＢ０によって搬送されるＲＲＣメッセージを含む。受信ユニット４０２はさらに、第１のサービングノードにより送信された第１の表示情報を受信するように構成される。
【０１２８】
装置はさらに、識別ユニットを含む。
【０１２９】
識別ユニットは、受信ユニット４０２により受信された第１の表示情報によりＲＲＣメッセージがＳＲＢ０によって搬送されたＲＲＣメッセージであることを識別するように、また第１のアンカノードのＲＲＣ層エンティティを使用して処理を行うように構成される。
【０１３０】
送信ユニット４０１はさらに、第１の表示情報を第１のサービングノードへ送信するように構成される。第１の表示情報は第１のサービングノードにより使用されて第１の表示情報によりＲＲＣメッセージがＳＲＢ０によって搬送されたＲＲＣメッセージであることが識別され、また第１のサービングノードのＲＲＣ層エンティティを使用して処理が行われる。
【０１３１】
好ましくは、受信ユニット４０２はさらに、第１のサービングノードにより送信された第２の表示情報を受信するように構成される。
【０１３２】
装置はさらに、識別ユニットを含む。
【０１３３】
識別ユニットは、受信ユニット４０２により受信された第２の表示情報によりＲＲＣメッセージがＳＲＢ１によって搬送されたＲＲＣメッセージであることを識別するように構成される。
【０１３４】
送信ユニット４０１はさらに、第２の表示情報を第１のサービングノードへ送信するように構成される。第２の表示情報は第１のサービングノードにより使用されて第２の表示情報によりＲＲＣメッセージがＳＲＢ１によって搬送されたＲＲＣメッセージであることが識別される。
【０１３５】
好ましくは、受信ユニット４０２はさらに、第１のサービングノードにより送信された第３の表示情報を受信するように構成される。
【０１３６】
装置はさらに、識別ユニットを含む。
【０１３７】
識別ユニットは、受信ユニットにより受信された第３の表示情報によりＲＲＣメッセージがＳＲＢ２によって搬送されたＲＲＣメッセージであることを識別するように構成される。
【０１３８】
送信ユニットはさらに、第３の表示情報を第１のサービングノードへ送信するように構成される。第３の表示情報は第１のサービングノードにより使用されて第３の表示情報によりＲＲＣメッセージがＳＲＢ２によって搬送されたＲＲＣメッセージであることが識別される。
【０１３９】
好ましくは、ＲＲＣメッセージはさらに、ＳＲＢ０によって搬送されるＲＲＣメッセージを含む。ＳＲＢ０によって搬送されるＲＲＣメッセージは、具体的には、ＲＲＣ接続要求メッセージ又はＲＲＣ接続設定メッセージである。ＳＲＢ１によって搬送されるＲＲＣメッセージは、具体的にはＲＲＣ接続設定完了メッセージである。
【０１４０】
受信ユニット４０２は、具体的には、第１のサービングノードによって転送されたＲＲＣ接続要求メッセージを受信するように構成される。ＲＲＣ接続要求メッセージとは、第１のＵＥが、第１のサービングノードにより同報通信を用いて送信されたシステムメッセージを受信し、システムメッセージに応じてランダムアクセスメッセージを第１のサービングノードへ送信し、また第１のサービングノードにより送信されたランダムアクセス応答メッセージを受信した後に、第１のＵＥにより第１のサービングノードに送信されるＲＲＣ接続要求メッセージのことである。
【０１４１】
装置はさらに、第２のメッセージ生成ユニットを含む。
【０１４２】
第２のメッセージ生成ユニットは、受信ユニットにより受信されたＲＲＣ接続要求メッセージに応じてＲＲＣ接続設定メッセージを生成するように構成される。
【０１４３】
送信ユニット４０１は、具体的には、第２のメッセージ生成ユニットで生成されたＲＲＣ接続設定メッセージを第１のサービングノードへ送信し、それにより、第１のサービングノードがＲＲＣ接続設定メッセージを第１のＵＥへ送信する、ように構成される。
【０１４４】
受信ユニット４０２はさらに、第１のサービングノードにより送信されたＲＲＣ接続設定完了メッセージを受信してＲＲＣ接続を第１のアンカノード及び第１のＵＥに対して設定するように構成される。ＲＲＣ接続設定完了メッセージとは、第１のＵＥがＲＲＣ接続設定メッセージを受信した後に、第１のＵＥにより第１のサービングノードに送信されるＲＲＣ接続設定完了メッセージのことである。
【０１４５】
好ましくは、ＳＲＢ１によって搬送されるＲＲＣメッセージは、具体的には、ＲＲＣ接続再構成メッセージ又はＲＲＣ接続再構成完了メッセージである。
【０１４６】
受信ユニット４０２は、具体的には、第１のサービングノードにより送信されたベアラ追加／修正確認メッセージを受信するように構成される。ベアラ追加／修正確認メッセージとは、第１のアンカノードがベアラ追加／修正要求メッセージを第１のサービングノードへ送信した後に、ベアラ追加／修正要求メッセージに応じて第１のサービングノードにより生成されるベアラ追加／修正確認メッセージのことである。
【０１４７】
送信ユニット４０１は、具体的には、ＲＲＣ接続再構成メッセージを第１のサービングノードへ送信し、それにより、第１のサービングノードがＲＲＣ接続再構成メッセージを第１のＵＥへ送信する、ように構成される。
【０１４８】
受信ユニット４０２はさらに、第１のサービングノードにより送信されたＲＲＣ接続再構成完了メッセージを受信するように構成される。ＲＲＣ接続再構成完了メッセージとは、第１のＵＥがＲＲＣ接続再構成メッセージを受信した後に、第１のＵＥにより第１のサービングノードに送信されるＲＲＣ接続再構成完了メッセージのことである。第１のアンカノードは、ＲＲＣ接続再構成完了メッセージに応じてベアラ追加／修正完了メッセージを第１のサービングノードへ送信する。
【０１４９】
好ましくは、ＳＲＢ１によって搬送されるＲＲＣメッセージは、具体的には、ＲＲＣ接続再構成メッセージ又はＲＲＣ接続再構成完了メッセージである。
【０１５０】
送信ユニット４０１は、具体的には、ＲＲＣ接続再構成メッセージを第１のサービングノードへ送信するように構成される。ＲＲＣ接続再構成メッセージとは、第１のアンカノードが、ベアラ追加／修正要求メッセージを第１のサービングノードへ送信し、第１のサービングノードにより送信されたベアラ追加／修正確認メッセージを受信した後に、第１のアンカノードにより第１のサービングノードに送信されるＲＲＣ接続再構成メッセージのことである。
【０１５１】
受信ユニット４０２は、具体的には、第１のサービングノードにより送信されたＲＲＣ接続再構成完了メッセージを受信するように構成される。ＲＲＣ接続再構成完了メッセージとは、第１のサービングノードが、第１のアンカノードにより送信されたＲＲＣ接続再構成メッセージを受信し、そのＲＲＣ接続再構成メッセージを第１のＵＥへ送信した後に、第１のＵＥにより送信され第１のサービングノードにより受信されるＲＲＣ接続再構成完了メッセージのことである。
【０１５２】
送信ユニット４０１はさらに、ベアラ追加／修正完了メッセージを第１のサービングノードへ送信するように構成される。
【０１５３】
好ましくは、ＳＲＢ１によって搬送されるＲＲＣメッセージは、具体的にはＲＲＣ接続再構成メッセージである。
【０１５４】
送信ユニット４０１は、具体的には、ＲＲＣ接続再構成メッセージを第１のサービングノードへ送信し、それにより、第１のサービングノードがＲＲＣ接続再構成メッセージを第１のＵＥへ送信する、ように構成される。ＲＲＣ接続再構成メッセージとは、第２のアンカノード又は隣接する基地局が、第１のアンカノードにより送信されたハンドオーバ要求メッセージを受信し、またハンドオーバ要求確認メッセージを第１のアンカノードへ送信した後に、第１のアンカノードにより送信されるＲＲＣ接続再構成メッセージのことである。第１のサービングノードは第１のアンカノードに属する。
【０１５５】
好ましくは、ＲＲＣメッセージはさらに、ＳＲＢ０によって搬送されるＲＲＣメッセージを含む。ＳＲＢ０によって搬送されるＲＲＣメッセージは、具体的には、ＲＲＣ接続再設定要求メッセージ又はＲＲＣ接続再設定メッセージである。ＳＲＢ１によって搬送されるＲＲＣメッセージは、具体的には、ＲＲＣ接続再設定完了メッセージである。
【０１５６】
受信ユニット４０２は、具体的には、第１のサービングノードにより送信されたＲＲＣ接続再設定要求メッセージを受信するように構成される。ＲＲＣ接続再設定要求メッセージとは、第１のＵＥが、無線リンク障害ＲＬＦを発見し、第１のサービングノードにより同報通信を用いて送信されたシステムメッセージを受信し、システムメッセージに応じてランダムアクセスメッセージを第１のサービングノードへ送信し、また第１のサービングノードにより送信されたランダムアクセス応答メッセージを受信した後に、第１のＵＥにより第１のサービングノードに送信されるＲＲＣ接続再設定要求メッセージのことである。
【０１５７】
送信ユニット４０１は、具体的には、ＲＲＣ接続再設定メッセージを第１のサービングノードへ送信し、それにより、第１のサービングノードがＲＲＣ接続再設定メッセージを第１のＵＥへ送信する、ように構成される。
【０１５８】
受信ユニット４０２はさらに、第１のサービングノードにより送信されたＲＲＣ接続再設定完了メッセージを受信してＲＲＣ接続を第１のアンカノード及び第１のＵＥに対して設定するように構成される。ＲＲＣ接続再設定完了メッセージとは、第１のＵＥにより送信され第１のサービングノードにより受信されるＲＲＣ接続再設定完了メッセージのことである。
【０１５９】
図５は、本発明の一実施形態によるサービングノードの概略構成図である。サービングノードは、第１のアンカノードへの接続を設定する。第１のアンカノードは、モビリティ管理エンティティＭＭＥへの接続を設定する。
【０１６０】
サービングノードは、送信機５０１及び受信機５０２を含む。
【０１６１】
受信機５０２は、第１のユーザ機器ＵＥにより送信された無線リソース制御ＲＲＣメッセージを受信するように構成される。ＲＲＣメッセージは、シグナリング無線ベアラＳＲＢ１によって搬送されるＲＲＣメッセージ又はＳＲＢ２によって搬送されるＲＲＣメッセージを含む。
【０１６２】
送信機５０１は、受信機５０２により受信されたＲＲＣメッセージを第１のアンカノードへ送信し、それにより、第１のアンカノードの第１のパケットデータコンバージェンスプロトコルＰＤＣＰ層エンティティが、ＳＲＢ１によって搬送されたＲＲＣメッセージを処理し、次に処理されたメッセージを第１のアンカノードのＲＲＣ層エンティティへ送信するか、又は、第１のアンカノードの第２のＰＤＣＰ層エンティティが、ＳＲＢ２によって搬送されたＲＲＣメッセージを処理し、次に処理されたメッセージを第１のアンカノードのＲＲＣ層エンティティへ送信する、ように構成される。
【０１６３】
図６は、本発明の一実施形態によるアンカノードの概略構成図である。第１のサービングノードは、アンカノードへの接続を設定する。アンカノードは、モビリティ管理エンティティＭＭＥへの接続を設定する。アンカは、送信機６０１を含む。
【０１６４】
送信機６０１は、無線リソース制御ＲＲＣメッセージを第１のサービングノードへ送信するように構成される。ＲＲＣメッセージは、シグナリング無線ベアラＳＲＢ１によって搬送されるＲＲＣメッセージ又はＳＲＢ２によって搬送されるＲＲＣメッセージを含む。
【０１６５】
図７は、本発明の一実施形態によるサービングノード側のＲＲＣメッセージ処理方法の流れ図である。ＲＲＣメッセージ処理方法は、図１に示されたネットワークアーキテクチャに基づく。この方法は、サービングノードによって実行される。第１のサービングノードは、第１のアンカノードへの接続を設定する。第１のアンカノードは、モビリティ管理エンティティＭＭＥへの接続を設定する。図７に示されるように、この方法は、具体的には下記のステップを含む。
【０１６６】
ステップ７０１：第１のサービングノードは、第１のＵＥにより送信されたＲＲＣメッセージを受信し、このＲＲＣメッセージは、シグナリング無線ベアラＳＲＢ１によって搬送されるＲＲＣメッセージ又はＳＲＢ２によって搬送されるＲＲＣメッセージを含む。
【０１６７】
複数のＵＥがネットワークにあるので、これら複数のＵＥを区別するために、現在のＵＥは第１のＵＥと呼ばれる。加えて、複数のサービングノード及びアンカノードがあり得る。サービングノードハンドオーバがＵＥに対して行われることができ、すなわち、あるサービングノードから別のサービングノードへハンドオーバする。アンカノードハンドオーバが同様にＵＥに対して行われることができ、すなわち、あるアンカノードから別のアンカノードへハンドオーバする。したがって、第１のＵＥの現在のサービングノードは第１のサービングノードと呼ばれ、第１のＵＥの現在のアンカノードは第１のアンカノードと呼ばれる。
【０１６８】
第１のＵＥ又は第１のアンカノードにより送信されるＲＲＣメッセージは、ＲＲＣ層エンティティによる処理後に得られるメッセージではなく、ただ単にＲＲＣ  ＰＤＵ、たとえば、第１のＵＥ又は第１のアンカノードにより送信されるとともに、ＳＲＢ１によって搬送されるＲＲＣメッセージ又はＳＲＢ２によって搬送されるＲＲＣメッセージを含むＰＤＣＰ  ＰＤＵ、又は、第１のＵＥ又は第１のアンカノードにより送信されるとともに、ＳＲＢ０によって搬送されるＲＲＣメッセージを含むＲＬＣ  ＰＤＵ、を含むコンテンツである。ＲＲＣメッセージが第１のサービングノードと第１のアンカノードとの間で伝送されるとき、ＰＤＣＰ  ＰＤＵ又はＲＬＣ  ＰＤＵは、同様に、情報単位として使用されるとともに、別のプロトコルメッセージに含まれる、たとえば制御プレーンインタフェースシグナリングに含まれる、ことができる。
【０１６９】
本発明のこの実施形態で、第１のサービングノードは、ＳＲＢ０に対応するＲＲＣ機能を有することができる。この方法はさらに、第１のサービングノードのＲＲＣ層エンティティが、ＳＲＢ０によって搬送されるＲＲＣメッセージを生成し、ＳＲＢ０によって搬送されるＲＲＣメッセージを第１のＵＥ及び／又は第１のアンカノードへ送信するステップを含むことができる。
【０１７０】
ＳＲＢ０に対応するＲＲＣ機能は、具体的には、システム同報通信機能、ページング機能、いくつかのＲＲＣ接続設定機能、又はいくつかのＲＲＣ接続再設定機能を含むことができる。いくつかの機能とは、具体的には、ＲＲＣ接続要求メッセージを処理すること、ＲＲＣ接続設定メッセージを生成及び配信すること、ＲＲＣ接続再設定要求メッセージを処理すること、又はＲＲＣ接続再設定メッセージを生成及び配信することを指す。
【０１７１】
ステップ７０２：第１のサービングノードは、ＲＲＣメッセージを第１のアンカノードへ送信し、それにより、第１のアンカノードの第１のＰＤＣＰ層エンティティが、ＳＲＢ１によって搬送されたＲＲＣメッセージを処理し、次に処理されたメッセージを第１のアンカノードのＲＲＣ層エンティティへ送信するか、又は、第１のアンカノードの第２のＰＤＣＰ層エンティティが、ＳＲＢ２によって搬送されたＲＲＣメッセージを処理し、次に処理されたメッセージを第１のアンカノードのＲＲＣ層エンティティへ送信する。
【０１７２】
本発明のこの実施形態で、この方法はさらに、第１のサービングノードにより、第１のアンカノードにより送信されたＲＲＣメッセージを受信するステップであって、ＲＲＣメッセージがＳＲＢ１によって搬送されるＲＲＣメッセージ又はＳＲＢ２によって搬送されるＲＲＣメッセージを含む、ステップと、第１のサービングノードの第１の無線リンク制御ＲＬＣ層エンティティにより、ＳＲＢ１によって搬送されたＲＲＣメッセージを処理し、次に処理されたメッセージを第１のＵＥへ送信するか、又は、第１のサービングノードの第２のＲＬＣ層エンティティにより、ＳＲＢ２によって搬送されたＲＲＣメッセージを処理し、次に処理されたメッセージを第１のＵＥへ送信するステップとを含む。
【０１７３】
デバイス間制御プレーンインタフェースシグナリングが、サービングノードとアンカノードとの間で使用される。したがって、サービングノード及びアンカノードが受信ＲＲＣメッセージのＳＲＢタイプを区別できるようにするために、送信機が表示情報を受信機に送信し、この表示情報を使用してＲＲＣメッセージのＳＲＢタイプを受信機に表示すること、たとえば、ＲＲＣメッセージが具体的には、ＳＲＢ１によって搬送されたＲＲＣメッセージであるか、それともＳＲＢ２によって搬送されたＲＲＣメッセージであるかを表示することができる。本発明のこの実施形態では、表示情報は、ＲＲＣメッセージが送信されているときに搬送されることができる。具体的には、表示情報は、ＲＲＣメッセージにおいて搬送されることができ、又は、表示情報は、ＲＲＣメッセージを搬送する制御プレーンシグナリングメッセージにおいて搬送されることができ、又は、表示情報は、ＲＲＣメッセージが送信された後に単独で送信されることができる。
【０１７４】
本発明のこの実施形態では、第１のアンカノードの第１のＰＤＣＰ層エンティティが、ＳＲＢ１によって搬送されたＲＲＣメッセージを処理し、次に処理されたメッセージをＲＲＣ層エンティティへ送信することは、具体的には下記を含む。第１のアンカノードの第１のＰＤＣＰ層エンティティは、ＳＲＢ１によって搬送されたＲＲＣメッセージを処理して、ＳＲＢ１によって搬送されたＲＲＣメッセージを含むＰＤＣＰ  ＰＤＵを取得し、ＳＲＢ１によって搬送されたＲＲＣメッセージを含むＰＤＣＰ  ＰＤＵを、ＲＲＣ層エンティティへ送信する。ＰＤＣＰ  ＰＤＵは、情報単位として使用されるとともに、別のプロトコルメッセージに含まれる、たとえば制御プレーンインタフェースシグナリングに含まれる、ことができる。
【０１７５】
加えて、ＲＲＣメッセージはさらに、ＳＲＢ０によって搬送されるＲＲＣメッセージを含むことができる。第１のサービングノードにより第１のアンカノードに送信されるＲＲＣメッセージが具体的には、ＳＲＢ０によって搬送されるＲＲＣメッセージであるとき、この方法はさらに、第１のサービングノードにより、第１の表示情報を第１のアンカノードへ送信するステップであって、第１の表示情報が第１のアンカノードにより使用されて第１の表示情報によりＲＲＣメッセージがＳＲＢ０によって搬送されたＲＲＣメッセージであることが識別され、また第１のアンカノードのＲＲＣ層エンティティを使用して処理が行われる、ステップか、又は、第１のサービングノードにより、第１のアンカノードにより送信された第１の表示情報を受信するステップであって、第１の表示情報が第１のサービングノードにより使用されて第１の表示情報によりＲＲＣメッセージがＳＲＢ０によって搬送されたＲＲＣメッセージであることが識別され、また第１のサービングノードのＲＲＣ層エンティティを使用して処理が行われる、ステップを含む。
【０１７６】
同様に、第１のサービングノードはさらに、第２の表示情報を第１のアンカノードへ送信することができる。第２の表示情報は第１のアンカノードにより使用されて第２の表示情報によりＲＲＣメッセージがＳＲＢ１によって搬送されたＲＲＣメッセージであることが識別される。或いは、第１のサービングノードは、第１のアンカノードにより送信された第２の表示情報を受信する。第２の表示情報は第１のサービングノードにより使用されて第２の表示情報によりＲＲＣメッセージがＳＲＢ１によって搬送されたＲＲＣメッセージであることが識別される。
【０１７７】
同様に、第１のサービングノードはさらに、第３の表示情報を第１のアンカノードへ送信することができる。第３の表示情報は第１のアンカノードにより使用されて第３の表示情報によりＲＲＣメッセージがＳＲＢ２によって搬送されたＲＲＣメッセージであることが識別される。或いは、第１のサービングノードは、第１のアンカノードにより送信された第３の表示情報を受信する。第３の表示情報は第１のサービングノードにより使用されて第３の表示情報によりＲＲＣメッセージがＳＲＢ２によって搬送されたＲＲＣメッセージであることが識別される。
【０１７８】
本発明のこの実施形態では、第１のサービングノードがＲＲＣメッセージを第１のアンカノードへ送信する前に、この方法はさらに、第１のサービングノードの第１のＲＬＣ層エンティティにより、ＳＲＢ１によって搬送されたＲＲＣメッセージを処理するか、又は、第２のＲＬＣ層エンティティにより、ＳＲＢ２によって搬送されたＲＲＣメッセージを処理するステップを含むことができる。具体的には、第１のサービングノードの第１のＲＬＣ層エンティティが、ＳＲＢ１によって搬送されるＲＲＣメッセージを処理して、ＳＲＢ１によって搬送されたＲＲＣメッセージを含むＲＬＣ  ＰＤＵを取得するか、又は、第１のサービングノードの第２のＲＬＣ層エンティティが、ＳＲＢ２によって搬送されたＲＲＣメッセージを処理して、ＳＲＢ２によって搬送されたＲＲＣメッセージを含むＲＬＣ  ＰＤＵを取得する。ＲＬＣ  ＰＤＵは、情報単位として使用されるとともに、別のプロトコルメッセージに含まれる、たとえば制御プレーンインタフェースシグナリングに含まれる、ことができる。
【０１７９】
加えて、第１のサービングノードの第１のＲＬＣ層エンティティにより、ＳＲＢ１によって搬送されたＲＲＣメッセージを処理し、次に処理されたメッセージを第１のＵＥへ送信するか、又は、第１のサービングノードの第２のＲＬＣ層エンティティにより、ＳＲＢ２によって搬送されたＲＲＣメッセージを処理し、次に処理されたメッセージを第１のＵＥへ送信するステップが、具体的には、第１のサービングノードの第１のＲＬＣ層エンティティにより、ＳＲＢ１によって搬送されたＲＲＣメッセージを処理し、次に処理されたメッセージを第１のＵＥへメディアアクセス制御ＭＡＣ層及び物理層を使用して送信するか、又は、第１のサービングノードの第２のＲＬＣ層エンティティにより、ＳＲＢ２によって搬送されたＲＲＣメッセージを処理し、次に処理されたメッセージを第１のＵＥへＭＡＣ層及び物理層を使用して送信するステップを含むことができる。
【０１８０】
或いは、第１のサービングノードの第１のＲＬＣ層エンティティにより、ＳＲＢ１によって搬送されたＲＲＣメッセージを処理し、次に処理されたメッセージを第１のＵＥへ送信するか、又は、第１のサービングノードの第２のＲＬＣ層エンティティにより、ＳＲＢ２によって搬送されたＲＲＣメッセージを処理し、次に処理されたメッセージを第１のＵＥへ送信するステップが、具体的には、第１のサービングノードの第１のＲＬＣ層エンティティにより、ＳＲＢ１によって搬送されたＲＲＣメッセージを処理し、次に処理されたメッセージを第１のＵＥへ送信し、それにより、第１のＵＥの第１のＰＤＣＰ層エンティティが、ＳＲＢ１によって搬送されたＲＲＣメッセージを処理し、次に処理されたメッセージをＲＲＣ層エンティティへ送信するか、又は、第１のサービングノードの第２のＲＬＣ層エンティティにより、ＳＲＢ２によって搬送されたＲＲＣメッセージを処理し、次に処理されたメッセージを第１のＵＥへ送信し、それにより、第１のＵＥの第２のＰＤＣＰ層エンティティが、ＳＲＢ２によって搬送されたＲＲＣメッセージを処理し、次に処理されたメッセージをＲＲＣ層エンティティへ送信する、ステップを含むことができる。
【０１８１】
上記の処理過程から、本発明のこの実施形態で提供されるＲＲＣメッセージ処理方法では、ＲＲＣメッセージは、第１のＵＥと第１のアンカノードとの間で直接送信されることができず、第１のサービングノードにより転送される必要があることが分かる。すなわち、第１のＵＥがＲＲＣメッセージを第１のアンカノードへ送信する必要があるとき、第１のＵＥはまず、ＲＲＣメッセージを第１のサービングノードへ送信する必要があり、次に、第１のサービングノードがＲＲＣメッセージを第１のアンカノードへ送信する。第１のアンカノードがＲＲＣメッセージを第１のＵＥへ送信する必要があるとき、第１のアンカノードはまず、ＲＲＣメッセージを第１のサービングノードへ送信する必要があり、次に、第１のサービングノードがＲＲＣメッセージを第１のＵＥへ送信する。ＲＲＣメッセージは２つのノード、すなわち第１のアンカノード及び第１のサービングノードを通過する必要があるので、ＲＲＣ機能は、本発明のこの実施形態で提供される方法を使用して、２つのノードに分割されることができる。
【０１８２】
図８は、本発明の一実施形態によるサービングノード側のＲＲＣメッセージ処理方法の流れ図である。ＲＲＣメッセージ処理方法は、図１に示されたネットワークアーキテクチャに基づいており、具体的には、ＲＲＣ接続を設定するために使用される。この方法は、サービングノードにより実行される。ＲＲＣメッセージは、ＳＲＢ１によって搬送されるＲＲＣメッセージ、ＳＲＢ２によって搬送されるＲＲＣメッセージ、及びＳＲＢ０によって搬送されるＲＲＣメッセージを含む。ＳＲＢ０によって搬送されるＲＲＣメッセージは、具体的には、ＲＲＣ接続要求メッセージ又はＲＲＣ接続設定メッセージであり、ＳＲＢ１によって搬送されるＲＲＣメッセージは、具体的にはＲＲＣ接続設定完了メッセージである。図８に示されるように、この方法は、具体的には下記のステップを含む。
【０１８３】
ステップ８０１：第１のサービングノードが第１のＵＥにより送信されたＲＲＣ接続要求メッセージを受信し、ここで、ＲＲＣ接続要求メッセージとは、第１のＵＥが、第１のサービングノードにより同報通信を用いて送信されたシステムメッセージを受信し、そのシステムメッセージに応じてランダムアクセスメッセージを第１のサービングノードへ送信し、また第１のサービングノードにより送信されたランダムアクセス応答メッセージを受信した後に、第１のＵＥにより第１のサービングノードに送信されるＲＲＣ接続要求メッセージのことである。
【０１８４】
第１のサービングノードは、セル無線ネットワーク一時的識別子ＣＲＮＴＩをＵＥに割り当てることができ、そのＣＲＮＴＩをランダムアクセス応答メッセージに追加して、このランダムアクセス応答メッセージを第１のＵＥへ送信する。
【０１８５】
ステップ８０２：第１のサービングノードは、ＲＲＣ接続要求メッセージを第１のアンカノードへ転送する。
【０１８６】
本発明のこの実施形態では、第１のサービングノードは、ＲＲＣ接続要求メッセージを第１のアンカノードへ転送するときに、第１の表示情報を送信することができる。第１の表示情報が使用されて、ＲＲＣ接続要求メッセージがＳＲＢ０によって搬送されたＲＲＣメッセージであることが表示される。第１の表示情報は、明示的なシグナリング表示、又は特定のメッセージ名とすることができる。後者は、たとえば、ＳＲＢ０ＲＲＣＴｒａｎｓｆｅｒ又はＩｎｉｔｉａｌＲＲＣＴｒａｎｓｆｅｒである。したがって、第１の表示情報によりＲＲＣ接続要求メッセージがＳＲＢ０によって搬送されたＲＲＣメッセージであることを識別した後、第１のアンカノードは、処理のためにそのメッセージをＲＲＣ層エンティティへ直接配信する。
【０１８７】
任意選択で、ＲＲＣ接続要求メッセージを第１のアンカノードへ転送するときに、第１のサービングノードは、ＵＥのＣＲＮＴＩ及び／又はＸ２ＡＰ  ＩＤをＲＲＣ接続要求メッセージに追加することができる。ＣＲＮＴＩは、後に続く潜在的ＭＲＯ最適化のために搬送される。たとえば、隣接するセルから受信されたＲＬＦ表示中のＣＲＮＴＩが、そのＣＲＮＴＩと同じである場合、ＲＬＦがＵＥで発生したと判断することができ、第１のアンカノードは、ＵＥコンテキスト、及びＵＥに対するＲＲＣ接続を、情報に従って生成することができる。
【０１８８】
ステップ８０３：第１のサービングノードは、第１のアンカノードにより送信されたＲＲＣ接続設定メッセージを受信し、ここで、ＲＲＣ接続設定メッセージとは、受信されたＲＲＣ接続要求メッセージに応じて第１のアンカノードにより生成されるＲＲＣ接続設定メッセージのことである。
【０１８９】
本発明のこの実施形態では、第１のアンカノードは、ＲＲＣ接続設定メッセージを送信するときに、第１の表示情報をメッセージに追加することができ、具体的には、第１の表示情報をＲＲＣ接続設定メッセージに追加すること、又は第１の表示情報を、ＲＲＣ接続設定メッセージを搬送する制御プレーンシグナリングメッセージに追加することができる。或いは、第１のアンカノードは、ＲＲＣ接続設定メッセージを送信した後に、単独で第１の表示情報を送信することができ、それにより、第１のサービングノードは、この第１の表示情報によりＲＲＣ接続設定メッセージがＳＲＢ０によって搬送されたＲＲＣメッセージであることを識別する。
【０１９０】
ステップ８０４：第１のサービングノードは、ＲＲＣ接続設定メッセージを第１のＵＥへ送信する。
【０１９１】
ステップ８０５：第１のサービングノードは、第１のＵＥにより送信されたＲＲＣ接続設定完了メッセージを受信する。
【０１９２】
本発明のこの実施形態では、第１のサービングノードは、ＳＲＢ１によって搬送されたＲＲＣメッセージを処理するために使用される第１のＲＬＣ層エンティティと、ＳＲＢ２によって搬送されたＲＲＣメッセージを処理するために使用される第２のＲＬＣ層エンティティとを有する。ＲＲＣ接続設定完了メッセージがＳＲＢ１によって搬送されたＲＲＣメッセージであるので、第１のサービングノードの第１のＲＬＣ層エンティティは、ＲＲＣ接続設定完了メッセージを処理し、次に処理されたメッセージを第１のＵＥへ送信する。
【０１９３】
ステップ８０６：第１のサービングノードはＲＲＣ接続設定完了メッセージを第１のアンカノードへ送信してＲＲＣ接続を第１のアンカノード及び第１のＵＥに対して設定する。
【０１９４】
第１のサービングノードは、ＲＲＣ接続設定完了メッセージを第１のアンカノードへ送信するときに、第２の表示情報をメッセージに追加することができ、具体的には、第２の表示情報をＲＲＣ接続設定完了メッセージに追加すること、又は第２の表示情報を、ＲＲＣ接続設定完了メッセージを搬送する制御プレーンシグナリングメッセージに追加することができる。或いは、第１のサービングノードは、ＲＲＣ接続設定完了メッセージを送信した後に、単独で第２の表示情報を送信することができ、それにより、第１のアンカノードは、この第２の表示情報によりＲＲＣ接続設定完了メッセージがＳＲＢ１によって搬送されたＲＲＣメッセージであることを識別する。次に、ＲＲＣ接続設定完了メッセージは、第１のアンカノードの第１のＰＤＣＰ層で処理され、次に、処理されたメッセージがＲＲＣ層エンティティに送信される。
【０１９５】
加えて、ＲＲＣ接続が第１のアンカノードと第１のＵＥとの間に設定された後、後に続くアップリンク／ダウンリンクＲＲＣメッセージ処理過程において、第１のサービングノードは、第１のアンカノードへ、ＳＲＢ１によって搬送され第１のＵＥから受信されたＲＲＣメッセージに対応するＰＤＣＰ  ＰＤＵと、ＳＲＢ２によって搬送され第１のＵＥから受信されたＲＲＣメッセージに対応するＰＤＣＰ  ＰＤＵとを転送することができる。ＳＲＢ１のＰＤＣＰエンティティ及びＳＲＢ２のＰＤＣＰエンティティがそれぞれＲＲＣメッセージを処理した後、第１のアンカノードは、処理されたメッセージをＲＲＣ層エンティティへ配信することができる。加えて、第１のサービングノードは、処理のために、ＳＲＢ１のＲＬＣエンティティ及びＳＲＢ２のＲＬＣエンティティそれぞれへ、ＳＲＢ１によって搬送され第１のアンカノードから受信されたＲＲＣメッセージに対応するＰＤＣＰ  ＰＤＵと、ＳＲＢ２によって搬送され第１のアンカノードから受信されたＲＲＣメッセージに対応するＰＤＣＰ  ＰＤＵとを、配信することができ、次に、処理されたメッセージを第１のＵＥへＭＡＣ層及び物理層を使用して送信する。ＲＲＣメッセージが第１のアンカノードと第１のサービングノードとの間で送信されるごとに、ＲＲＣメッセージが、ＳＲＢ０によって搬送されたＲＲＣメッセージであるか、ＳＲＢ１によって搬送されたＲＲＣメッセージであるか、又はＳＲＢ２によって搬送されたＲＲＣメッセージであるかどうかが表示される必要があり、それにより、受信機が処理を行う。
【０１９６】
上記の処理過程から、本発明のこの実施形態で提供されるＲＲＣメッセージ処理方法では、ＲＲＣ接続を第１のアンカノード及び第１のＵＥに対して設定できることが分かる。加えて、ＲＲＣ接続を設定する過程において、第１のサービングノードと第１のアンカノードとの間のＲＲＣメッセージに対し、ＳＲＢタイプを表示するために使用される表示情報が、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０１９７】
図９は、本発明の一実施形態によるサービングノード側のＲＲＣメッセージ処理方法の流れ図である。ＲＲＣメッセージ処理方法は、図１に示されたネットワークアーキテクチャに基づいており、具体的には、ＤＲＢベアラを設定するために使用される。この方法は、サービングノードにより実行される。ＲＲＣメッセージは、ＳＲＢ１によって搬送されるＲＲＣメッセージを含む。ＳＲＢ１によって搬送されるＲＲＣメッセージは、具体的には、ＲＲＣ接続再構成メッセージ又はＲＲＣ接続再構成完了メッセージである。図９に示されるように、この方法は、具体的には下記のステップを含む。
【０１９８】
ステップ９０１：第１のサービングノードがベアラ追加／修正確認メッセージを第１のアンカノードへ送信し、ここで、ベアラ追加／修正確認メッセージとは、第１のサービングノードが第１のアンカノードにより送信されたベアラ追加／修正要求メッセージを受信した後に、そのベアラ追加／修正要求メッセージに応じて、第１のサービングノードにより生成されるベアラ追加／修正確認メッセージのことである。
【０１９９】
本発明のこの実施形態では、第１のＵＥにより送信されたＲＲＣ接続設定完了メッセージを受信した後に、第１のアンカノードは、初期ＵＥ情報をＭＭＥへ送信し、ＭＭＥにより送信される初期環境設定要求メッセージ又はＥ−ＲＡＢ設定要求メッセージを受信し、ベアラ追加／修正要求メッセージを第１のサービングノードへ送信することができる。
【０２００】
Ｅ−ＲＡＢとはＥ−ＵＴＲＡＮ  ｒａｄｉｏ  ａｃｃｅｓｓ  ｂｅａｒｅｒを短縮したもの、Ｅ−ＵＴＲＡＮとはｅｖｏｌｖｅｄ  ＵＴＲＡＮを短縮したもの、ＵＴＲＡＮとはＵＭＴＳ  Ｔｅｒｒｅｓｔｒｉａｌ  Ｒａｄｉｏ  Ａｃｃｅｓｓ  Ｎｅｔｗｏｒｋを短縮したもの、またＲＡＢとはｒａｄｉｏ  ａｃｃｅｓｓ  ｂｅａｒｅｒ，無線アクセスベアラを短縮したものである。
【０２０１】
ステップ９０２：第１のサービングノードは、第１のアンカノードにより送信されたＲＲＣ接続再構成メッセージを受信する。
【０２０２】
第１のサービングノードはさらに、第２の表示情報を受信することができ、それにより第１のサービングノードは、この第２の表示情報によりＲＲＣ接続再構成メッセージがＳＲＢ１によって搬送されたＲＲＣメッセージであることを識別する。第１のサービングノードの第１のＲＬＣ層エンティティが、ＳＲＢ１によって搬送されたＲＲＣメッセージを処理する。
【０２０３】
ステップ９０３：ＲＲＣ接続再構成メッセージを第１のＵＥへ送信する。
【０２０４】
本発明のこの実施形態では、具体的には、第１のサービングノードの第１のＲＬＣ層エンティティは、ＳＲＢ１によって搬送されたＲＲＣメッセージを処理し、次に処理されたメッセージを第１のＵＥへＭＡＣ層及び物理層を使用して送信することができる。
【０２０５】
ステップ９０４：第１のＵＥにより送信されたＲＲＣ接続再構成完了メッセージを受信する。
【０２０６】
ステップ９０５：ＲＲＣ接続再構成完了メッセージを第１のアンカノードへ送信し、それにより、第１のアンカノードは、ＲＲＣ接続再構成完了メッセージに応じてベアラ追加／修正完了メッセージを第１のサービングノードへ送信する。
【０２０７】
第２の表示情報は、ＲＲＣ接続再構成完了メッセージが送信されているときに搬送されることができる。具体的には、第２の表示情報は、ＲＲＣ接続再構成完了メッセージにおいて搬送されることができ、又は、第２の表示情報は、ＲＲＣ接続再構成完了メッセージを搬送する制御プレーンシグナリングメッセージにおいて搬送されることができる。或いは、第２の表示情報は、ＲＲＣ接続再構成完了メッセージが送信された後に単独で送信されることができ、それにより、第１のアンカノードは、第２の表示情報によりＲＲＣ接続再構成メッセージがＳＲＢ１によって搬送されたＲＲＣメッセージであることを識別する。第１のアンカノードの第１のＰＤＣＰ層エンティティが、ＳＲＢ１によって搬送されたＲＲＣメッセージを処理し、次に処理されたメッセージをＲＲＣ層エンティティへ送信する。好ましくは、第２の表示情報は、制御プレーンシグナリングメッセージにおいて搬送される。
【０２０８】
上記の処理過程から、本発明のこの実施形態で提供されるＲＲＣメッセージ処理方法では、ＤＲＢベアラを設定できることが分かる。加えて、ＤＲＢベアラを設定する過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２０９】
図１０は、本発明の一実施形態によるサービングノード側のＲＲＣメッセージ処理方法の流れ図である。ＲＲＣメッセージ処理方法は、図１に示されたネットワークアーキテクチャに基づいており、具体的には、アンカノードに接続されたサービングノード間のハンドオーバのために使用される。この方法は、サービングノードにより実行される。ＲＲＣメッセージは、ＳＲＢ１によって搬送されるＲＲＣメッセージを含む。ＳＲＢ１によって搬送されるＲＲＣメッセージは、具体的には、ＲＲＣ接続再構成メッセージ又はＲＲＣ接続再構成完了メッセージである。図１０に示されるように、この方法は、具体的には下記のステップを含む。
【０２１０】
ステップ１００１：第１のサービングノードが第１のアンカノードにより送信されたＲＲＣ接続再構成メッセージを受信し、ここで、ＲＲＣ接続再構成メッセージとは、第１のサービングノードが、第１のアンカノードにより送信されたベアラ追加／修正要求メッセージを受信し、ベアラ追加／修正確認メッセージを第１のアンカノードへ送信した後に、第１のアンカノードにより送信されるＲＲＣ接続再構成メッセージのことである。
【０２１１】
第２の表示情報は、ＲＲＣ接続再構成メッセージが送信されているときに搬送されることができる。具体的には、第２の表示情報は、ＲＲＣ接続再構成メッセージにおいて搬送されることができ、又は、第２の表示情報は、ＲＲＣ接続再構成メッセージを搬送する制御プレーンシグナリングメッセージにおいて搬送されることができる。或いは、第２の表示情報は、ＲＲＣ接続再構成メッセージが送信された後に単独で送信されることができ、それにより、第１のサービングノードは、この第２の表示情報によりＲＲＣ接続再構成メッセージがＳＲＢ１によって搬送されたＲＲＣメッセージであることを識別する。第１のサービングノードの第１のＲＬＣ層エンティティが、ＳＲＢ１によって搬送されたＲＲＣメッセージを処理する。
【０２１２】
本発明のこの実施形態では、第１のアンカノードは、第１のアンカノードがＲＲＣ接続再構成メッセージを第１のサービングノードへ送信する前に、ベアラ解放要求メッセージを第２のサービングノードへ送信することができる。或いは、第１のアンカノードは、第１のアンカノードがＲＲＣ接続再構成メッセージを第１のサービングノードへ送信した後に、ベアラ解放要求メッセージを第２のサービングノードへ送信することができる。ベアラ解放要求メッセージを送信すること、及びＲＲＣ接続再構成メッセージを送信することについての順序は、本発明では特に限定されていない。
【０２１３】
ステップ１００２：第１のサービングノードは、ＲＲＣ接続再構成メッセージを第１のＵＥへ送信する。
【０２１４】
具体的には、第１のサービングノードの第１のＲＬＣ層エンティティは、ＲＲＣ接続再構成メッセージを処理し、次に処理されたメッセージを第１のＵＥへＭＡＣ層及び物理層を使用して送信することができる。
【０２１５】
ステップ１００３：第１のサービングノードは、第１のＵＥにより送信されたＲＲＣ接続再構成完了メッセージを受信する。
【０２１６】
ステップ１００４：第１のサービングノードは、ＲＲＣ接続再構成完了メッセージを第１のアンカノードへ送信する。
【０２１７】
第２の表示情報は、ＲＲＣ接続再構成完了メッセージが送信されているときに搬送されることができる。具体的には、第２の表示情報は、ＲＲＣ接続再構成完了メッセージにおいて搬送されることができ、又は、第２の表示情報は、ＲＲＣ接続再構成完了メッセージを搬送する制御プレーンシグナリングメッセージにおいて搬送されることができる。或いは、第２の表示情報は、ＲＲＣ接続再構成完了メッセージが送信された後に単独で送信されることができ、それにより、第１のアンカノードは、この第２の表示情報によりＲＲＣ接続再構成メッセージがＳＲＢ１によって搬送されたＲＲＣメッセージであることを識別する。第１のアンカノードの第１のＰＤＣＰ層エンティティが、ＳＲＢ１によって搬送されたＲＲＣメッセージを処理し、次に処理されたメッセージをＲＲＣ層エンティティへ送信する。
【０２１８】
ステップ１００５：第１のサービングノードは、第１のアンカノードにより送信されたベアラ追加／修正完了メッセージを受信する。
【０２１９】
上記の処理過程から、本発明のこの実施形態で提供されるＲＲＣメッセージ処理方法では、アンカノードに接続されたサービングノード間のハンドオーバを実施できることが分かる。加えて、サービングノードハンドオーバ過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２２０】
図１１は、本発明の一実施形態によるサービングノード側のＲＲＣメッセージ処理方法の流れ図である。ＲＲＣメッセージ処理方法は、図１に示されたネットワークアーキテクチャに基づいており、具体的には、アンカノードに接続されたサービングノード間のハンドオーバのために使用される。この方法は、サービングノードにより実行される。ＲＲＣメッセージは、ＳＲＢ１によって搬送されるＲＲＣメッセージを含む。ＳＲＢ１によって搬送されるＲＲＣメッセージは、具体的にはＲＲＣ接続再構成メッセージである。図１１に示されるように、この方法は、具体的には下記のステップを含む。
【０２２１】
ステップ１１０１：第１のサービングノードが第１のアンカノードにより送信されたＲＲＣ接続再構成メッセージを受信し、ここで、ＲＲＣ接続再構成メッセージとは、第２のアンカノード又は隣接する基地局が、第１のアンカノードにより送信されたハンドオーバ要求メッセージを受信し、ハンドオーバ要求確認メッセージを第１のアンカノードへ送信した後に、第１のアンカノードにより送信されるＲＲＣ接続再構成メッセージのことであり、第１のサービングノードは第１のアンカノードに属する。
【０２２２】
第２の表示情報は、ＲＲＣ接続再構成メッセージが送信されているときに搬送されることができる。具体的には、第２の表示情報は、ＲＲＣ接続再構成メッセージにおいて搬送されることができ、又は、第２の表示情報は、ＲＲＣ接続再構成メッセージを搬送する制御プレーンシグナリングメッセージにおいて搬送されることができる。或いは、第２の表示情報は、ＲＲＣ接続再構成メッセージが送信された後に単独で送信されることができ、それにより、第１のサービングノードは、この第２の表示情報によりＲＲＣ接続再構成メッセージがＳＲＢ１によって搬送されたＲＲＣメッセージであることを識別する。第１のサービングノードの第１のＲＬＣ層エンティティが、ＲＲＣ接続再構成メッセージを処理する。
【０２２３】
隣接する基地局とは、第１のサービングノードが置かれているセルと隣接するセル内に設置されている基地局のことである。本発明のこの実施形態では、ハンドオーバが第１のアンカノードについて行われる必要があるとき、このハンドオーバは、第１のアンカノードから第２のアンカノードへ、又は隣接する基地局へ行うことができる。
【０２２４】
ステップ１１０２：第１のサービングノードは、ＲＲＣ接続再構成メッセージを第１のＵＥへ送信する。
【０２２５】
具体的には、第１のサービングノードの第１のＲＬＣ層エンティティは、ＲＲＣ接続再構成メッセージを処理し、次に処理されたメッセージを第１のＵＥへＭＡＣ層及び物理層を使用して送信することができる。
【０２２６】
加えて、ステップ１１０２の後に第１のアンカノードは、ベアラ解放要求メッセージを第１のサービングノードへ送信することができる。
【０２２７】
本発明のこの実施形態では、下記の処理過程をさらに含むことができる。第２のアンカノード又は隣接する基地局は、第１のＵＥのランダムアクセス過程を処理する。第２のサービングノード又は隣接する基地局は、第１のＵＥにより送信されたＲＲＣ接続再構成完了メッセージを受信する。第２のサービングノードは、ＲＲＣ接続再構成完了メッセージを第２のアンカノードへ送信する。第１のアンカノードは、第２のアンカノード又は隣接する基地局により送信されたＵＥコンテキスト解放要求メッセージを受信する。
【０２２８】
第２の表示情報は、ＲＲＣ接続再構成完了メッセージが送信されているときに搬送されることができる。具体的には、第２の表示情報は、ＲＲＣ接続再構成完了メッセージにおいて搬送されることができ、又は、第２の表示情報は、ＲＲＣ接続再構成完了メッセージを搬送する制御プレーンシグナリングメッセージにおいて搬送されることができる。或いは、第２の表示情報は、ＲＲＣ接続再構成完了メッセージが送信された後に単独で送信されることができ、それにより、第２のアンカノードは、この第２の表示情報によりＲＲＣ接続再構成完了メッセージがＳＲＢ１によって搬送されたＲＲＣメッセージであることを識別する。第２のアンカノードの第１のＰＤＣＰ層エンティティが、ＳＲＢ１によって搬送されたＲＲＣメッセージを処理し、次に処理されたメッセージをＲＲＣ層エンティティへ送信する。
【０２２９】
上記の処理過程から、本発明のこの実施形態で提供されるＲＲＣメッセージ処理方法では、アンカノードに接続されたサービングノード間のハンドオーバを実施できることが分かる。加えて、サービングノードハンドオーバ過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２３０】
図１２は、本発明の一実施形態によるサービングノード側のＲＲＣメッセージ処理方法の流れ図である。ＲＲＣメッセージ処理方法は、図１に示されたネットワークアーキテクチャに基づいており、具体的には、無線リンク障害が発生した後に、ＲＲＣ接続再設定のために使用される。この方法は、サービングノードにより実行される。ＲＲＣメッセージは、ＳＲＢ０によって搬送されるＲＲＣメッセージ、及びＳＲＢ１によって搬送されるＲＲＣメッセージを含む。ＳＲＢ０によって搬送されるＲＲＣメッセージは、具体的には、ＲＲＣ接続再設定要求メッセージ又はＲＲＣ接続再設定メッセージである。ＳＲＢ１によって搬送されるＲＲＣメッセージは、具体的にはＲＲＣ接続再設定完了メッセージである。図１２に示されるように、この方法は、具体的には下記のステップを含む。
【０２３１】
ステップ１２０１：第１のサービングノードが第１のＵＥにより送信されたＲＲＣ接続再設定要求メッセージを受信し、ここで、ＲＲＣ接続再設定要求メッセージとは、第１のＵＥが、無線リンク障害ＲＬＦを発見し、第１のサービングノードにより同報通信を用いて送信されたシステムメッセージを受信し、システムメッセージに応じてランダムアクセスメッセージを第１のサービングノードへ送信し、また第１のサービングノードにより送信されたランダムアクセス応答メッセージを受信した後に、第１のＵＥにより送信されるＲＲＣ接続再設定要求メッセージのことである。
【０２３２】
ステップ１２０２：第１のサービングノードは、ＲＲＣ接続再設定要求メッセージを第１のアンカノードへ送信する。
【０２３３】
本発明のこの実施形態では、第１のサービングノードは、ＲＲＣ接続再設定要求メッセージを第１のアンカノードへ送信するときに、第１の表示情報をメッセージに追加することができ、具体的には、第１の表示情報をＲＲＣ接続再設定要求メッセージに追加すること、又は第１の表示情報を、ＲＲＣ接続再設定要求メッセージを搬送する制御プレーンシグナリングメッセージに加えることができる。或いは、第１のサービングノードは、ＲＲＣ接続再設定要求メッセージを送信した後に、単独で第１の表示情報を送信することができる。第１の表示情報が使用されて、ＲＲＣ接続再設定要求メッセージがＳＲＢ０によって搬送されたＲＲＣメッセージであることが表示される。第１の表示情報は、明示的なシグナリング表示、又は特定のメッセージ名とすることができる。後者は、たとえば、ＳＲＢ０ＲＲＣＴｒａｎｓｆｅｒ又はＩｎｉｔｉａｌＲＲＣＴｒａｎｓｆｅｒである。したがって、第１の表示情報によりＲＲＣ接続再設定要求メッセージがＳＲＢ０によって搬送されたＲＲＣメッセージであることを識別した後、第１のアンカノードは、処理のためにそのメッセージをＲＲＣ層エンティティへ直接配信する。
【０２３４】
ステップ１２０３：第１のサービングノードは、第１のアンカノードにより送信されたＲＲＣ接続再設定メッセージを受信する。
【０２３５】
本発明のこの実施形態では、第１のアンカノードは、ＲＲＣ接続再設定メッセージを第１のサービングノードへ送信するときに、第１の表示情報をメッセージに追加することができ、具体的には、第１の表示情報をＲＲＣ接続再設定メッセージに追加すること、又は第１の表示情報を、ＲＲＣ接続再設定メッセージを搬送する制御プレーンシグナリングメッセージに追加することができる。或いは、第１のアンカノードは、ＲＲＣ接続再設定メッセージを送信した後に、単独で第１の表示情報を送信することができ、それにより、第１のサービングノードは、この第１の表示情報によりＲＲＣ接続設定メッセージがＳＲＢ０によって搬送されたＲＲＣメッセージであることを識別する。
【０２３６】
ステップ１２０４：第１のサービングノードは、ＲＲＣ接続再設定メッセージを第１のＵＥへ送信する。
【０２３７】
ステップ１２０５：第１のサービングノードは、第１のＵＥにより送信されたＲＲＣ接続再設定完了メッセージを受信する。
【０２３８】
本発明のこの実施形態では、第１のサービングノードは、ＳＲＢ１によって搬送されたＲＲＣメッセージを処理するために使用される第１のＲＬＣ層エンティティと、ＳＲＢ２によって搬送されたＲＲＣメッセージを処理するために使用される第２のＲＬＣ層エンティティとを有する。ＲＲＣ接続再設定完了メッセージがＳＲＢ１によって搬送されたＲＲＣメッセージであるので、第１のサービングノードの第１のＲＬＣ層エンティティは、ＲＲＣ接続再設定完了メッセージを処理し、次に処理されたメッセージを第１のＵＥへ送信する。
【０２３９】
ステップ１２０６：第１のサービングノードは、ＲＲＣ接続再設定完了メッセージを第１のアンカノードへ送信してＲＲＣ接続を第１のアンカノード及び第１のＵＥに対して設定する。
【０２４０】
第１のサービングノードはさらに第２の表示情報を、ＲＲＣ接続再設定完了メッセージを第１のアンカノードへ送信するときに送信することができ、それにより、第１のアンカノードは、第２の表示情報によりＲＲＣ接続再設定完了メッセージがＳＲＢ１によって搬送されたＲＲＣメッセージであることを識別する。次に、第１のアンカノードの第１のＰＤＣＰ層エンティティが、ＲＲＣ接続再設定完了メッセージを処理し、次に処理されたメッセージをＲＲＣ層エンティティへ送信する。
【０２４１】
上記の処理過程から、本発明のこの実施形態で提供されるＲＲＣメッセージ処理方法では、無線リンク障害が発生した後にＲＲＣ接続再設定を実施できることが分かる。加えて、ＲＲＣ接続再設定過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２４２】
図１３は、本発明の一実施形態によるアンカノード側のＲＲＣメッセージ処理方法の流れ図である。ＲＲＣメッセージ処理方法は、図１に示されたネットワークアーキテクチャに基づいている。この方法は、アンカノードにより実行される。図１３に示されるように、この方法は、具体的には下記のステップを含む。
【０２４３】
ステップ１３０１：第１のアンカノードがＲＲＣメッセージを第１のサービングノードへ送信し、ここで、ＲＲＣメッセージは、ＳＲＢ１によって搬送されるＲＲＣメッセージ又はＳＲＢ２によって搬送されるＲＲＣメッセージを含む。
【０２４４】
第１のアンカノードは、ＳＲＢ１に対応するＲＲＣ機能、及びＳＲＢ２に対応するＲＲＣ機能を有する。
【０２４５】
ステップ１３０２．第１のアンカノードは、第１のサービングノードにより送信されたＲＲＣメッセージを受信し、第１のアンカノードの第１のＰＤＣＰ層エンティティが、ＳＲＢ１によって搬送されたＲＲＣメッセージを処理し、次に処理されたメッセージをＲＲＣ層エンティティへ送信するか、又は、第２のＰＤＣＰ層エンティティが、ＳＲＢ２によって搬送されたＲＲＣメッセージを処理し、次に処理されたメッセージをＲＲＣ層エンティティへ送信する。
【０２４６】
ＲＲＣメッセージはさらに、ＳＲＢ０によって搬送されるＲＲＣメッセージを含むことができる。この方法はさらに、第１のアンカノードにより、第１のサービングノードにより送信された第１の表示情報を受信するステップであって、第１の表示情報が第１のアンカノードにより使用されて第１の表示情報によりＲＲＣメッセージがＳＲＢ０によって搬送されたＲＲＣメッセージであることが識別され、また第１のアンカノードのＲＲＣ層エンティティを使用して処理が行われる、ステップか、又は、第１のアンカノードにより、第１の表示情報を第１のサービングノードへ送信するステップであって、第１の表示情報が第１のサービングノードにより使用されて第１の表示情報によりＲＲＣメッセージがＳＲＢ０によって搬送されたＲＲＣメッセージであることが識別され、また第１のサービングノードのＲＲＣ層エンティティを使用して処理が行われる、ステップを含むことができる。
【０２４７】
この方法はさらに、第１のアンカノードにより、第１のサービングノードにより送信された第２の表示情報を受信するステップであって、第２の表示情報が第１のアンカノードにより使用されて第２の表示情報によりＲＲＣメッセージがＳＲＢ１によって搬送されたＲＲＣメッセージであることが識別される、ステップか、又は、第１のアンカノードにより、第２の表示情報を第１のサービングノードへ送信するステップであって、第２の表示情報が第１のサービングノードにより使用されて第２の表示情報によりＲＲＣメッセージがＳＲＢ１によって搬送されたＲＲＣメッセージであることが識別される、ステップを含むことができる。
【０２４８】
この方法はさらに、第１のアンカノードにより、第１のサービングノードにより送信された第３の表示情報を受信するステップであって、第３の表示情報が第１のアンカノードにより使用されて第３の表示情報によりＲＲＣメッセージがＳＲＢ２によって搬送されたＲＲＣメッセージであることが識別される、ステップか、又は、第１のアンカノードにより、第３の表示情報を第１のサービングノードへ送信するステップであって、第３の表示情報が第１のサービングノードにより使用されて第３の表示情報によりＲＲＣメッセージがＳＲＢ２によって搬送されたＲＲＣメッセージであることが識別される、ステップを含むことができる。
【０２４９】
上記の処理過程から、本発明のこの実施形態で提供されるＲＲＣメッセージ処理方法では、ＲＲＣメッセージは、第１のＵＥと第１のアンカノードとの間で直接送信されることができず、第１のサービングノードにより転送される必要があることが分かる。すなわち、第１のＵＥがＲＲＣメッセージを第１のアンカノードへ送信する必要があるとき、第１のＵＥはまず、ＲＲＣメッセージを第１のサービングノードへ送信する必要があり、次に、第１のサービングノードがＲＲＣメッセージを第１のアンカノードへ送信する。第１のアンカノードがＲＲＣメッセージを第１のＵＥへ送信する必要があるとき、第１のアンカノードはまず、ＲＲＣメッセージを第１のサービングノードへ送信する必要があり、次に、第１のサービングノードがＲＲＣメッセージを第１のＵＥへ送信する。ＲＲＣメッセージは２つのノード、すなわち第１のアンカノード及び第１のサービングノードを通過する必要があるので、ＲＲＣ機能は、本発明の実施形態１で提供される方法を使用して、２つのノードに分割されることができる。
【０２５０】
図１４は、本発明の一実施形態によるアンカノード側のＲＲＣメッセージ処理方法の流れ図である。ＲＲＣメッセージ処理方法は、図１に示されたネットワークアーキテクチャに基づいており、具体的には、ＲＲＣ接続を設定するために使用される。この方法は、アンカノードにより実行される。ＲＲＣメッセージは、ＳＲＢ１によって搬送されるＲＲＣメッセージ、ＳＲＢ２によって搬送されるＲＲＣメッセージ、及びＳＲＢ０によって搬送されるＲＲＣメッセージを含む。ＳＲＢ０によって搬送されるＲＲＣメッセージは、具体的には、ＲＲＣ接続要求メッセージ又はＲＲＣ接続設定メッセージである。ＳＲＢ１によって搬送されるＲＲＣメッセージは、具体的にはＲＲＣ接続設定完了メッセージである。図１４に示されるように、この方法は、具体的には下記のステップを含む。
【０２５１】
ステップ１４０１：第１のアンカノードが第１のサービングノードによって転送されたＲＲＣ接続要求メッセージを受信し、ここで、ＲＲＣ接続要求メッセージとは、第１のＵＥが、第１のサービングノードにより同報通信を用いて送信されたシステムメッセージを受信し、そのシステムメッセージに応じてランダムアクセスメッセージを第１のサービングノードへ送信し、また第１のサービングノードにより送信されたランダムアクセス応答メッセージを受信した後に、第１のＵＥにより第１のサービングノードに送信されるＲＲＣ接続要求メッセージのことである。
【０２５２】
ステップ１４０２：第１のアンカノードは、ＲＲＣ接続要求メッセージに応じてＲＲＣ接続設定メッセージを生成する。
【０２５３】
ステップ１４０３：第１のアンカノードは、ＲＲＣ接続設定メッセージを第１のサービングノードへ送信し、それにより、第１のサービングノードは、ＲＲＣ接続設定メッセージを第１のＵＥへ送信する。
【０２５４】
ステップ１４０４：第１のアンカノードは、第１のサービングノードにより送信されたＲＲＣ接続設定完了メッセージを受信してＲＲＣ接続を第１のアンカノード及び第１のＵＥに対して設定し、ここで、ＲＲＣ接続設定完了メッセージとは、第１のＵＥがＲＲＣ接続設定メッセージを受信した後に、第１のＵＥにより第１のサービングノードに送信されるＲＲＣ接続設定完了メッセージのことである。
【０２５５】
上記の処理過程から、本発明のこの実施形態で提供されるＲＲＣメッセージ処理方法では、ＲＲＣ接続を第１のアンカノード及び第１のＵＥに対して設定できることが分かる。加えて、ＲＲＣ接続を設定する過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２５６】
図１５は、本発明の一実施形態によるアンカノード側のＲＲＣメッセージ処理方法の流れ図である。ＲＲＣメッセージ処理方法は、図１に示されたネットワークアーキテクチャに基づいており、具体的には、ＤＲＢベアラを設定するために使用される。この方法は、アンカノードにより実行される。ＲＲＣメッセージは、ＳＲＢ１によって搬送されるＲＲＣメッセージを含む。ＳＲＢ１によって搬送されるＲＲＣメッセージは、具体的には、ＲＲＣ接続再構成メッセージ又はＲＲＣ接続再構成完了メッセージである。図１５に示されるように、この方法は、具体的には下記のステップを含む。
【０２５７】
ステップ１５０１：第１のアンカノードが第１のサービングノードにより送信されたベアラ追加／修正確認メッセージを受信し、ここで、ベアラ追加／修正確認メッセージとは、第１のアンカノードがベアラ追加／修正要求メッセージを第１のサービングノードへ送信した後に、そのベアラ追加／修正要求メッセージに応じて第１のサービングノードにより生成されるベアラ追加／修正確認メッセージのことである。
【０２５８】
ステップ１５０２：第１のアンカノードは、ＲＲＣ接続再構成メッセージを第１のサービングノードへ送信し、それにより、第１のサービングノードは、ＲＲＣ接続再構成メッセージを第１のＵＥへ送信する。
【０２５９】
ステップ１５０３：第１のアンカノードは、第１のサービングノードにより送信されたＲＲＣ接続再構成完了メッセージを受信し、ここで、ＲＲＣ接続再構成完了メッセージとは、第１のＵＥがＲＲＣ接続再構成メッセージを受信した後に、第１のＵＥにより第１のサービングノードに送信されるＲＲＣ接続再構成完了メッセージのことであり、第１のアンカノードは、ＲＲＣ接続再構成完了メッセージに応じてベアラ追加／修正完了メッセージを第１のサービングノードへ送信する。
【０２６０】
上記の処理過程から、本発明のこの実施形態で提供されるＲＲＣメッセージ処理方法では、ＤＲＢベアラを設定できることが分かる。加えて、ＤＲＢベアラを設定する過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２６１】
図１６は、本発明の一実施形態によるアンカノード側のＲＲＣメッセージ処理方法の流れ図である。ＲＲＣメッセージ処理方法は、図１に示されたネットワークアーキテクチャに基づいており、具体的には、アンカノードに接続されたサービングノード間のハンドオーバのために使用される。この方法は、アンカノードにより実行される。ＲＲＣメッセージは、ＳＲＢ１によって搬送されるＲＲＣメッセージを含む。ＳＲＢ１によって搬送されるＲＲＣメッセージは、具体的には、ＲＲＣ接続再構成メッセージ又はＲＲＣ接続再構成完了メッセージである。図１６に示されるように、この方法は、具体的には下記のステップを含む。
【０２６２】
ステップ１６０１：第１のアンカノードがＲＲＣ接続再構成メッセージを第１のサービングノードへ送信し、ここで、ＲＲＣ接続再構成メッセージとは、第１のアンカノードが、ベアラ追加／修正要求メッセージを第１のサービングノードへ送信し、その第１のサービングノードにより送信されたベアラ追加／修正確認メッセージを受信した後に、第１のアンカノードにより第１のサービングノードに送信されるＲＲＣ接続再構成メッセージのことである。
【０２６３】
ステップ１６０２：第１のアンカノードは、第１のサービングノードにより送信されたＲＲＣ接続再構成完了メッセージを受信し、ここで、ＲＲＣ接続再構成完了メッセージとは、第１のサービングノードが、第１のアンカノードにより送信されたＲＲＣ接続再構成メッセージを受信し、そのＲＲＣ接続再構成メッセージを第１のＵＥへ送信した後に、第１のＵＥにより送信され第１のサービングノードにより受信されるＲＲＣ接続再構成完了メッセージのことである。
【０２６４】
ステップ１６０３：第１のアンカノードは、ベアラ追加／修正完了メッセージを第１のサービングノードへ送信する。
【０２６５】
上記の処理過程から、本発明のこの実施形態で提供されるＲＲＣメッセージ処理方法では、アンカノードに接続されたサービングノード間のハンドオーバを実施できることが分かる。加えて、サービングノードハンドオーバ過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２６６】
図１７は、本発明の一実施形態によるアンカノード側のＲＲＣメッセージ処理方法の流れ図である。ＲＲＣメッセージ処理方法は、図１に示されたネットワークアーキテクチャに基づいており、具体的には、アンカノードに接続されたサービングノード間のハンドオーバのために使用される。この方法は、アンカノードにより実行される。ＲＲＣメッセージは、ＳＲＢ１によって搬送されるＲＲＣメッセージを含む。ＳＲＢ１によって搬送されるＲＲＣメッセージは、具体的には、ＲＲＣ接続再構成メッセージである。図１７に示されるように、この方法は、具体的には下記のステップを含む。
【０２６７】
ステップ１７０１：第１のアンカノードがＲＲＣ接続再構成メッセージを第１のサービングノードへ送信し、それにより、第１のサービングノードはＲＲＣ接続再構成メッセージを第１のＵＥへ送信し、ここで、ＲＲＣ接続再構成メッセージとは、第２のアンカノード又は隣接する基地局が、第１のアンカノードにより送信されたハンドオーバ要求メッセージを受信し、ハンドオーバ要求確認メッセージを第１のアンカノードへ送信した後に、第１のアンカノードにより送信されるＲＲＣ接続再構成メッセージのことであり、第１のサービングノードは第１のアンカノードに属する。
【０２６８】
上記の処理過程から、本発明のこの実施形態で提供されるＲＲＣメッセージ処理方法では、アンカノードに接続されたサービングノード間のハンドオーバを実施できることが分かる。加えて、サービングノードハンドオーバ過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２６９】
図１８は、本発明の一実施形態によるアンカノード側のＲＲＣメッセージ処理方法の流れ図である。ＲＲＣメッセージ処理方法は、図１に示されたネットワークアーキテクチャに基づいており、具体的には、無線リンク障害が発生した後に、ＲＲＣ接続再設定のために使用される。この方法は、アンカノードにより実行される。ＲＲＣメッセージは、ＳＲＢ０によって搬送されるＲＲＣメッセージ、及びＳＲＢ１によって搬送されるＲＲＣメッセージを含む。ＳＲＢ０によって搬送されるＲＲＣメッセージは、具体的には、ＲＲＣ接続再設定要求メッセージ又はＲＲＣ接続再設定メッセージである。ＳＲＢ１によって搬送されるＲＲＣメッセージは、具体的にはＲＲＣ接続再設定完了メッセージである。図１８に示されるように、この方法は、具体的には下記のステップを含む。
【０２７０】
ステップ１８０１：第１のアンカノードが第１のサービングノードにより送信されたＲＲＣ接続再設定要求メッセージを受信し、ここで、ＲＲＣ接続再設定要求メッセージとは、第１のＵＥが、無線リンク障害ＲＬＦを発見し、第１のサービングノードにより同報通信を用いて送信されたシステムメッセージを受信し、システムメッセージに応じてランダムアクセスメッセージを第１のサービングノードへ送信し、また第１のサービングノードにより送信されたランダムアクセス応答メッセージを受信した後に、第１のＵＥにより第１のサービングノードに送信されるＲＲＣ接続再設定要求メッセージのことである。
【０２７１】
ステップ１８０２：第１のアンカノードがＲＲＣ接続再設定メッセージを第１のサービングノードへ送信し、それにより、第１のサービングノードはＲＲＣ接続再設定メッセージを第１のＵＥへ送信する。
【０２７２】
ステップ１８０３：第１のアンカノードは、第１のサービングノードにより送信されたＲＲＣ接続再設定完了メッセージを受信してＲＲＣ接続を第１のアンカノード及び第１のＵＥに対して設定し、ここで、ＲＲＣ接続再設定完了メッセージとは、第１のＵＥにより送信され第１のサービングノードにより受信されるＲＲＣ接続再設定完了メッセージのことである。
【０２７３】
上記の処理過程から、本発明のこの実施形態で提供されるＲＲＣメッセージ処理方法では、無線リンク障害が発生した後にＲＲＣ接続再設定を実施できることが分かる。加えて、ＲＲＣ接続再設定過程において、第１のサービングノードと第１のアンカノードとの間のＲＲＣメッセージに対し、ＳＲＢタイプを表示するために使用される表示情報は、ＲＲＣメッセージが送信されているときに搬送されることができ、又は、この表示情報は単独で送信されることができ、それにより、第１のサービングノード及び第１のアンカノードは対応する処理を行う。したがって、ＲＲＣ機能は２つのノードに、すなわち第１のサービングノードと第１のアンカノードに分割される。
【０２７４】
当業者には、本明細書に開示された実施形態で説明された例と合わせて、ユニット及びアルゴリズムステップが、電子的ハードウェア、コンピュータソフトウェア、又はこれらの組み合わせによって実施され得ることをさらに認識することができる。ハードウェアとソフトウェアとの間の交換可能性について明確に説明するために、上記では、機能に応じた各例の構成物及びステップについて大まかに説明した。機能がハードウェアで実行されるかソフトウェアで実行されるかは、特定の用途、及び技法的解決策の設計制約条件によって決まる。当業者であれば、説明された機能を、異なる方法を使用して特定の用途ごとに実施することができるが、その実施は、本発明の範囲を越えるとみなされるべきではない。
【０２７５】
本明細書に開示の実施形態について説明された方法又はアルゴリズムのステップは、ハードウェア、プロセッサで実行されるソフトウェアモジュール、又はこれらの組み合わせによって実施されることができる。ソフトウェアモジュールは、ランダムアクセスメモリ（ＲＡＭ）、メモリ、読み出し専用メモリ（ＲＯＭ）、電気的プログラム可能ＲＯＭ、電気的消去可能プログラム可能ＲＯＭ、レジスタ、ハードディスク、取外し可能ディスク、ＣＤ−ＲＯＭ、又は当技術分野で知られている任意の他の形態の記憶媒体に存在することができる。
【０２７６】
上記の具体的な実現方式では、本発明の目的、技法的解決策、及び利益についてさらに詳細に説明している。上記の説明は単に、本発明の具体的な実施方式にすぎず、本発明の保護範囲を限定するものではないことを理解されたい。本発明の原理から逸脱することなく行われるいかなる修正、等価の置換え、又は改善も、本発明の保護範囲内に入るものとする。
【図１】
0006568585.tif 000002
【図２】
0006568585.tif 000003
【図３】
0006568585.tif 000004
【図４】
0006568585.tif 000005
【図５】
0006568585.tif 000006
【図６】
0006568585.tif 000007
【図７】
0006568585.tif 000008
【図８】
0006568585.tif 000009
【図９】
0006568585.tif 000010
【図１０】
0006568585.tif 000011
【図１１】
0006568585.tif 000012
【図１２】
0006568585.tif 000013
【図１３】
0006568585.tif 000014
【図１４】
0006568585.tif 000015
【図１５】
0006568585.tif 000016
【図１６】
0006568585.tif 000017
【図１７】
0006568585.tif 000018
【図１８】
0006568585.tif 000019